(57)【要約】  ウェアラブル装置アセンブリ１０は、ハウジング１２を有する。ハウジング１２は、コントローラ１４、ディスプレイ１８、および標識システム２０を支持している。コントローラ１４は、少なくとも１つのセンサを有する。センサは、当該装置を装着したユーザの活動を検出する。コントローラ１４は、ユーザの活動レベルを示すために、標識システム２０を選択的に発光させる。【選択図】図５
2013544140.tif 000002
【特許請求の範囲】
【請求項１】
人に装着されるように構成されたウェアラブルな装置であって、
第１端部と第２端部を有するハウジングと、
前記ハウジングに支持されるとともに、センサを有するコントローラと、
前記ハウジングに支持されたディスプレイと、
前記ハウジングに支持された標識システムとを備え、
前記第１端部は、前記第２端部と解除可能に係合可能とされており、
前記センサは、前記コントローラと動作可能に接続されて前記人の活動を検出し、
前記ディスプレイは、前記コントローラと動作可能に接続され、
前記標識システムは、前記コントローラと動作可能に接続されるとともに、前記人の活動レベルを示すために発光可能である、装置。
【請求項２】
前記ディスプレイと前記標識システムは、発光可能な発光部材群を備える、請求項１に記載の装置。
【請求項３】
前記発光部材群の少なくとも１つは、異なる色を呈することが可能である、請求項２に記載の装置。
【請求項４】
前記標識システムの前記発光可能な発光部材群は、少なくとも赤色、黄色、および緑色を呈することが可能である、請求項２に記載の装置。
【請求項５】
前記ディスプレイは、前記ハウジングにおける中央部の近傍に配置され、前記標識システムは、前記中央部の近傍かつ前記ディスプレイに隣接して配置されている、請求項１に記載の装置。
【請求項６】
前記ハウジングは、面取りされた縁部を有し、前記標識システムは、前記縁部に配置されている、請求項５に記載の装置。
【請求項７】
前記標識システムは、ほぼ直線的に配列された発光部材群を有する、請求項６に記載の装置。
【請求項８】
前記ディスプレイは、第１方向に光を投射し、前記標識システムは、前記第１方向とは異なる第２方向に光を投射する、請求項１に記載の装置。
【請求項９】
前記システムは、第１セグメントと第２セグメントを有し、
前記第１セグメントは、前記センサにより検知された前記人の活動レベルに基づいて発光可能であり、
前記コントローラは、第２の人の活動レベルに係る情報を受信可能であり、
前記第２セグメントは、前記第２の人の活動レベルに基づいて発光可能である、請求項１に記載の装置。
【請求項１０】
前記標識システムは、第１発光部材群と第２発光部材群を備え、
前記第１発光部材群は、前記ハウジングの一方の側に配置され、前記第２発光部材群は、前記ハウジングの反対側に配置されている、請求項１に記載の装置。
【請求項１１】
前記ハウジングは、前記コントローラ、前記ディスプレイ、および前記標識システムを支持するインナースパイン部材を有し、
前記ハウジングは、前記インナースパイン部材、前記コントローラ、前記ディスプレイ、および前記標識システムの周囲に配置されたエラストマ部材をさらに有する、請求項１に記載の装置。
【請求項１２】
前記ハウジングは、インナースパイン部材を有し、
前記インナースパイン部材は、少なくとも１つのほぼ非可撓性の部分と少なくとも１つの可撓性の領域を有し、
前記非可撓性の部分は、前記可撓性の領域を中心に回動可能である、請求項１に記載の装置。
【請求項１３】
前記非可撓性の部分は、ほぼ非可撓性の中央部、ほぼ非可撓性の第１セグメント、およびほぼ非可撓性の第２セグメントを有し、
前記可撓性の領域は、第１可撓性領域と第２可撓性領域を有し、
前記第１可撓性領域は、前記中央部の第１端部と前記第１セグメントを接続し、前記第２可撓性領域は、前記中央部の第２端部と前記第２セグメントを接続している、請求項１２に記載の装置。
【請求項１４】
前記中央部、前記第１セグメント、および前記第２セグメントは、第１の厚みをなし、前記可撓性の領域は、前記第１の厚みよりも薄い第２の厚みをなす、請求項１３に記載の装置。
【請求項１５】
前記第１可撓性領域と前記第２可撓性領域は、凹んだ形状をしている、請求項１３に記載の装置。
【請求項１６】
前記第１可撓性領域と前記第２可撓性領域は、凹んだ形状をしており、各凹み形状の基部は、当該凹み形状の残りの部分よりも肉薄とされている、請求項１３に記載の装置。
【請求項１７】
前記コントローラは、前記インナースパイン部材の長手方向に沿って接続されたフレキシブル回路部材を有し、
前記ディスプレイと前記標識システムは、前記フレキシブル回路部材と動作可能に接続されている、請求項１３に記載の装置。
【請求項１８】
前記ハウジングは、前記コントローラ、前記ディスプレイ、および前記標識システム周囲に配置された外装部材をさらに備える、請求項１３に記載の装置。
【請求項１９】
前記外装部材は、ポリマー材料である、請求項１８に記載の装置。
【請求項２０】
前記外装部材は、熱可塑性エラストマ部材である、請求項１８に記載の装置。
【請求項２１】
前記ディスプレイと前記標識システムは、発光時において前記ハウジングを通して視認可能である、請求項１に記載の装置。
【請求項２２】
前記ハウジングは、ほぼ環状の形状を有し、ユーザの腕に装着する寸法とされている、請求項１に記載の装置。
【請求項２３】
前記ハウジングは、インナースパイン部材、および当該インナースパイン部材の周囲に配置された熱可塑のエラストマ部材を備え、
前記コントローラ、前記ディスプレイ、および前記標識システムは、前記エラストマ部材に収容されている、請求項１に記載の装置。
【請求項２４】
前記ハウジングは前記コントローラと動作可能に接続された入力ボタンをさらに有し、
前記入力ボタンは、可撓性のキャップと一体に接続された非可撓性の基部を有し、
前記エラストマ部材は、前記非可撓性の基部の周縁に当接している、請求項２３に記載の装置。
【請求項２５】
前記ハウジングは、収容凹部を有するインナースパイン部材を備え、
前記コントローラは、前記収容凹部内に配置されて前記コントローラと動作可能に接続されたバッテリを有する、請求項１に記載の装置。
【請求項２６】
前記収容凹部は、チキソ成形された部材、および当該チキソ成形された部材を覆うように配置された金属製の筐体からなる、請求項２５に記載の装置。
【請求項２７】
前記収容凹部は、金属製の筐体を備える、請求項２５に記載の装置。
【請求項２８】
前記第１セグメントは、曲線をなす形状を有するとともに、第１収容凹部を区画し、
前記第２セグメントは、曲線をなす形状を有するとともに、第２収容凹部を区画し、
前記第１収容凹部は、チキソ成形された部材と第１金属筐体部材からなり、
前記チキソ成形された部材は、前記コントローラに接続された湾曲形状を有する第１バッテリを受容し、前記第１金属筐体部材は、当該第１バッテリを覆うように配置されており、
前記第２収容凹部は、チキソ成形された部材と第２金属筐体部材からなり、
前記チキソ成形された部材は、前記コントローラに接続された湾曲形状を有する第２バッテリを受容し、前記第２金属筐体部材は、当該第２バッテリを覆うように配置されている、請求項１３に記載の装置。
【請求項２９】
前記第１収容凹部は開口を有し、
前記第１バッテリは、前記開口内に配置されるとともに前記コントローラに接続された接点群を支持する第１弾性部材を有し、
前記第２収容凹部は開口を有し、
前記第２バッテリは、前記開口内に配置されるとともに前記コントローラに接続された接点群を支持する第２弾性部材を有する、請求項２８に記載の装置。
【請求項３０】
突出部材が前記第１端部に接続され、受け部材が前記第２端部に接続されており、
前記突出部材は、前記コントローラと動作可能に接続されたＵＳＢコネクタを有し、
前記ＵＳＢコネクタは、前記受け部材と解除可能に係合している、請求項１に記載の装置。
【請求項３１】
前記ＵＳＢコネクタは、第１の側にリード群を有するとともに、当該第１の側と反対側の第２の側に凹部を有し、
前記受け部材は、開口を区画するとともに、指部を回動可能に支持しており、
係止位置においては、前記ＵＳＢコネクタが前記受け部材に受容されるとともに、前記指部が前記凹部に受容され、
係止解除位置においては、前記指部が前記ＵＳＢコネクタから離れるように回動し、前記ＵＳＢコネクタが前記受け部材から取り外し可能とされる、請求項３０に記載の装置。
【請求項３２】
前記凹部は係合面を形成し、前記係止位置において、前記指部は前記係合面に接触する、請求項３１に記載の装置。
【請求項３３】
前記第１端部は、前記コントローラと動作可能に接続されたＵＳＢコネクタを有する、請求項１に記載の装置。
【請求項３４】
前記ハウジングの前記第２端部と前記受け部材の間に接続された拡張部材を備える、請求項３０に記載の装置。
【請求項３５】
前記拡張部材は、一端が前記ハウジングの前記第２端部に接続された本体を有し、
前記拡張部材は、前記本体に支持された回転爪をさらに有し、
前記回転爪は、カム面を有し、
前記受け部材は、カム面を有する突起とスロットを備え、
前記突起が前記拡張部材の前記本体に挿入されると、それぞれの前記カム面が前記回転爪を回転させ、前記突起が前記本体にさらに挿入されると、前記回転爪は前記スロットに受容され、前記拡張部材は前記受け部材に装着される、請求項３４に記載の装置。
【請求項３６】
前記ＵＳＢコネクタは、等間隔で並ぶリード群を有する非可撓性の本体を備える、請求項３０に記載の装置。
【請求項３７】
前記ＵＳＢコネクタは、上面を形成する非可撓性の本体、および当該上面から後退した位置に配置されたリード群を有し、
前記リード群の各々は、前記上面の近傍まで盛り上がったリブを有する、請求項３０に記載の装置。
【請求項３８】
前記コントローラは、ユーザによる所定量の活動の検出に応答して前記標識システムを発光させるように構成されている、請求項１に記載の装置。
【請求項３９】
前記コントローラは、ユーザによる所定量の低活動の検出に応答して前記標識システムを発光させるように構成されている、請求項１に記載の装置。
【請求項４０】
前記センサは、速度、距離、歩数、ユーザにより消費されたエネルギーの少なくとも１つを提供するために活動を検出可能な３軸加速度計である、請求項１に記載の装置。
【請求項４１】
前記コントローラは、モバイル装置にメッセージの表示を行なう標識を提供するように構成されている、請求項１に記載の装置。
【請求項４２】
前記コントローラは、活動目標を含み、
前記標識システムは、セグメント群を有し、
前記セグメント群の各々は、前記活動目標へ向かう指定された量の進捗を表す、請求項１に記載の装置。
【請求項４３】
前記進捗は、その量に基づいてコード化された色で表示される、請求項４２に記載の装置。
【請求項４４】
前記コントローラは、無線通信用に構成されている、請求項１に記載の装置。
【請求項４５】
前記ハウジングの前記第１端部は、前記コントローラと動作可能に接続されたデータ転送部材を有する、請求項１に記載の装置。
【請求項４６】
前記ディスプレイは、発光時に前記ハウジングを通して視認可能である、請求項１に記載の装置。
【請求項４７】
前記標識システムは、発光時に前記ハウジングを通して視認可能である、請求項１に記載の装置。
【請求項４８】
前記ディスプレイは、発光時のみ前記ハウジングを通して視認可能である、請求項１に記載の装置。
【請求項４９】
前記標識システムは、発光時のみ前記ハウジングを通して視認可能である、請求項１に記載の装置。
【請求項５０】
人に装着されるように構成されたウェアラブルな装置であって、
第１端部と第２端部を有するハウジングと、
前記ハウジングに支持されるとともに、加速度計を有するコントローラと、
前記ハウジングに支持されたディスプレイと、
前記ハウジングに支持された標識システムとを備え、
前記第１端部は、前記第２端部と解除可能に係合可能とされており、
前記加速度計は、前記コントローラと動作可能に接続されて前記人の活動を検出し、
前記ディスプレイは、前記コントローラと動作可能に接続され、
前記標識システムは、前記コントローラと動作可能に接続され、前記人の活動レベルを示すように発光可能である、装置。
【請求項５１】
ウェアラブルな装置であって、
人に装着されるように構成されたハウジングを備え、
前記ハウジングは、その内部にコントローラを支持しており、
前記コントローラは、前記人の活動を検出可能なセンサを有し、
前記ハウジングは、前記コントローラと動作可能に接続された発光部を有し、
前記発光部は、前記センサにより検知された活動のレベルに基づいて発光する、装置。
【請求項５２】
前記発光部は、前記ハウジングに支持されたディスプレイを備え、
前記ディスプレイは、前記コントローラと動作可能に接続されている、請求項５１に記載の装置。
【請求項５３】
前記ディスプレイは、第１ディスプレイと第２ディスプレイを備え、
前記第２ディスプレイは、前記ハウジングに支持されるとともに、前記コントローラと動作可能に接続されており、かつ前記人の活動レベルを示すために発光可能である、請求項５２に記載の装置。
【請求項５４】
前記ハウジングは、人の腕に装着されるように構成された環状のリストバンドである、請求項５１に記載の装置。
【請求項５５】
前記ハウジングは、前記コントローラ、前記第１ディスプレイ、および前記第２ディスプレイを支持するインナースパイン部材を有し、
前記ハウジングは、前記インナースパイン部材、前記コントローラ、前記ディスプレイ、および前記標識システムの周囲に配置されたエラストマ部材をさらに有する、請求項５１に記載の装置。
【請求項５６】
前記インナースパイン部材は、ほぼ非可撓性の中央部、ほぼ非可撓性の第１セグメント、ほぼ非可撓性の第２セグメント、第１可撓性領域、および第２可撓性領域を有し、
前記第１可撓性領域は、前記中央部の第１端部と前記第１セグメントを接続し、前記第２可撓性領域は、前記中央部の第２端部と前記第２セグメントを接続している、請求項５５に記載の装置。
【請求項５７】
前記第１可撓性領域と前記第２可撓性領域は、凹んだ形状をしている、請求項５６に記載の装置。
【請求項５８】
前記インナースパイン部材は、第１の厚みを有し、
前記第１可撓性領域と前記第２可撓性領域の各基部は、前記第１の厚みよりも薄い第２の厚みを有する、請求項５６に記載の装置。
【請求項５９】
前記第１ディスプレイと前記第２ディスプレイは、発光時において、前記エラストマ部材を通して視認可能である、請求項５５に記載の装置。
【請求項６０】
前記第１セグメントは、曲線をなす形状を有するとともに、第１収容凹部を区画し、
前記第２セグメントは、曲線をなす形状を有するとともに、第２収容凹部を区画し、
前記第１収容凹部は、チキソ成形された部材と第１金属筐体部材からなり、
前記チキソ成形された部材は、前記コントローラに接続された湾曲形状を有する第１バッテリを受容し、前記第１金属筐体部材は、当該第１バッテリを覆うように配置されており、
前記第２収容凹部は、チキソ成形された部材と第２金属筐体部材からなり、
前記チキソ成形された部材は、前記コントローラに接続された湾曲形状を有する第２バッテリを受容し、前記第２金属筐体部材は、当該第２バッテリを覆うように配置されている、請求項５６に記載の装置。
【請求項６１】
前記第１収容凹部は開口を有し、
前記第１バッテリは、前記開口内に配置されるとともに前記コントローラに接続された接点群を支持する第１弾性部材を有し、
前記第２収容凹部は開口を有し、
前記第２バッテリは、前記開口内に配置されるとともに前記コントローラに接続された接点群を支持する第２弾性部材を有する、請求項６０に記載の装置。
【請求項６２】
突出部材が前記第１端部に接続され、受け部材が前記第２端部に接続されており、
前記突出部材は、前記コントローラと動作可能に接続されたＵＳＢコネクタを有し、
前記ＵＳＢコネクタは、前記受け部材と解除可能に係合している、請求項５１に記載の装置。
【請求項６３】
前記ＵＳＢコネクタは、第１の側にリード群を有するとともに、当該第１の側と反対側の第２の側に凹部を有し、
前記受け部材は、開口を区画するとともに、指部を回動可能に支持しており、
係止位置においては、前記ＵＳＢコネクタが前記受け部材に受容されるとともに、前記指部が前記凹部に受容され、
係止解除位置においては、前記指部が前記ＵＳＢコネクタから離れるように回動し、前記ＵＳＢコネクタが前記受け部材から取り外し可能とされる、請求項６２に記載の装置。
【請求項６４】
前記凹部は係合面を形成し、前記係止位置において、前記指部は前記係合面に接触する、請求項６３に記載の装置。
【請求項６５】
前記ハウジングの前記第２端部と前記受け部材の間に接続された拡張部材を備える、請求項６３に記載の装置。
【請求項６６】
前記拡張部材は、一端が前記ハウジングの前記第２端部に接続された本体を有し、
前記拡張部材は、前記本体に支持された回転爪をさらに有し、
前記回転爪は、カム面を有し、
前記受け部材は、カム面を有する突起とスロットを備え、
前記突起が前記拡張部材の前記本体に挿入されると、それぞれの前記カム面が前記回転爪を回転させ、前記突起が前記本体にさらに挿入されると、前記回転爪は前記スロットに受容され、前記拡張部材は前記受け部材に装着される、請求項６５に記載の装置。
【請求項６７】
前記センサは、速度、距離、歩数、ユーザにより消費されたエネルギーの少なくとも１つを提供するために活動を検出可能な３軸加速度計である、請求項５１に記載の装置。
【請求項６８】
人に装着されるように構成されたウェアラブルな装置であって、
インナースパイン部材を有するハウジングと、
前記インナースパイン部材と接続されるとともに、センサを有するコントローラとを備え、
前記インナースパイン部材は、ほぼ非可撓性の中央部、ほぼ非可撓性の第１セグメント、ほぼ非可撓性の第２セグメント、第１可撓性部材、第２可撓性部材、およびエラストマ部材を有し、
前記中央部の一端と前記第１セグメントが前記第１可撓性部材により接続され、前記中央部の他端と前記第２セグメントが前記第２可撓性部材により接続されることにより、前記第１セグメントと前記第２セグメントが前記中央部に対して可撓とされ、
前記エラストマ部材は、前記インナースパイン部材の周囲に配置されており、
前記センサは、前記コントローラと連携動作可能であり、前記人の活動を検出する、装置。
【請求項６９】
前記コントローラと動作可能に接続されたディスプレイをさらに備え、
前記ディスプレイは、ユーザの活動レベルに基づいて発光可能である、請求項６８に記載の装置。
【請求項７０】
前記ディスプレイは、発光時において、前記ハウジングを通して視認可能である、請求項６９に記載の装置。
【請求項７１】
前記ディスプレイは、第１ディスプレイと第２ディスプレイを備え、
前記第２ディスプレイは、前記第１ディスプレイに隣接して配置されるとともに、前記ユーザの活動レベルに基づいて発光可能である、請求項７０に記載の装置。
【請求項７２】
前記ハウジングは、ほぼ平坦な部分と面取りされた縁部を有し、
前記第１ディスプレイは、前記平坦な部分を通して視認可能であり、前記第２ディスプレイは、前記面取りされた縁部を通して視認可能である、請求項７１に記載の装置。
【請求項７３】
前記第１可撓性部材と前記第２可撓性部材は、凹んだ形状をしている、請求項６８に記載の装置。
【請求項７４】
前記第１可撓性部材と前記第２可撓性部材は、それぞれ前記凹み形状の基部において肉薄とされている、請求項７３に記載の装置。
【請求項７５】
前記コントローラは、前記インナースパイン部材に装着され、その長手方向に沿って延びるフレキシブル回路部材を有する、請求項６８に記載の装置。
【請求項７６】
前記第１セグメントと前記第２セグメントは、曲線をなす形状を有する、請求項６８に記載の装置。
【請求項７７】
前記第１セグメントは、湾曲形状を有する第１バッテリを収容する第１バッテリ収容部を区画し、
前記第２セグメントは、湾曲形状を有する第２バッテリを収容する第２バッテリ収容部を区画している、請求項７６に記載の装置。
【請求項７８】
前記インナースパイン部材に接続されるとともに、前記第１バッテリを覆うように配置された第１金属筺体部材と、
前記インナースパイン部材に接続されるとともに、前記第２バッテリを覆うように配置された第２金属筺体部材とをさらに備える、請求項７７に記載の装置。
【請求項７９】
人に装着されるように構成されたウェアラブルな装置であって、
第１端部、第２端部、およびインナースパイン部材を有するハウジングと、
前記ハウジングに支持されるとともに、センサを有するコントローラと、
前記ハウジングに支持されたディスプレイとを備え、
前記第１端部は、前記第２端部と解除可能に係合可能とされており、
前記インナースパイン部材は、少なくとも１つのほぼ非可撓性の部分と少なくとも１つの可撓性の領域を有し、
前記非可撓性の部分は、前記可撓性の領域を中心に回動可能であり、
前記センサは、前記コントローラと連携動作可能とされて前記人の活動を検出し、
前記ディスプレイは、前記コントローラと動作可能に接続されるとともに、前記人の活動に係る標識を表示するように構成されている、装置。
【請求項８０】
前記非可撓性の部分は、ほぼ非可撓性の中央部、ほぼ非可撓性の第１セグメント、およびほぼ非可撓性の第２セグメントを有し、
前記可撓性の領域は、第１可撓性領域と第２可撓性領域を有し、
前記第１可撓性領域は、前記中央部の第１端部と前記第１セグメントを接続し、前記第２可撓性領域は、前記中央部の第２端部と前記第２セグメントを接続している、請求項７９に記載の装置。
【請求項８１】
前記第１可撓性領域と前記第２可撓性領域は、凹んだ形状をしている、請求項８０に記載の装置。
【請求項８２】
前記非可撓性の部分は、第１の厚みを有し、前記第１可撓性領域と前記第２可撓性領域は、前記第１の厚みよりも薄い第２の厚みを有する、請求項８１に記載の装置。
【請求項８３】
人に装着されるように構成されたウェアラブルな装置であって、
第１端部と第２端部を有し、これらの端部の間がほぼ曲線をなすように延びているインナースパイン部材と、
フレキシブル回路部材とセンサを有するコントローラと、
前記フレキシブル回路に接続されたディスプレイと、
前記コントローラ、前記ディスプレイ、および前記インナースパイン部材を覆うように設置された熱可塑性エラストマ部材とを備え、
前記第１端部は、前記第２端部と解除可能に係合可能とされており、
前記フレキシブル回路は、前記インナースパイン部材の長手方向に沿って装着され、
前記センサは、前記コントローラと連携動作可能とされて前記人の活動を検出し、
前記ディスプレイは、前記人の活動レベルを示すために発光可能であり、発光時において、前記熱可塑性エラストマ部材を通して視認可能である、装置。
【請求項８４】
人に装着されるように構成されたウェアラブルな装置であって、
第１端部、第２端部、およびこれらの間に位置する中間部を有するハウジングと、
前記ハウジングに支持されるとともに、センサを有するコントローラと、
前記ハウジングに支持されたディスプレイと、
前記第１端部に接続された突出部材と、
前記第２端部に接続されるとともに、前記突出部材と解除可能に係合可能である受け部材とを備え、
前記第１端部は、前記第２端部と解除可能に係合可能とされており、
前記センサは、前記コントローラと連携動作可能とされて前記人の活動を検出し、
前記ディスプレイは、前記コントローラと動作可能に接続されるとともに、前記人の活動レベルを示すために発光可能であり、
前記突出部材は、前記コントローラと動作可能に接続されたＵＳＢコネクタを有し、
前記ＵＳＢコネクタは、第１の側にリード群を有するとともに、当該第１の側と反対側の第２の側に凹部を有し、
前記受け部材は、開口を区画するとともに、指部を回動可能に支持しており、
係止位置においては、前記ＵＳＢコネクタが前記受け部材に受容されるとともに、前記指部が前記凹部に受容され、
係止解除位置においては、前記指部が前記ＵＳＢコネクタから離れるように回動し、前記ＵＳＢコネクタが前記受け部材から取り外し可能とされる、装置。
【請求項８５】
人に装着されるように構成され、第１端部、第２端部、ならびに当該人の活動を検出するように構成されたコントローラおよびセンサを有するウェアラブルな装置の締結機構であって、
前記第１端部に接続されるように構成された突出部材と、
前記第２端部に接続されるように構成されるとともに、前記突出部材と解除可能に係合可能である受け部材とを備え、
前記突出部材は、前記コントローラと動作可能に接続されたＵＳＢコネクタを有し、
前記ＵＳＢコネクタは、第１の側にリード群を有するとともに、当該第１の側と反対側の第２の側に凹部を有し、
前記受け部材は、開口を区画するとともに、指部を回動可能に支持しており、
係止位置においては、前記ＵＳＢコネクタが前記受け部材に受容されるとともに、前記指部が前記凹部に受容され、
係止解除位置においては、前記指部が前記ＵＳＢコネクタから離れるように回動し、前記ＵＳＢコネクタが前記受け部材から取り外し可能とされる、装置。
【請求項８６】
前記第２端部に接続されるように構成された一端部を有する本体を備える拡張部材をさらに備え、
前記拡張部材は、前記本体に支持された回転爪をさらに有し、
前記回転爪は、カム面を有し、
前記受け部材は、カム面を有する突起とスロットを備え、
前記突起が前記拡張部材の前記本体に挿入されると、それぞれの前記カム面が前記回転爪を回転させ、前記突起が前記本体にさらに挿入されると、前記回転爪は前記スロットに受容され、前記拡張部材は前記受け部材に装着される、請求項８５に記載の装置。
【請求項８７】
人に装着されるように構成されたウェアラブルな装置であって、
インナースパイン部材を有するハウジングと、
曲線をなす形状の第１バッテリと、
曲線をなす形状の第２バッテリと、
前記インナースパイン部材と接続されたコントローラと、
前記ハウジングに支持されたディスプレイとを備え、
前記インナースパイン部材は、第１端部、第２端部、およびこれらの間に位置する中間部を有し、
前記中間部は、中央部、第１セグメント、および第２セグメントを有し、
前記第１セグメントは、前記中央部に接続されるとともに、曲線をなす形状を有し、
前記第２セグメントは、前記中央部に接続されるとともに、曲線をなす形状を有し、
前記第１セグメントは、第１収容凹部を区画し、
前記第２セグメントは、第２収容凹部を区画し、
前記第１バッテリは、前記第１収容凹部内に配置され、
前記第２バッテリは、前記第２収容凹部内に配置され、
前記コントローラは、前記第１バッテリおよび前記第２バッテリと動作可能に接続されており、
前記センサは、前記コントローラと連携動作可能とされて前記人の活動を検出し、
前記ディスプレイは、前記コントローラと動作可能に接続されるとともに、前記人に活動に係る標識を表示するように構成されている、装置。
【請求項８８】
前記第１収容凹部は、前記インナースパイン部材に接続されて前記第１バッテリ用の第１金属筺体を形成する金属部材と第１金属蓋部材を有し、
前記第２収容凹部は、前記インナースパイン部材に接続されて前記第２バッテリ用の第２金属筺体を形成する金属部材と第２金属蓋部材を有する、請求項８７に記載の装置。
【請求項８９】
前記第１バッテリは、第１弾性立ち上がり部に支持された接点群を有し、
前記第１蓋部材が前記インナースパイン部材に接続されると、前記接点群は、前記コントローラと動作可能に接続された接点群に対して押し付けられる、請求項８８に記載の装置。
【請求項９０】
人に装着されるように構成されたリストバンドを備えるウェアラブルな装置であって、
前記リストバンドは、内部にコントローラを支持しており、
前記リストバンドは、前記人の活動を検知可能なセンサを有し、
前記リストバンドは、前記コントローラと動作可能に接続された標識システムをさらに有し、
前記標識システムは、第１セグメントと第２セグメントを有し、
前記第１セグメントは、前記センサにより検知された前記人の活動のレベルに基づいて発光可能であり、
前記コントローラは、第２の人の活動レベルに係る情報を受信可能であり、
前記第２セグメントは、前記第２の人の活動レベルに基づいて発光可能である、装置。
【請求項９１】
人に装着されるように構成されたウェアラブルな装置アセンブリであって、
第１端部、第２端部、およびこれらに間に位置する中間部を有するとともに、ほぼ曲線をなす形状を有するスパイン部材と、
前記スパイン部材の長手方向に沿って装着された可撓性の回路部材、および３軸加速度計を有するコントローラと、
前記回路部材に接続されるとともに、前記スパイン部材の中央部近傍に配置されたディスプレイと、
前記回路部材に接続されるとともに、前記ディスプレイに隣接して配置された標識システムと、
前記ディスプレイに隣接して配置されるとともに、前記回路部材と動作可能に接続された入力ボタンと、
前記入力ボタンの周縁と係合するとともに、前記スパイン部材、前記コントローラ、前記ディスプレイ、および前記標識システムのの周囲に配置された熱可塑性のエラストマ部材と、
第１バッテリと、
第１金属蓋部材と、
第２バッテリと、
第２金属蓋部材と、
突出部材と受け部材を有する締結機構とを備え、
前記スパイン部材は、ほぼ非可撓性の中央部、ほぼ非可撓性の第１セグメント、およびほぼ非可撓性の第２セグメントを有し、
前記第１セグメントは、凹んだ形状を有する第１可撓部により前記中央部の一端に接続されており、
前記第２セグメントは、凹んだ形状を有する第２可撓部により前記中央部の他端に接続されており、
前記第１セグメントは、チキソ成形された部材を備える第１収容凹部を区画し、
前記第２セグメントは、チキソ成形された部材を備える第２収容凹部を区画し、
前記３軸加速度計は、ユーザの活動レベルを検出するために前記コントローラと連携動作可能であり、
前記標識システムは、前記３軸加速度計により検知された前記ユーザの活動レベルに基づいて発光可能であり、
前記エラストマ部材は、前記第１収容凹部と連通する第１開口、および前記第２収容凹部と連通する第２開口を有し、
前記第１バッテリは、前記第１収容凹部内に配置されて前記コントローラと動作可能に接続されており、
前記第２バッテリは、前記第２収容凹部内に配置されて前記コントローラと動作可能に接続されており、
前記第１金属蓋部材は、前記第１バッテリを覆うように配置されるとともに、前記スパイン部材に接続されており、
前記第２金属蓋部材は、前記第２バッテリを覆うように配置されるとともに、前記スパイン部材に接続されており、
前記突出部材は、前記スパイン部材の前記第１端部に接続されるとともに、前記コントローラと動作可能に接続されたＵＳＢコネクタを備え、
前記ＵＳＢコネクタは、第１の側にリード群を有するとともに、当該第１の側と反対側の第２の側に凹部を有し、
前記受け部材は、前記スパイン部材の前記第２端部に接続されるとともに、回動可能な指部を有し、
前記ＵＳＢコネクタが前記受け部材に挿入されると、前記指部は、前記凹部内に受容される、装置アセンブリ。
【発明の詳細な説明】
【技術分野】
【０００１】
本発明は、主にウェアラブル装置アセンブリに関する。より詳しくは、活動のレベルを示す発光機能を有するウェアラブルアスレチック情報装置に関する。
【背景技術】
【０００２】
エクササイズやフィットネスは普及しつつあり、そのような活動の効用が知られている。各種の技術がフィットネスや他のアスレチック活動に導入されている。例えば、フィットネス活動に使用できる多様なポータブル電子装置がある。装置の例としては、ＭＰ３などのオーディオプレイヤー、ラジオ、ポータブルテレビ、ＤＶＤプレイヤー、その他のビデオ再生装置、時計、ＧＰＳシステム、歩数計、携帯電話、ポケットベルなどが挙げられる。フィットネスに熱心な者やアスリート達は、エクササイズやトレーニングの際に、これらの装置の少なくとも１つを使用して楽しんでいる。またパフォーマンスデータを記録し、アクセス可能な状態としている。
【０００３】
技術の発展は、より洗練されたアスレチックパフォーマンスのモニタシステムを提供してもいる。当該システムは、簡便な監視を可能にしている。監視の対象としては、エクササイズやフィットネス活動と関連付けられる多くの身体的、生理学的な特性や、他のアスレチックパフォーマンスが挙げられる。アスレチックパフォーマンスの例としては、速度、距離データ、高度データ、ＧＰＳデータ、心拍数、脈拍数、血圧データ、体温、歩数などが挙げられる。
当該データは、ユーザが携帯する電子装置を通じて当該ユーザに提供される。例えば、あるアスレチックパフォーマンスのモニタシステムは、オーディオプレイヤーを内蔵し、当該オーディオプレイヤーを通じてデータの表示や取り扱いが可能とされる。別のシステムでは、自身がディスプレイを備える装置や、スマートフォンのような独立したモバイル装置に情報を表示させる機能を有する装置を有している。
【発明の概要】
【発明が解決しようとする課題】
【０００４】
従来のアスレチックパフォーマンスのモニタシステムは、多くの便利な機能を提供する一方で、制限もある。例えば、ポータブルオーディオプレイヤーを使いたくないユーザや、パフォーマンスデータの取得・表示をオーディオプレイヤーとは切り離して行ないたいユーザがいる。データの閲覧や分析のために当該データをパソコンなどにアップロードする能力に制限があるシステムや、そのようなデータ転送がユーザにとって面倒なシステムもある。一種類のアスレチック活動をモニタできるのみで、ある日またはある期間においてなされる各種の活動の蓄積を記録できないシステムもある。活動の記録やモニタに関し、十分かつクリエイティブなフィードバックを提供できないシステムもある。
【０００５】
本発明は、これらの制限や従来のシステムの短所を克服するとともに、新たな機能を利用できるようにすることを目的とする。
本発明の特徴や利点についての詳細な説明は、添付の図面を参照しつつ、以下の記載においてなされる。
【０００６】
以下に示す記載は、本発明の態様の概括であり、当該概括の少なくとも一部に対する理解を提供するためのものである。この概括は、本発明の全容を示すものではない。発明にとって重要な要素を特定することや、発明の範囲を規定することを意図するものではない。以下の概括は、続く詳細な説明の前置きとして、発明の幾つかの概念を一般的に示すに過ぎない。
【課題を解決するための手段】
【０００７】
本発明は、ウェアラブル装置を提供する。その一実施形態は、電子データを保存する装置を有する、アスレチックパフォーマンスの監視と追跡を行なう装置である。
【０００８】
本発明の一態様によれば、ウェアラブルキャリアを有するアセンブリの一部としてＵＳＢ装置が用いられる。またキャリアとＵＳＢ装置の少なくとも一方は、コントローラを含みうる。コントローラは、アスレチックパフォーマンスのモニタシステムとしてセンサと通信し、アスレチックパフォーマンスの記録とモニタを行なう。ウェアラブル装置は、各種の情報をユーザに伝える発光機能を含みうる。
【０００９】
ここに記載する態様の幾つかは、装置の異なるモードに対応するユーザインターフェースディスプレイをさらに含みうる。一例として、ユーザインターフェースの第１のセットは、評価期間に表示されうる。他のユーザインターフェースは、ユーザが評価期間を完了した場合のみアクセス可能とされうる。これに加えて、あるいは代えて、様々な装置のモードとして、情報表示ループモードやアクションモードを含みうる。情報表示ループモードとアクションモードは、区別を容易にするため、異なる態様で表示される。
【００１０】
ここに記載する態様の幾つかは、活動追跡アプリケーションをさらに含みうる。当該アプリケーションは、ウェアラブル活動追跡装置とは異なるモバイル装置や据置装置上で実行されうる。追跡アプリケーションは、活動データを記録したり、目標、途中経過、達成度などを追跡したり、競争モードやチームモードを提供したりするのに用いられる。
【００１１】
その他の態様や特徴については、開示全体を通じて記載する。本発明を理解するために、以下に列挙する添付の図面を参照しつつ、例示を通じた説明を行なうこととする。
【図面の簡単な説明】
【００１２】
［図１］アスレチック機能を有するウェアラブル装置アセンブリを含む、本発明の実施形態の一例に係るアスレチックパフォーマンスの監視およびフィードバックシステムを利用する人を示す図である。
［図２］図１のウェアラブル装置アセンブリを示す斜視図である。
［図２ａ］ウェアラブル装置の別実施形態を示す図である。
［図３］図２のウェアラブル装置を示す正面図である。
［図４］図２のウェアラブル装置を示す側面図である。
［図５］図２のウェアラブル装置を示す斜視図であり、内部の部品を示すためにアセンブリの一部を透明視としている。
［図６］ウェアラブル装置を模式的に示す、図４の線６−６に沿う断面図である。
［図７ａ］ウェアラブル装置のスパイン部材に用いられるバッテリコンパートメントを示す斜視図である。
［図７ｂ］スパイン部材の一部としてのバッテリコンパートメントを示す斜視図である。
［図８ａ］スパイン部材を正面側から示す斜視図である。
［図８ｂ］スパイン部材を下方側から示す斜視図である。
［図９］ＵＳＢコネクタが装着されたスパイン部材を示す斜視図である。
［図１０ａ］ＵＳＢコネクタを示す図である。
［図１０ｂ］ＵＳＢコネクタを示す図である。
［図１０ｃ］ＵＳＢコネクタを示す図である。
［図１１ａ］ウェアラブル装置に用いられ、ＵＳＢコネクタを使用する機構を締結するレシーバ部材と他の部品を示す図である。
［図１１ｂ］ウェアラブル装置に用いられ、ＵＳＢコネクタを使用する機構を締結するレシーバ部材と他の部品を示す図である。
［図１１ｃ］ウェアラブル装置に用いられ、ＵＳＢコネクタを使用する機構を締結するレシーバ部材と他の部品を示す図である。
［図１１ｄ］ウェアラブル装置に用いられ、ＵＳＢコネクタを使用する機構を締結するレシーバ部材と他の部品を示す図である。
［図１１ｅ］ウェアラブル装置に用いられ、ＵＳＢコネクタを使用する機構を締結するレシーバ部材と他の部品を示す図である。
［図１１ｆ］ウェアラブル装置に用いられ、ＵＳＢコネクタを使用する機構を締結するレシーバ部材と他の部品を示す図である。
［図１２］ウェアラブル装置に用いられるスペーサ部材と拡張エレメントを示す図である。
［図１３］ウェアラブル装置に装着されたスペーサ部材を示す斜視図である。
［図１４］ウェアラブル装置のコントローラにおけるフレキシブル回路部材を模式的に示す平面図である。
［図１５］装置に装着されたスパイン部材の部品の幾つかを示す斜視図である。
［図１６］装置に装着されたスパイン部材の部品の幾つかを示す斜視図である。
［図１７］コントローラに関連付けられた入力ボタンを示す拡大図である。
［図１８］図１７の入力ボタンの一部を示す断面図である。
［図１９］スパイン部材上に形成された外装部材とバッテリ収容室を示す斜視図である。
［図１９ａ］装置を下方側から示す斜視図であり、ポート開口を有するバッテリ収容室を示している。
［図２０］バッテリと蓋部材の一部を示す斜視図であり、バッテリの接点を示している。
［図２１ａ］スパイン部材とバッテリの構成例の１つを示す図である。
［図２１ｂ］スパイン部材とバッテリの構成例の１つを示す図である。
［図２１ｃ］スパイン部材とバッテリの構成例の１つを示す図である。
［図２１ｄ］スパイン部材とバッテリの構成例の１つを示す図である。
［図２２］装置におけるコントローラ部品の別実施形態を分解して斜視図である。
［図２３ａ］別実施形態に係る装置におけるコントローラ部品、および指標表示システムを追加的に示す図である。
［図２３ｂ］別実施形態に係る装置におけるコントローラ部品、および指標表示システムを追加的に示す図である。
［図２３ｃ］別実施形態に係る装置におけるコントローラ部品、および指標表示システムを追加的に示す図である。
［図２４］装置のコントローラ部品に関連付けられた指標表示システムの別実施形態を分解して示す図である。
［図２５ａ］図２４のディスプレイに用いられるキャップ部材を示す斜視図である。
［図２５ｂ］図２４のディスプレイに用いられるキャップ部材を示す下面図である。
［図２６］図２４のディスプレイの一部を示す断面図である。
［図２７］図２４のディスプレイにおける発光部材とキャップ部材の一部を拡大して示す断面図である。
［図２８］別形態に係る装置におけるディスプレイの部品の一部を分解して示す斜視図である。
［図２９］別形態に係る装置におけるディスプレイの部品の一部を分解して示す斜視図である。
［図３０］ＵＳＢコネクタを内蔵する締結部材の部品を示す部分断面図である。
［図３１ａ］別形態に係る装置における締結機構を示す図である。
［図３１ｂ］別形態に係る装置における締結機構を示す図である。
［図３２ａ］別形態に係る装置における締結機構を示す図である。
［図３２ｂ］別形態に係る装置における締結機構を示す図である。
［図３３ａ］別形態に係る装置における締結機構を示す図である。
［図３３ｂ］別形態に係る装置における締結機構を示す図である。
［図３３ｃ］別形態に係る装置における締結機構を示す図である。
［図３３ｄ］別形態に係る装置における締結機構を示す図である。
［図３４ａ］別形態に係る装置におけるスペーサアセンブリを示す図である。
［図３４ｂ］別形態に係る装置におけるスペーサアセンブリを示す図である。
［図３５ａ］また別の形態に係る装置における締結機構を示す図である。
［図３５ｂ］また別の形態に係る装置における締結機構を示す図である。
［図３５ｃ］また別の形態に係る装置における締結機構を示す図である。
［図３６ａ］また別の形態に係る装置における締結機構を示す図である。
［図３６ｂ］また別の形態に係る装置における締結機構を示す図である。
［図３７ａ］また別の形態に係る装置における締結機構を示す図である。
［図３７ｂ］また別の形態に係る装置における締結機構を示す図である。
［図３７ｃ］また別の形態に係る装置における締結機構を示す図である。
［図３７ｄ］また別の形態に係る装置における締結機構を示す図である。
［図３７ｅ］また別の形態に係る装置における締結機構を示す図である。
［図３８ａ］また別の形態に係る装置におけるスペーサアセンブリを示す図である。
［図３８ｂ］また別の形態に係る装置におけるスペーサアセンブリを示す図である。
［図３９］本発明の装置を形成するプロセスを模式的に示す図である。
［図４０］本発明の装置を形成するプロセスを模式的に示す図である。
［図４１］本発明の装置を形成するプロセスを模式的に示す図である。
［図４２］本発明の装置を形成するプロセスを模式的に示す図である。
【図４３】ウェアラブル装置アセンブリを示す模式的ブロック図である。    ［図４４］コンピュータのＵＳＢポートに差し込まれたウェアラブル装置アセンブリを示す斜視図である。
【図４５】ウェアラブル装置アセンブリにおける評価期間の処理フローの例を示す図である。
【図４６】ウェアラブル装置アセンブリにおける状表表示モードの処理フローの例を示す図である。    ［図４７Ａ］情報表示モードにおけるウェアラブル装置アセンブリのユーザインターフェースの例を示す図である。    ［図４７Ｂ］情報表示モードにおけるウェアラブル装置アセンブリのユーザインターフェースの例を示す図である。    ［図４８］情報表示モードにおけるウェアラブル装置アセンブリのユーザインターフェースの例を示す図である。    ［図４９］情報表示モードにおけるウェアラブル装置アセンブリのユーザインターフェースの例を示す図である。    ［図５０］情報表示モードにおけるウェアラブル装置アセンブリのユーザインターフェースの例を示す図である。    ［図５１］情報表示モードにおけるウェアラブル装置アセンブリのユーザインターフェースの例を示す図である。    ［図５２］情報表示モードにおけるウェアラブル装置アセンブリのユーザインターフェースの例を示す図である。
【図５３】情報表示モードにおけるウェアラブル装置アセンブリのユーザインターフェースの例を示す図である。
【図５４】情報表示モードにおけるウェアラブル装置アセンブリのユーザインターフェースの例を示す図である。    ［図５５］情報表示モードにおけるウェアラブル装置アセンブリのユーザインターフェースの例を示す図である。    ［図５６］情報表示モードにおけるウェアラブル装置アセンブリのユーザインターフェースの例を示す図である。
【図５７Ａ】ウェアラブル装置アセンブリのバッテリ表示インターフェースの例を示す図である。    ［図５７Ｂ］ウェアラブル装置アセンブリのバッテリ表示インターフェースの例を示す図である。
【図５８】ウェアラブル装置アセンブリのアクションモードにおける処理フローの例を示す図である。    ［図５９Ａ］アクションモードにおけるウェアラブル装置アセンブリのユーザインターフェースの例を示す図である。    ［図５９Ｂ］アクションモードにおけるウェアラブル装置アセンブリのユーザインターフェースの例を示す図である。    ［図５９Ｃ］アクションモードにおけるウェアラブル装置アセンブリのユーザインターフェースの例を示す図である。    ［図５９Ｄ］アクションモードにおけるウェアラブル装置アセンブリのユーザインターフェースの例を示す図である。    ［図６０Ａ］アクションモードにおけるウェアラブル装置アセンブリのユーザインターフェースの例を示す図である。    ［図６０Ｂ］アクションモードにおけるウェアラブル装置アセンブリのユーザインターフェースの例を示す図である。    ［図６０Ｃ］アクションモードにおけるウェアラブル装置アセンブリのユーザインターフェースの例を示す図である。    ［図６０Ｄ］アクションモードにおけるウェアラブル装置アセンブリのユーザインターフェースの例を示す図である。    ［図６１Ａ］アクションモードにおけるウェアラブル装置アセンブリのユーザインターフェースの例を示す図である。    ［図６１Ｂ］アクションモードにおけるウェアラブル装置アセンブリのユーザインターフェースの例を示す図である。    ［図６１Ｃ］アクションモードにおけるウェアラブル装置アセンブリのユーザインターフェースの例を示す図である。    ［図６２Ａ］アクションモードにおけるウェアラブル装置アセンブリのユーザインターフェースの例を示す図である。    ［図６２Ｂ］アクションモードにおけるウェアラブル装置アセンブリのユーザインターフェースの例を示す図である。    ［図６３Ａ］アクションモードにおけるウェアラブル装置アセンブリのユーザインターフェースの例を示す図である。    ［図６３Ｂ］アクションモードにおけるウェアラブル装置アセンブリのユーザインターフェースの例を示す図である。    ［図６３Ｃ］アクションモードにおけるウェアラブル装置アセンブリのユーザインターフェースの例を示す図である。    ［図６３Ｄ］アクションモードにおけるウェアラブル装置アセンブリのユーザインターフェースの例を示す図である。
【図６４】アクションモードにおけるウェアラブル装置アセンブリのユーザインターフェースの例を示す図である。
【図６５】アクションモードにおけるウェアラブル装置アセンブリのユーザインターフェースの例を示す図である。
【図６６】位置が検出される処理の例を示す図である。
【図６７】ウェアラブル装置アセンブリにおけるユーザインターフェースの別例を示す図である。
【図６８】ウェアラブル装置アセンブリにおけるユーザインターフェースの別例を示す図である。
【図６９】ウェアラブル装置アセンブリにおけるユーザインターフェースの別例を示す図である。
【図７０】ウェアラブル装置アセンブリにおけるユーザインターフェースの別例を示す図である。
【図７１】ウェアラブル装置アセンブリにおけるユーザインターフェースの別例を示す図である。
【図７２】ウェアラブル装置アセンブリの設定・登録処理の例を示す図である。
【図７３Ａ】設定・登録ユーザインターフェースの例を示す図である。
【図７３Ｂ】設定・登録ユーザインターフェースの例を示す図である。
【図７３Ｃ】設定・登録ユーザインターフェースの例を示す図である。
【図７３Ｄ】設定・登録ユーザインターフェースの例を示す図である。
【図７３Ｅ】設定・登録ユーザインターフェースの例を示す図である。
【図７３Ｆ】設定・登録ユーザインターフェースの例を示す図である。
【図７３Ｇ】設定・登録ユーザインターフェースの例を示す図である。
【図７４Ａ】ウェアラブル装置アセンブリの設定・登録処理の別例を示す図である。    ［図７４Ｂ］登録・構成・設定インターフェースの例を示す図である。    ［図７４Ｃ］登録・構成・設定インターフェースの例を示す図である。    ［図７４Ｄ］登録・構成・設定インターフェースの例を示す図である。    ［図７４Ｅ］登録・構成・設定インターフェースの例を示す図である。    ［図７４Ｆ］登録・構成・設定インターフェースの例を示す図である。    ［図７４Ｇ］登録・構成・設定インターフェースの例を示す図である。    ［図７４Ｈ］登録・構成・設定インターフェースの例を示す図である。    ［図７４Ｉ］登録・構成・設定インターフェースの例を示す図である。    ［図７４Ｊ］登録・構成・設定インターフェースの例を示す図である。    ［図７４Ｋ］登録・構成・設定インターフェースの例を示す図である。    ［図７４Ｌ］登録・構成・設定インターフェースの例を示す図である。    ［図７４Ｍ］登録・構成・設定インターフェースの例を示す図である。    ［図７４Ｎ］登録・構成・設定インターフェースの例を示す図である。    ［図７４Ｏ］登録・構成・設定インターフェースの例を示す図である。    ［図７４Ｐ］登録・構成・設定インターフェースの例を示す図である。
【図７５】ウェアラブル装置アセンブリの使用準備ができた旨を示すメッセージの例を示す図である。    ［図７６］ウェアラブル装置アセンブリの使用準備ができた旨を示すメッセージの例を示す図である。    ［図７７］ウェアラブル装置アセンブリの使用に係る情報表示の例を示す図である。    ［図７８Ａ］活動追跡アプリケーションへのログインおよびカスタマイズ用のインターフェースの例を示す図である。    ［図７８Ｂ］活動追跡アプリケーションへのログインおよびカスタマイズ用のインターフェースの例を示す図である。    ［図７８Ｃ］活動追跡アプリケーションへのログインおよびカスタマイズ用のインターフェースの例を示す図である。    ［図７８Ｄ］活動追跡アプリケーションへのログインおよびカスタマイズ用のインターフェースの例を示す図である。    ［図７８Ｅ］活動追跡アプリケーションへのログインおよびカスタマイズ用のインターフェースの例を示す図である。
【図７８Ｆ】活動追跡アプリケーションへのログインおよびカスタマイズ用のインターフェースの例を示す図である。    ［図７８Ｇ］活動追跡アプリケーションへのログインおよびカスタマイズ用のインターフェースの例を示す図である。    ［図７９］活動追跡アカウントを少なくとも１つのソーシャルネットワーキングサービスに関連付けるインターフェースの例を示す図である。    ［図８０］活動追跡アカウントを少なくとも１つのソーシャルネットワーキングサービスに関連付けるインターフェースの例を示す図である。    ［図８１］活動追跡アカウントを少なくとも１つのソーシャルネットワーキングサービスに関連付けるインターフェースの例を示す図である。    ［図８２Ａ］ユーザプロフィールインターフェースの例を示す図である。    ［図８２Ｂ］ユーザプロフィールインターフェースの例を示す図である。    ［図８２Ｃ］アプリケーションモード選択インターフェースの例を示す図である。    ［図８２Ｄ］ユーザプロフィールインターフェースの別例を示す図である。    ［図８３Ａ］目標達成の進捗を追跡および可視化するユーザインターフェースの例を示す図である。    ［図８３Ｂ］目標達成の進捗を追跡および可視化するユーザインターフェースの例を示す図である。    ［図８３Ｃ］目標達成の進捗を追跡および可視化するユーザインターフェースの例を示す図である。    ［図８３Ｄ］目標達成の進捗を追跡および可視化するユーザインターフェースの例を示す図である。    ［図８４Ａ］活動のレベルと目標の追跡に係る通知の例を示す図である。    ［図８４Ｂ］活動のレベルと目標の追跡に係る通知の例を示す図である。    ［図８４Ｃ］活動のレベルと目標の追跡に係る通知の例を示す図である。    ［図８４Ｄ］活動のレベルと目標の追跡に係る通知の例を示す図である。    ［図８４Ｅ］活動のレベルと目標の追跡に係る通知の例を示す図である。    ［図８４Ｆ］活動のレベルと目標の追跡に係る通知の例を示す図である。    ［図８５Ａ］ユーザが最初の評価期間を完了した際に提供されうるインターフェースと情報表示の例を示す図である。    ［図８５Ｂ］ユーザが最初の評価期間を完了した際に提供されうるインターフェースと情報表示の例を示す図である。    ［図８６］ユーザが最初の評価期間を完了した際に提供されうるインターフェースと情報表示の例を示す図である。    ［図８７Ａ］ユーザが最初の評価期間を完了した際に提供されうるインターフェースと情報表示の例を示す図である。    ［図８７Ｂ］ユーザが最初の評価期間を完了した際に提供されうるインターフェースと情報表示の例を示す図である。    ［図８８Ａ］活動目標を決定・設定するインターフェースの例を示す図である。    ［図８８Ｂ］活動目標を決定・設定するインターフェースの例を示す図である。    ［図８９Ａ］現在の目標情報および活動サマリを確認するためのインターフェースの例を示す図である。    ［図８９Ｂ］現在の目標情報および活動サマリを確認するためのインターフェースの例を示す図である。    ［図８９Ｃ］現在の目標情報および活動サマリを確認するためのインターフェースの例を示す図である。    ［図８９Ｄ］現在の目標情報および活動サマリを確認するためのインターフェー���の例を示す図である。    ［図９０Ａ］目標設定インターフェースの別例を示す図である。    ［図９０Ｂ］目標設定インターフェースの別例を示す図である。    ［図９０Ｃ］目標設定インターフェースの別例を示す図である。    ［図９１］目標設定インターフェースの別例を示す図である。    ［図９２］目標設定インターフェースの別例を示す図である。    ［図９３］目標設定インターフェースの別例を示す図である。    ［図９４Ａ］目標設定インターフェースの別例を示す図である。    ［図９４Ｂ］目標設定インターフェースの別例を示す図である。    ［図９５Ａ］プログレスバーを含む進捗追跡インターフェースの例を示す図である。    ［図９５Ｂ］プログレスバーを含む進捗追跡インターフェースの例を示す図である。    ［図９５Ｃ］プログレスバーを含む進捗追跡インターフェースの例を示す図である。    ［図９６Ａ］プログレスバーを含む進捗追跡インターフェースの例を示す図である。    ［図９６Ｂ］プログレスバーを含む進捗追跡インターフェースの例を示す図である。    ［図９６Ｃ］プログレスバーを含む進捗追跡インターフェースの例を示す図である。    ［図９７Ａ］プログレスバーを含む進捗追跡インターフェースの例を示す図である。    ［図９７Ｂ］プログレスバーを含む進捗追跡インターフェースの例を示す図である。    ［図９７Ｃ］プログレスバーを含む進捗追跡インターフェースの例を示す図である。    ［図９８Ａ］ストリーク追跡インターフェースの例を示す図である。    ［図９８Ｂ］ストリーク追跡インターフェースの例を示す図である。    ［図９８Ｃ］ストリーク追跡インターフェースの例を示す図である。    ［図９９］ストリーク追跡インターフェースの例を示す図である。    ［図１００Ａ］記録された活動に情報を関連付けるタグ付けインターフェースの例を示す図である。    ［図１００Ｂ］記録された活動に情報を関連付けるタグ付けインターフェースの例を示す図である。    ［図１００Ｃ］記録された活動に情報を関連付けるタグ付けインターフェースの例を示す図である。    ［図１０１］複数のユーザが活動情報を共有しうる共有インターフェースの例を示す図である。    ［図１０２Ａ］複数のユーザが活動情報を共有しうる共有インターフェースの例を示す図である。    ［図１０２Ｂ］複数のユーザが活動情報を共有しうる共有インターフェースの例を示す図である。    ［図１０３Ａ］複数のユーザが活動情報を共有しうる共有インターフェースの例を示す図である。    ［図１０３Ｂ］複数のユーザが活動情報を共有しうる共有インターフェースの例を示す図である。    ［図１０４Ａ］活動サマリインターフェースの例を示す図である。    ［図１０４Ｂ］活動サマリインターフェースの例を示す図である。    ［図１０４Ｃ］活動サマリインターフェースの例を示す図である。    ［図１０５］活動サマリインターフェースの例を示す図である。    ［図１０６Ａ］記録、トロフィー、およびマイルストーンに係るインターフェースの例を示す図である。    ［図１０６Ｂ］記録、トロフィー、およびマイルストーンに係るインターフェースの例を示す図である。    ［図１０７Ａ］記録、トロフィー、およびマイルストーンに係るインターフェースの例を示す図であ���。    ［図１０７Ｂ］記録、トロフィー、およびマイルストーンに係るインターフェースの例を示す図である。    ［図１０８Ａ］記録、トロフィー、およびマイルストーンに係るインターフェースの例を示す図である。    ［図１０８Ｂ］記録、トロフィー、およびマイルストーンに係るインターフェースの例を示す図である。    ［図１０９Ａ］記録、トロフィー、およびマイルストーンに係るインターフェースの例を示す図である。    ［図１０９Ｂ］記録、トロフィー、およびマイルストーンに係るインターフェースの例を示す図である。    ［図１１０Ａ］通知標識の例を示す図である。    ［図１１０Ｂ］通知標識の例を示す図である。    ［図１１１］活動通知の例を示す図である。    ［図１１２Ａ］達成度と成果の追跡インターフェースの例を示す図である。    ［図１１２Ｂ］達成度と成果の追跡インターフェースの例を示す図である。    ［図１１２Ｃ］達成度と成果の追跡インターフェースの例を示す図である。    ［図１１３Ａ］達成度と成果の追跡インターフェースの例を示す図である。    ［図１１３Ｂ］達成度と成果の追跡インターフェースの例を示す図である。    ［図１１３Ｃ］達成度と成果の追跡インターフェースの例を示す図である。    ［図１１４Ａ］達成度と成果の追跡インターフェースの例を示す図である。    ［図１１４Ｂ］達成度と成果の追跡インターフェースの例を示す図である。    ［図１１５］達成度と成果の追跡インターフェースの例を示す図である。    ［図１１６］達成度と成果の追跡インターフェースの例を示す図である。    ［図１１７］活動アプリケーションの設定メニューの例を示す図である。    ［図１１８Ａ］活動アプリケーションの設定インターフェースの例を示す図である。    ［図１１８Ｂ］活動アプリケーションの設定インターフェースの例を示す図である。    ［図１１８Ｃ］活動アプリケーションの設定インターフェースの例を示す図である。    ［図１１９Ａ］活動種目を追跡する表示を含む活動追跡インターフェースの例を示す図である。    ［図１１９Ｂ］活動種目を追跡する表示を含む活動追跡インターフェースの例を示す図である。    ［図１２０Ａ］活動種目を追跡する表示を含む活動追跡インターフェースの例を示す図である。    ［図１２０Ｂ］活動種目を追跡する表示を含む活動追跡インターフェースの例を示す図である。    ［図１２０Ｃ］活動種目を追跡する表示を含む活動追跡インターフェースの例を示す図である。    ［図１２１Ａ］活動種目を追跡する表示を含む活動追跡インターフェースの例を示す図である。    ［図１２１Ｂ］活動種目を追跡する表示を含む活動追跡インターフェースの例を示す図である。    ［図１２１Ｃ］活動種目を追跡する表示を含む活動追跡インターフェースの例を示す図である。    ［図１２２Ａ］活動種目を追跡する表示を含む活動追跡インターフェースの例を示す図である。    ［図１２２Ｂ］活動種目を追跡する表示を含む活動追跡インターフェースの例を示す図である。    ［図１２２Ｃ］活動種目を追跡する表示を含む活動追跡インターフェースの例を示す図である。    ［図１２３Ａ］活動種目を追跡する表示を含む活動追跡インターフェースの例を示す図である。    ［図１２３Ｂ］活動種目を追跡する表示��含む活動追跡インターフェースの例を示す図である。    ［図１２４Ａ］活動種目による活動の内訳を含む活動サマリインターフェースの例を示す図である。    ［図１２４Ｂ］活動種目による活動の内訳を含む活動サマリインターフェースの例を示す図である。    ［図１２４Ｃ］活動種目による活動の内訳を含む活動サマリインターフェースの例を示す図である。    ［図１２５Ａ］活動種目による活動の内訳を含む活動サマリインターフェースの例を示す図である。    ［図１２５Ｂ］活動種目による活動の内訳を含む活動サマリインターフェースの例を示す図である。    ［図１２５Ｃ］活動種目による活動の内訳を含む活動サマリインターフェースの例を示す図である。    ［図１２６Ａ］活動種目による活動の内訳を含む活動サマリインターフェースの例を示す図である。    ［図１２６Ｂ］活動種目による活動の内訳を含む活動サマリインターフェースの例を示す図である。    ［図１２６Ｃ］活動種目による活動の内訳を含む活動サマリインターフェースの例を示す図である。    ［図１２７Ａ］活動種目による活動の内訳を含む活動サマリインターフェースの例を示す図である。    ［図１２７Ｂ］活動種目による活動の内訳を含む活動サマリインターフェースの例を示す図である。    ［図１２７Ｃ］活動種目による活動の内訳を含む活動サマリインターフェースの例を示す図である。    ［図１２８Ａ］活動種目による活動の内訳を含む活動サマリインターフェースの例を示す図である。    ［図１２８Ｂ］活動種目による活動の内訳を含む活動サマリインターフェースの例を示す図である。    ［図１２８Ｃ］活動種目による活動の内訳を含む活動サマリインターフェースの例を示す図である。    ［図１２９Ａ］活動種目による活動の内訳を含む活動サマリインターフェースの例を示す図である。    ［図１２９Ｂ］活動種目による活動の内訳を含む活動サマリインターフェースの例を示す図である。    ［図１２９Ｃ］活動種目による活動の内訳を含む活動サマリインターフェースの例を示す図である。    ［図１３０Ａ］活動種目による活動の内訳を含む活動サマリインターフェースの例を示す図である。    ［図１３０Ｂ］活動種目による活動の内訳を含む活動サマリインターフェースの例を示す図である。    ［図１３０Ｃ］活動種目による活動の内訳を含む活動サマリインターフェースの例を示す図である。    ［図１３１Ａ］活動種目による活動の内訳を含む活動サマリインターフェースの例を示す図である。    ［図１３１Ｂ］活動種目による活動の内訳を含む活動サマリインターフェースの例を示す図である。    ［図１３１Ｃ］活動種目による活動の内訳を含む活動サマリインターフェースの例を示す図である。    ［図１３２Ａ］活動種目による活動の内訳を含む活動サマリインターフェースの例を示す図である。    ［図１３２Ｂ］活動種目による活動の内訳を含む活動サマリインターフェースの例を示す図である。    ［図１３２Ｃ］活動種目による活動の内訳を含む活動サマリインターフェースの例を示す図である。    ［図１３３Ａ］活動種目による活動の内訳を含む活動サマリインターフェースの例を示す図である。    ［図１３３Ｂ］活動種目による活動の内訳を含む活動サマリインターフェースの例を示す図である。    ［図１３３Ｃ］活動種目による活動の内訳を含む活動サマリインターフェースの例を示す図である。    ［図１３４Ａ］活動種目による活動の内訳を含む活動サマリインターフェースの例を示す図である。    ［図１３４Ｂ］活動種目による活動の内訳を含む活動サマリインターフェースの例を示す図である。    ［図１３４Ｃ］活動種目による活動の内訳を含む活動サマリインターフェースの例を示す図である。    ［図１３５Ａ］活動パートナーと共に活動を追跡するインターフェースの例を示す図である。    ［図１３５Ｂ］活動パートナーと共に活動を追跡するインターフェースの例を示す図である。    ［図１３５Ｃ］活動パートナーと共に活動を追跡するインターフェースの例を示す図である。    ［図１３５Ｄ］活動パートナーと共に活動を追跡するインターフェースの例を示す図である。    ［図１３６Ａ］ユーザの活動を他者の活動と比較するインターフェースの例を示す図である。    ［図１３６Ｂ］ユーザの活動を他者の活動と比較するインターフェースの例を示す図である。    ［図１３６Ｃ］ユーザの活動を他者の活動と比較するインターフェースの例を示す図である。    ［図１３７Ａ］活動競争インターフェースの例を示す図である。    ［図１３７Ｂ］活動競争インターフェースの例を示す図である。    ［図１３８Ａ］活動競争インターフェースの例を示す図である。    ［図１３８Ｂ］活動競争インターフェースの例を示す図である。    ［図１３９Ａ］ユーザの活動に係る褒賞や達成を通知するインターフェースの例を示す図である。    ［図１３９Ｂ］ユーザの活動に係る褒賞や達成を通知するインターフェースの例を示す図である。    ［図１４０Ａ］ユーザの活動に係る褒賞や達成を通知するインターフェースの例を示す図である。    ［図１４０Ｂ］ユーザの活動に係る褒賞や達成を通知するインターフェースの例を示す図である。    ［図１４１］チーム志向の目標への進捗を追跡する情報を表示するインターフェースの例を示す図である。
【発明を実施するための形態】
【００１３】
本発明の様々な実施形態の例に係る以下の記載においては、発明の幾つかの態様が実施される様々な装置、システム、状況が図示を通じて示されるとともに、記載の一部をなす添付の図面が参照される。その他特定の部品、装置、システム、状況の構成が利用可能であるとともに、構造的および機能的な変更が本発明の範囲を逸脱しない限りにおいて可能である。「上」、「下」、「前」、「後」、「横」などの語が、発明の特徴および要素の様々な例を描写するために明細書中で用いられる。これらの語は、例えば図中における方向の例に基づいて便宜的に用いられる。発明の範囲に関して、明細書の記載が構造の３次元的な方向を要求するものと解釈されることはない。
【００１４】
（発明の態様についての概説）
本発明は、アスレチック機能を有するウェアラブル電子装置アセンブリを提供する。実施形態の一例においては、ウェアラブル電子装置アセンブリは、装着者にアスレチック情報を伝える発光可能な部分を備えうる。またウェアラブル電子装置アセンブリは、他の装置と（直接的または間接的に）接続可能なデータ送信部を含みうる。一例においては、ウェアラブル電子装置アセンブリは、ＵＳＢコネクタと記憶装置を含みうる。これらは、データの送受信を行なうために他の装置のＵＳＢポートと接続可能とされる。
【００１５】
ある構成においては、ウェアラブル電子装置アセンブリは、ＵＳＢ記憶装置を含みうる。当該装置は、ウェアラブル電子装置アセンブリと他の装置をつなぐコネクタとしても機能しうる。ＵＳＢ記憶装置は、キャリアに接続される。キャリアは、実施形態の一例において、リストバンドである。
【００１６】
ウェアラブル電子装置アセンブリは、ハウジング部をさらに含みうる。ハウジングはコントローラを支持する。コントローラは、電源や回路といった部品と関連付けられている。３軸加速度計を含む様々なセンサが動作可能にコントローラと関連付けられている。ハウジング部は、耐水性かつ耐衝撃性を有する構造とされている。
【００１７】
ある構成においては、コントローラは、ユーザインターフェースを利用しうる。当該ユーザインターフェースは、装置の機能を高める特徴を有している。例えば、ウェアラブル電子装置アセンブリは、ディスプレイを含みうる。当該ディスプレイは、指標システムを含みうる。当該システムにおいては、パフォーマンスデータがユーザに対して表示あるいは伝達可能とされる。ディスプレイは、ＬＣＤスクリーン、ＬＥＤ光源の列からなるディスプレイ、ＬＥＤグラフィカルユーザインターフェースなどを含みうる。
ディスプレイに表示されるデータは、内部固定型のメモリ、またはリムーバブルＵＳＢ記憶装置に保存されうる。またウェアラブル電子装置アセンブリのＵＳＢ装置は、コンピュータに差込み可能であり、パフォーマンスデータが自動的に遠隔サイトやモバイル装置アップロードされうる。アップロードされたデータは、更なる処理、表示や閲覧に供される。
【００１８】
またウェアラブル電子装置アセンブリは、ユーザの腰、手首の周り、腕、手、足首、腿などを含む、身体の様々な箇所に装着されうる。
【００１９】
実施形態の一例においては、ディスプレイは指標システムを含みうる。指標システムは、装置アセンブリを装着したユーザの活動のレベルに対応する情報を表示しうる。指標システムは、情報を提供するために選択的に発光可能な発光素子群を含みうる。各発光素子は、複数の色で発光しうる。ディスプレイと指標システムは、ユーザに指標を表示するために、独立して、あるいは協働して動作しうる。
【００２０】
実施形態の別例においては、ウェアラブル電子装置アセンブリは、スペーサ部材を含みうる。スペーサ部材は、様々なユーザに対応するために、装置のサイズを調節できる。
【００２１】
実施形態のさらに別例においては、ウェアラブル電子装置アセンブリは、ユーザに高度な体験を提供するために、モバイル装置や遠隔ウェブサイトとやり取りしうる。
【００２２】
（発明の具体例）
発明の態様の幾つかについて上記の通り概説したが、本発明に係るアスレチックパフォーマンスをモニタするシステムおよび方法のより詳細な例を、図面を参照しつつ以降の詳細な説明において示す。以降の記載が発明の例についての記載であり、当該記載によって発明を限定的に解釈すべきでないことは、当業者にとって明らかである。
【００２３】
図１は、本発明に係る実施形態の一例としてのアスレチックパフォーマンスの監視およびフィードバックシステム１を利用している人を示す。当該システム１は、アスレチック機能を有するウェアラブル装置アセンブリ１０を含む。後に詳述するように、ウェアラブル装置アセンブリ１０は、３軸加速度計のようなセンサを有し、アスレチック活動やユーザの活動全体をモニタ可能である。
図１に示すように、アスレチックパフォーマンスの監視およびフィードバックシステム１は、センサ２とモバイル装置３も含む。センサ２は、可搬型のものであるか、靴に埋設されている。システム１は、必要に応じて心拍計など他のセンサや装置を含みうる。
後に詳述するように、ウェアラブル装置アセンブリ１０は、無線通信を通じてアスレチックパフォーマンスやユーザの活動全体を記録および監視する。当該目的のために装置アセンブリ１０を単体で使用してもよい。アスレチックパフォーマンスや活動は、様々なパラメータ、指標、生理学的特性を含む。例えば速度、距離、歩数、カロリーのようなエネルギー消費量、心拍数、発汗などが含まれるが、これらに限定されるものではない。このようなパラメータは、ユーザの活動に基づいて獲得されるポイントや通貨として表されうる。
【００２４】
センサ２は、様々な電子部品を有しうる。当該電子部品には、電源、磁気センサ素子、マイクロプロセッサ、メモリ、送信システムなどが含まれる。本実施形態の例においてセンサ２は、図１に示すようにユーザの靴に搭載される。センサ２は、システムの他の要素と併せて使用され、速度や距離などのアスレチックパフォーマンスに係るパラメータのデータを記録する。
センサ２は、米国特許出願公開２００７／０００６４８９号、２００７／０１１９１９号、および２００７／００２１２６９号公報に開示のものでありうる。これらの米国公報は参照として取り込まれ、本明細書の開示の一部とされる。センサ２は、ユーザに関連付けられたデータを収集する力センサアレイの形態もとりうる。当該形態は、例えば米国特許出願公開２０１０／００６３７７８号、および２０１０／００６３７７９号公報に開示されており、これらは参照として取り込まれ、本明細書の開示の一部とされる。
モバイル端末３は、スマートフォンや、その他の携帯表示装置でありうる。ウェアラブル装置アセンブリ１０は、その他のセンサとやり取りや通信が可能である。例えば、衣料内蔵型センサや、競走会やその他のアスレチック競技会のようなイベントに関連付けられたセンサが含まれる。
【００２５】
図２から図６は、図１のウェアラブル装置アセンブリ１０を異なる視点で示す。ウェアラブル装置アセンブリ１０は、ハウジング１２、コントローラ１４、入力ボタン１６、ディスプレイ１８、および指標システム２０を少なくとも含む。コントローラ１４は、電源、センサ群、回路を含む様々な関連する部品群を備えているか、操作可能に接続されている。図２ａは、より大きな標識システム２０を有する装置アセンブリ１０の別例を示す。まず装置アセンブリ１０の構造について以下記載し、次いでその動作について記載する。さらに装置アセンブリ１０と関連するシステムにより提供される追加のユーザエクスペリエンスについて記載する。
【００２６】
ハウジング１２は、リストバンドのようなウェアラブルバンドの形態を呈しており、電源用のコンパートメントを有するインナースパイン部材２２（図６から図９参照）、外装部材２４、および締結部材２６を少なくとも含む。実施形態の一例において、ハウジング１２は、装置アセンブリ１０のサイズを調節する少なくとも１つのスペーサ部材２８を有しうる（詳細は後述）。
【００２７】
図２から図６にさらに示すように、ウェアラブル装置アセンブリ１０は、環状あるいは略円形状を呈している。図示の例においては、ユーザの手首周りに装着する構成とされている。ウェアラブル装置アセンブリ１０は、発明から逸脱しない限りにおいて、その他の様々な形状とされうる。例えば、楕円状、長円状、八角形状、矩形状などである。装置アセンブリ１０は、クリップなどの装置に装着される構成にもされうる。当該装置は、人体に着脱可能とされるか、衣料などの一部とされうる。
ハウジング１２は、略平坦な部分、および両側部に沿う湾曲あるいは面取りされた縁を有しうる。実施形態の一例において、面取りされた縁は、ハウジング１２の一方の側部のみに含まれうる。ハウジング１２の両端は、締結部材２６により結合される構成とされている。
ハウジング１２の外側面は滑らかな質感とされ、内側面（装着者の身体に接触する面）はザラザラとした質感とされうる。一例として、ウェアラブル装置アセンブリ１０の内側面には、摩擦性を増してユーザの手首などの周りで滑ることを防止するためのリブが形成されうる。質感は、内側面全体で均一とされても非均一とされてもよい。例えば、ハウジング１２の両端に形成された締結部材２６から離れた部分のみリブなどが形成されうる。別例として、外側面にそのような質感が施され、内側面が滑らかとされてもよい。様々な質感の組合せと構成が採用されうる。さらに別例として、ハウジング１２は、吸汗部材あるいは乾燥材を内側面に備えうる。
【００２８】
図７から図９に示すように、スパイン部材２２は、ほぼ非可撓性の部分と、ある程度柔軟な部分あるいは領域とを有する部材である。後述するように、スパイン部材２２は、少なくともコントローラ１４の部品を支持する。スパイン部材２２は、様々な部品が装着されたシャーシ部材ともみなしうる。
スパイン部材２２は、外側面３０と内側面３２を有する湾曲形状を呈している。スパイン部材２２は、第１端部３６から第２端部３８へ延びる中間部３４を有する。中間部３４は、中央部４０、第１セグメント４２、および第２セグメント４４を有する。中間部３４は、第１可撓部４６と第２可撓部４８をさらに有する。第１可撓部４６は、中央部４０の一端と第１セグメント４２を接続する。第２可撓部４８は、中央部４０の他端と第２セグメント４４を接続する。これらの可撓部４６、４８は、当該部位においてスパイン部材２２（装置アセンブリ全体）を曲がりやすくする。一方、第１セグメント４２、第２セグメント４４、および中央部４０は、曲がらない、あるいは曲がりにくい部分とされる。
実施形態の一例において、フレキシブルなヒンジ領域とみなされうる可撓部４６、４８は、窪み形状を有する湾曲したセグメントである。よってフレキシブル領域は、中央部あるいは基部と、当該部分より延びる、一対の部分とを有する。当該一対の部分は、内側に湾曲した部分を区画する。湾曲セグメントは、窪み形状中央の基部において肉薄とされ、可撓部４６、４８の柔軟性を高めている。
よってスパイン部材２２は、その長さ方向に沿って基本厚みあるいは第１厚みを有する（例えば、非可撓性の中央部４０と第１、第２セグメント４２、４４）。一方、可撓部４６、４８は、より小さな第２厚みｔを有し、スパイン部材２２およびハウジング１２全体の柔軟性を高めている。特に、可撓部４６、４８の基部は、非可撓性の中央部４０と第１、第２セグメント４２、４４よりも小さな厚み寸法を有する。後に詳述するように、可撓部４６、４８は、スパイン部材２２に支持された部品群が中立軸に最も近づかせる。当該中立軸においては、装置アセンブリ１０がユーザの腕に対して着脱される際のストレスが最小化される。
図７から図９に示すように、中間部３４の第１セグメント４２は、第１収容凹部５０を有し、第２セグメント４４は、第２収容凹部５２を有する。これらは湾曲形状を呈している。収容凹部５０、５２は、コントローラ１４用の電源を受け入れる寸法とされている。
図７ａと図７ｂに示す実施形態の一例において、収容凹部５０、５２は、まずチキソ成形された金属部材５５のような金属製の筐体から形成される。収容凹部５０、５２は、鋳造された金属部材、ダイキャスト部材、射出成型された金属部材から形成されてもよい。
キャップの形態を呈する金属製のカバーあるいは蓋部材も、電源用の金属筐体を構成する。バッテリ１４２用の金属筐体を形成するにあたり、対向する金属部材群を用いることが好ましく、バッテリが包囲されていれば、完全な部屋状の空間を形成する必要はない。
まず収容凹部５０、５２がチキソ成形され、次いでスパイン部材２２の残りの部分が当該収容凹部を覆うようにチキソ成形されうる。スパイン部材２２の一部は、収容凹部５０、５２の底部をなすチキソ成形された部材を覆うように形成されうる。
後述するように、収容凹部５０、５２は、バッテリ端子や接点を受容する一対の開口５９をさらに有する。収容凹部５０、５２の寸法は、図示したものと異なっていてもよく、また相互に異なっていてもよい。よって収容凹部５０、５２は、より大きな容量と寸法を有する電源を収容すべく、より大きな寸法を有しうる。この点については後に詳述する。
【００２９】
後述するように、中間部３４は、外側面３０の近傍に、ディスプレイ１８や標識システム２０とともにコントローラ１４の他の部品をさらに支持する。スパイン部材２２は、標識システムを支持する面取りされた縁を有しうる。スパイン部材２２は、締結機構２６を受容する幾つかの開口を有する。コントローラの部品群をスパイン部材２２に対して装着固定する締結機構２６としては、接着剤やねじ留め具が挙げられる。第１端部３６と第２端部３８は、締結機構２６とスペーサ部材２８を支持する。
【００３０】
実施形態の一例において、収容凹部５０、５２の形成を助けるチキソ成形された部材５５は、マグネシウムからなる。当該部材５５を覆うスパイン部材２２の残りの部分は、ポリポロピレン材料からなる。スパイン部材２２には他の材料も用いうる。バッテリ収容部についても同様である。
図２、図３、図６、および図１９に示すように、外装部材２４は、スパイン部材２２の周囲に配置され、コントローラ１４、ディスプレイ１８、および標識システム２０を包み込む。実施形態の一例において、外装部材２４は、射出成型プロセスにより形成される熱可塑性エラストマ部材である。詳しくは後述する。そのため外装部材２４は、環状形態を保つように回復性のある弾性を有する。
外装部材２４は、全体的に湾曲した外表面５６と全体的に平坦な内表面５８を有している。外装部材２４の内側部分と外側部分は、それぞれ装置アセンブリ１０の内径と外径を規定しているともみなせる。外表面５６は、カーブを形成しつつも平坦に見える程度に大き目の曲率半径を有する。側縁は、外表面５６よりも小さい曲率半径を有し、面取りされた縁は、さらに小さな曲率半径を有する。外装部材２４の表面同士は、装置の様々な部品を収容する内側空間をさらに形成する一方、最小の断面積を維持している。
外装部材２４は、面取りされた側縁６０をさらに有する。標識システム２０は、当該面取りされた側縁６０の近傍に配置される。ハウジング１２は、必要に応じて、各側縁が面取りされたものとされうる。
外装部材２４は、コントローラ１４とやり取りするための入力ボタンを収容する開口６２を有する。外装部材２４は、ディスプレイ１８の表示部分を収容する第１領域６４と、標識システム２０の表示部分を収容する第２領域６６とを有する。外装部材２４の第１領域６４は、当該領域を通じてディスプレイ１８により投影された標識群が視認可能とされるような構造と寸法とを有する。外装部材２４の第２領域６６は、当該領域を通じて標識システム２０により投影された標識群が視認可能とされるような構造と寸法とを有する。
外装部材２４は、暗い見た目を提供する着色剤を含んでいる。着色剤の量は、外装部材２４により包装される部品群が見えなくなる程度に調整される。しかしながら、ディスプレイ１８と標識システム２０が起動されると、光は外装部材２４を容易に通過して、視認可能とされる。例えば、実施形態の一例において、外装部材２４は、ある程度の比率で着色剤を含んだ半透明の熱可塑性エラストマとされる。
外装部材２４は、全体として透明ではあるが、ある程度の量の黒顔料を含む材料からなる構成としてもよい。この場合、外装部材２４の内部の部品群は視認できないが、ディスプレイ１８と標識システム２０が起動されると、発光する部材群が外装部材２４を通じてはっきりと視認される。すなわち、内部の部品群は肉眼では視認されないが、ディスプレイ１８や標識システム２０は、その起動時に外装部材２４を通じて視認可能とされる。
また装置アセンブリ１０は、ディスプレイ１８と標識システム２０の一方が常時視認可能であり、他方が起動時にのみ視認可能となるように構成されうる。例えば、ディスプレイ１８は日時を示すために常時視認可能とされる一方、標識システム２０は起動時にのみ視認可能とされうる。
外装部材２４は、様々な着色剤を含む無色の材料とされうる。特定の色は、装置アセンブリ１０を特定の用途やイベントのためにデザインされたものであると示しうる。第１領域６４と第２領域６６は、透明とされうる。実施形態の一例においては、暗めの色で着色されたこれらの領域を通じて、ディスプレイ１８と標識システム２０が発光する。あるいは、ディスプレイ１８と標識システム２０を視認するための開口群が第１領域６４と第２領域６６に形成されうる。
外装部材２４の内表面５８は、スパイン部材２２に支持された電源の位置の近くに第１開口６８と第２開口７０を有する。第１開口６８は、第１キャップ７２に覆われるか、蓋部材が留め具により固定される。第２開口７０は、第２キャップ７４に覆われるか、蓋部材が留め具により固定される。第１キャップ７２と第２キャップ７４は、金属材料で形成され、金属製の収容凹部５０、５２と協働して、後述する電源用の金属筐体をなす。
外装部材２４は、様々な材料で形成されうる。材料としては、様々なポリマー、プラスチック、ゴム、熱可塑性エラストマ、熱可塑性ウレタン、液体シリコン、合成ゴム材、成形可能な弾性材料、合成物などが挙げられる。合成物は、ネオプレン（登録商標）、プラスチック、繊維、金属同士の合成物、あるいはこれらの組合せによる合成物でありうる。例えば、材料には熱可塑性ポリウレタンや熱可塑性ゴムが含まれうる。
ウェアラブル装置アセンブリ１０により形成されるループ形状が、破損することなく拡開するように、使用される材料は、柔軟性をもたらすものでもあるとよい。
後に詳述するように、スパイン部材２２とこれに支持される部品群には、外装部材２４と接着されやすくするために、接着促進剤が用いられうる。
スパイン部材２２と外装部材２４については、後に装置アセンブリ１０を形成するプロセスについて述べる際に、より詳しく説明する。
【００３１】
図６、図１０、および図１１に示すように、締結部材あるいは留め具２６は、少なくとも第１突出部材９０と第２受け部材９２を含む。第１突出部材９０は、ハウジング１２の第１端部の近傍に配置される。第２受け部材９２は、ハウジング１２の第２端部の近傍に配置される。当該部材９０、９２は、必要に応じてハウジング１２の両端部に配置されうる。
第１突出部材９０は、データ転送のための入出力部材９４を内蔵している。実施形態の一例において、当該部材はほぼ非可撓性の本体９６を有するＵＳＢコネクタ９４の形態をとる。ＵＳＢコネクタ９４は、本体９６の上面に埋設された複数のリード群９８を含む。リード群９８は、操作可能にコントローラ１４と接続されるコネクタを有する。図１０ｃに示すように、第１突出部材９０は、リード群９８の反対側にある本体９６の底面に位置する凹部１００をさらに有する。凹部１００は、係合面１０２を区画する。
【００３２】
図６、図１１ａ〜図１１ｆに示すように、第２受け部材９２は、開口１０４を区画し、回動部材１０６を支持する。支持部材１０６は、指部１０８を有し、当該指部１０８を係止位置へ付勢するバネ１１０を含む。第２受け部材９２は、開口１０４と逆側の端部に一対の突起部材１２０をさらに有する。突起部材１２０は、傾斜あるいは湾曲したカム面１２２を有する。スロット１２４が突起部材１２０の長さ方向に沿って形成されている。
【００３３】
図１１ａ〜図１１ｆに示すように、第１突出部材９０は、本実施形態においてはスパイン部材２２の一端に接続されうる第２受け部材９２内に受容される。まず指部１０８が回動して係止位置から離れる方向に付勢される。指部１０８が凹部１００を一旦通過すると、指部１０８はバネ１１０によって凹部１００内の係止位置へ付勢される。すると装置アセンブリ１０は、指部１０８が係合面１０２の当接可能となる閉じ位置に至る。当該位置において装置アセンブリ１０は、閉じた環状の形態となる。
実施形態の一例において、締結部材２６は、ＵＳＢコネクタ９４を内蔵している。しかしながら、他の通信用接続構成も採用されうる。例えば、マイクロＵＳＢコネクタ、ファイヤーワイヤー（登録商標）ポート、１６ピンポートなどの物理的接触を伴う接続、あるいは、ワイファイ（登録商標）、ブルートゥース（登録商標）、近距離通信、ＲＦＩＤ、ブルートゥースローエナジー（登録商標）、ジグビー（登録商標）などの無線通信技術用の無線あるいは非接触通信インターフェース、赤外線通信技術や光通信技術用のインターフェースが利用されうる。
装置アセンブリ１０は、通信やデータ転送を、ＵＳＢコネクタ９４のようなデータ転送部材のみを用いて行なうように構成されてもよく、無線通信のみを用いて行なうように構成されてもよく、無線通信と様々なタイプのプラグイン通信の双方を組み合わせて行なうように構成されてもよい。
【００３４】
図１０ａ〜図１０ｃは、ＵＳＢコネクタ９４を示す別図面である。ＵＳＢコネクタ９４は、操作性を保ちつつも、より美しく、アスリートにとってより魅力的な構造的特徴を有している。従来のＵＳＢコネクタにおいては、リード群は不揃いの間隔で並び、矩形状であり、かつ各端部の位置が揃っていない。図１０ａに示すように、ＵＳＢコネクタ９４のリード群９８は、本体９６を横切るように等間隔で並んでいる。またリード群９８は、本体９６の上面１１４に対して窪んでいる。さらに、角のとれた形状の開口群１１６が本体９６に形成されて等間隔に並んでいるとともに、開口群１１６の両端位置は揃っている。
リード群９８は、開口群１１６により露出している。リード群９８は本体９６の上面１１４に対して窪んでいるため、各リード９８は、本体９６の上面１１４の近傍まで盛り上がったリブ１１８を有している。
実施形態の一例において、リード群９８は、金型内に配置される。材料が金型内のリード群９８の周囲に射出成型され、形と位置が揃い、角のとれた形状の開口群１１６を有する本体９６を形成する。このような構成により、改良されたＵＳＢコネクタ９４が得られる。
【００３５】
装置アセンブリ１０は、その周長が可変とされている。すなわち、装置アセンブリ１０は、例えばサイズの異なるユーザの手首に巻けるように、大小様々なループを形成できる。そのためハウジング１２は、図１２および図１３に示すように、スペーサ部材２８あるいは拡張部材２８を内蔵しうる。スペーサ部材２８は、単数でも複数でもよい。あるいは全く使用せずに、ハウジング１２の両端に接続された締結機構を有するのみでもよい。
スペーサ部材２８は、ハウジング１２の一端および締結機構２６の受け部材９２の一端と結合して装置アセンブリ１０の周長を増大させる。スペーサ部材２８は、本体１３０を有している。本体１３０は、その一端に一対の開口１３２を有している。一対の開口１３２は、締結部材２６の受け部材９２に配置された一対の突起部材１２０を受容する寸法とされている。本体１３０は、開口対１３２の近傍にて回転爪１３４を支持する。回転爪１３４は、湾曲したカム面１３５と付勢バネ１３６を有する。回転爪１３４は、図１２ｂに示す締結具とカバー板により、本体１３０の略中央部に固定される。回転爪１３４は、当該略中央部を中心に回転可能である。
本体１３０の他端は、一対の突起部材１３７を支持する。受け部材９２の突起部材１２０と同様に、突起部材１３７はカム面１３８を有する。図１１ｆと図１３より明らかなように、スペーサ部材２８を用いる場合、突起部材１３７は、ハウジング１２の端部に形成された開口に受容および固定される。ハウジング１２の当該端部は、突起部材１３７に対応する構造を有する。
締結機構２６における受け部材９２が備える一対の突起部材１２０は、スペーサ部材２８の本体１３０が備える一対の開口１３２に挿入される。これにより、受け部材９２の傾斜したカム面１２２が回転爪１３４のカム面１３５に係合し、回転爪１３４が回転する。回転の様子は、図１２ｃにおいて矢印Ａで示す。なお同図においては、明確化のためにカバー板を省略している。これにより突起部材１２０の開口１３２へのさらなる挿入が許容される。
突起部材１２０のスロット１２４が回転爪１３４に並ぶと、回転爪１３４の両端はスロット１２４に受容され、スペーサ部材２８を締結機構２６の受け部材９２に固定する（図１１ｆと図１３を参照）。装置アセンブリ１０からスペーサ部材２８を取り外したい場合に、回転爪１３４を回転させるためのアクセス孔が設けられうる。
サイズを大きくするためには、複数のスペーサ部材２８が使用されうる。サイズを小さくするためには、スペーサ部材２８を取り外せばよい。スペーサ部材２８の長さは、例えば５〜１０ｍｍの範囲で変更可能である。一例として、各スペーサ部材２８の長さは８ｍｍとされうる。別例として、各スペーサ部材２８の長さは６ｍｍとされうる。スペーサ部材２８を使用しない場合、受け部材９２上の突起部材１２０は、ハウジング１２の一端に結合し、固定される。
実施形態の一例において、スペーサ部材２８は、ハウジング１２と同様の構造を有しうる。例えば、本体を覆う熱可塑性部材を有するプラスチックのボディとされる。突起部材１２０は、本体に挿入された金属の一部とされうる。実施形態の一例において、スペーサ部材２８を用いる装置アセンブリ１０の内径は、約１４７〜２２１ｍｍの範囲で可変とされる。
【００３６】
装置アセンブリ１０は、ハウジング１２により支持されたコントローラ１４を有する。コントローラ１４は、様々な部品を有するプリント回路基板１４０を少なくとも含む。様々な部品には、回路、処理ユニット群、データ保存メモリ、コネクタ群、本技術分野において考えられるその他の部品群（図４３参照）が含まれる。
コントローラ１４は、バッテリパックやバッテリの形態である電源１４２、アンテナアセンブリ１４４、センサアセンブリ１４６をさらに含む。コントローラ１４は、音声情報を伝えるためのスピーカといった他の部品群も有しうる。図４３は、コントローラ１４のブロック図であり、後に詳述する別の部品群を示している。
【００３７】
図１４は、プリント回路基板（ＰＣＢ部材）１４０を模式的に示す。実施形態の一例において、ＰＣＢ部材１４０はフレキシブル回路部材である。ＰＣＢ部材１４０は、様々な部品を支持する複数の領域あるいは区域を有する。ＰＣＢ部材１４０は、ディスプレイ１８と標識システム２０が動作可能に接続された中央領域１４０ａをさらに有する。ＰＣＢ部材１４０は、スパイン部材２２の可撓部４６、４８に対応する位置に、可撓領域１４０ｂをさらに有する。他の部品群もＰＣＢ部材１４０に接続されうる。
図１５と図１６に示すように、ＰＣＢ部材１４０は、スパイン部材２２を包むように装着される。ＰＣＢ部材１４０をスパイン部材２２に固定するに際しては、締結具も用いられうる。接続により、ＰＣＢ部材１４０の中央領域１４０ａは、スパイン部材２２の中間部３４に対応する。ＰＣＢ部材１４０は、可撓部４６、４８の外郭を含むスパイン部材２２の外郭に概ね沿うように延びる。よって可撓領域１４０ｂは、スパイン部材２２の可撓部４６、４８の位置に配置され、面係合する。この構成により、ＰＣＢ部材１４０の中立軸近傍への変位が許容され、装置アセンブリ１０が曲げられたときにＰＣＢ部材１４０に作用するストレスが最小化される。
【００３８】
上述のように、ＰＣＢ部材１４０は、コントローラ１４の様々な部品を支持する。例えばＰＣＢ部材１４０は、アンテナアセンブリ１４４とセンサアセンブリ１４６を支持する。ＰＣＢ部材１４０は、データ保存メモリに係る部品群をさらに支持する。データ保存メモリは、センサアセンブリ１４６からの入力を受信する。ＵＳＢコネクタ９４からの入力も同様に受信する。コントローラ１４により保存されたデータは、ＵＳＢコネクタ９４を経由して、コンピュータなどの他の装置に転送もされうる。当該データは、当該コンピュータを経由して遠隔地にも転送されうる（図４４参照）。
【００３９】
ＰＣＢ部材１４０により支持されたアンテナアセンブリ１４４は、他のモバイル装置との通信を支援する。よって装置アセンブリ１０は、モバイル装置群と無線通信が可能である。実施形態の一例において、コントローラ１４は、ブルートゥース通信を利用する。したがってコントローラ１４は、ブルートゥース無線器を有し、装置アセンブリ１０がモバイル装置と無線通信できるようにアンテナアセンブリ１４４を利用する。装置アセンブリ１０は、そのような無線通信に必要な他の部品群も装備している。そのような通信については、後に詳述する。
【００４０】
上述のように、ＰＣＢ部材１４０は、センサアセンブリ１４６を支持する。センサアセンブリ１４６は、複数の異なるセンサを備えうる。実施形態の一例において、センサアセンブリ１４６は、３軸加速度計を備える。後に詳述するように、センサアセンブリ１４６は、装置アセンブリ１０を装着したユーザの活動に対応する動きを検出する。
システム１とコントローラ１４の少なくとも一方は、必要に応じて他のセンサも含みうる。例えば、ユーザに利用されるシステム１は、装置アセンブリ１０と通信する靴内蔵型のセンサを利用しうる。ユーザは、装置アセンブリ１０と通信可能な衣料内蔵型センサも所有しうる。
センサアセンブリ１４６は、心拍数センサを含みうる。心拍数センサは、必要に応じて胸装着型のセンサとされうる。心拍数センサは、装置アセンブリ１０のハウジング１２に内蔵された、ユーザの手首の近くで心拍数を検出するセンサであってもよい。
ＧＰＳセンサなどの他のセンサも利用可能である。他のセンサも装置アセンブリ１０に内蔵されうる。実施形態の一例において、センサは、ジャイロスコープセンサを含みうる。当該センサは、微小電子機械システム（ＭＥＭＳ）型のジャイロスコープセンサとされうる。
加速度計のように装置内の他のセンサと協働するセンサは、進歩した機能や対応性を提供し、また検出されるユーザの動きに対する差別化をもたらす。
【００４１】
上述のように、コントローラ１４は、バッテリの形態である電源１４２を含む。仕様に応じてバッテリは単数でも複数でもよい。単一のバッテリを用いる場合、装置アセンブリ１０に係る他の部品群を支持する他の領域を有するフレキシブル回路部材が用いられうる。しかしながら本実施形態において、電源１４２は一対のバッテリを用いる。
図６と図２０から明らかなように、一対のバッテリ１４２は、湾曲した形状を呈する、ほぼ非可撓性の部材である。バッテリ１４２の表面は、湾曲した平面をなしている。第１のバッテリ１４２は、スパイン部材２２の第１収容凹部５０内に配置され、第２のバッテリ１４２は、スパイン部材２２の第２収容凹部５２内に配置される。一対のバッテリ１４２は、収容凹部５０、５２の深さにほぼ対応する厚みを有する。一対のバッテリ１４２は、スパイン部材２２の内側面３２とほぼ同一面をなしている。一対のバッテリ１４２は、コントローラ１４と動作可能に接続され、装置アセンブリ１０に電力を供給する。
図２０に示すように、バッテリ１４２は、弾性を有する立ち上がり部１４８を有する。立ち上がり部１４８は、一対の丸みを帯びた突起１４９、および一対の接点１５０を有する。各接点１５０は、各突起に貼り付けられている。
一対のバッテリ１４２が収容凹部５０、５２内に配置されると、接点１５０は、収容凹部５０、５２の開口５９を通過して延び、ＰＣＢ部材１４０と係合して装置アセンブリ１０に電力を供給する。
キャップ７０、７４がスパイン部材２２に対して締め付けられると、突起１４９と接点１５０は、ＰＣＢ部材１４０に対して弾性的に押し付けられ、より安定した導電接触をもたらす。各バッテリ１４２がこのような立ち上がり部材１４８を利用する。実施形態の別例においては、導電性エポキシ部材が接点１５０の接着に用いられうる。
バッテリ容量と充電が必要となるまでの装置寿命を増大させるために、バッテリ１４２の全体寸法と収容凹部５０、５２は大きくされうる。非可撓性のバッテリ１４２は、スパイン部材２２におけるより堅牢な第１セグメント４２と第２セグメント４４に装着されることが好ましい。スパイン部材２２の可撓領域４６、４８は、セグメント４２、４４とバッテリ１４２を蝶番状に回動可能とする。これにより、装置アセンブリ１０のハウジング１２に柔軟性がもたらされる。
【００４２】
図２〜図６、および図１６〜図１９に示すように、装置アセンブリ１０は、装置の操作を支援する押下可能な入力ボタン１６を含む。図１７と図１８から明らかなように、入力ボタン１６は、コントローラ１４と動作可能に接続され、ディスプレイ１８に概ね隣接するようにハウジング１２に支持される。入力ボタン１６は、ハウジング１２の外装部材２４を通じて延びており、ユーザが触れられるようになっている。
入力ボタン１６は、二色成形プロセスにより一体成型された非可撓性のベース部材７６と可撓性のキャップ７８を有している。コントローラ１４とやり取りが可能なタクトスイッチを支持する内部空間７９が、入力ボタン１６により区画される。ベース部材７６は、第１ツール面８２を形成する上リング８０と、キャップ７８に隣接して第２ツール面８６を形成する下リング８４を有する。装置アセンブリ１０を形成するプロセスの間、スパイン部材２２、およびこれに支持される部品群の周りに外装部材２４が射出成型されるとき、第１ツール面８２と第２ツール面８６は、きつく面係合してツールを形成する。この係合は、型内に射出された材料が入力ボタン１６の内部空間７９内に流れ込むのを防ぐ。これにより入力ボタン１６の誤動作が防止される。入力ボタン１６経由で行なわれる入力操作によりもたらされる装置アセンブリ１０の動作については、後に詳述する。
【００４３】
図２、図１５、および図１６に示すように、装置アセンブリ１０のディスプレイあるいはディスプレイシステム１８は、ハウジング１２に支持され、コントローラ１４と動作可能に接続される。ディスプレイ１８は、装置アセンブリ１０またはハウジング１２の発光可能部とみなされうる。
ディスプレイシステム１８は、独立した複数の発光素子または発光部材（実施形態の一例においてはＬＥＤ素子群１５２）を含みうる。ＬＥＤ素子群１５２は、アレイを形成し、ＰＣＢ部材１４０の中央部と動作可能に接続されうる。ＬＥＤ素子群１５２は、各ＬＥＤ素子を様々な組合せで発光させることで単語、文字、数字、記号などが形成されるように、配列されうる。例えば、ＬＥＤ素子群１５２は、所定の行数と列数を有するマトリクスを形成するように配列されうる。
ハウジング１２の外装部材２４は、ＬＥＤ素子群１５２を包囲および保護する。上述のように、外装部材２４は、第１領域６４（図１９参照）を有する。第１領域６４は、ＬＥＤ素子群１５２の位置に対応しており、ＬＥＤ素子が発光すると、外装部材２４を通じてその光が見える。実施形態の別例として、第１領域６４は、透明あるいはほぼ透明とされうる。すなわち、第１領域６４は、独立的かつ個別的でありうる。例えば、発光領域の各々は、外装部材２４の不透明または半透明の部分により包囲され、各ＬＥＤ素子１５２からの発光が混じり合わないようにされる。
【００４４】
ディスプレイシステム１８は、装置アセンブリ１０の全周長における一部にのみ形成されうる。例えば図２に示すように、装置アセンブリ１０の頂部あるいは中央部を占有する。頂部あるいは中央部とは、締結機構２６の反対側である。
ディスプレイシステム１８の大きさ、すなわちＬＥＤ素子群１５２の数、マトリクスの行数および列数、全体の幅や長さは、一度に表示されるデータの最大量、使用されるフォントや文字の大きさ、あるいはそれらの組合せに基づいて定められる。一例として、ディスプレイシステム１８は、５列、計２０個のＬＥＤ素子群１５２から構成されうる。ここで各列は装置アセンブリ１０の長手方向とほぼ平行に延びる。
なお外周の全長（例えば、装置アセンブリ１０の外側を向く面における長さ）は、１７４〜１８２ｍｍの範囲とされうる。
ディスプレイ１８は、装置アセンブリ１０がブルートゥース通信のような無線通信をモバイル装置と実行中であることを示す発光部材を含みうる。
【００４５】
図２、図１５、および図１６に示すように、装置アセンブリ１０の標識システム２０は、ハウジング１２に支持され、コントローラ１４と動作可能に接続される。標識システム２０は、ディスプレイ１８全体の一部あるいは部品とみなされうる。標識システム２０は、第１ディスプレイと第２ディスプレイを含みうる。標識システム２０は、ディスプレイ１８と協働して、あるいはディスプレイ１８とは完全に独立して動作し、発光しうる。
標識システム２０は、別の複数の発光素子群あるいは発光部材群１６０（実施形態の一例においては、ＬＥＤ素子群）を含みうる。発光素子群１６０は、コントローラ１４と動作可能に接続され、ＰＣＢ部材１４０に支持される。標識システム２０は、ハウジング１２の側縁付近に配置される。一例として、標識システム２０は、計２０個の発光素子群１６０を含みうる。別例として、発光素子群１６０は、装置アセンブリ１０のハウジング１２における両側縁に沿って配列されうる。
実施形態の一例において、発光素子群１６０は、直線的に配列される。標識システム２０における発光素子群１６０は、ディスプレイシステム１８における発光素子群１５２とは異なった配列とされうる。形状、大きさ、外観などの相違は、ユーザに伝えられる情報の種類を特定できるようにしうる。例えば発光素子群１６０は、ハウジング１２の面取りされた側縁６０の少なくとも１つに沿って配列されうることにより、ユーザによる視認を容易にする。装置アセンブリ１０の側部や縁部が丸められている例においては、丸められた縁部の湾曲した輪郭に沿って発光素子群１６０が配列されうる。これにより、装着時において発光素子群１６０からの光が見える。例えば、装置アセンブリ１０が装着されるユーザの手首や身体の一部から離れる方向において光が見える。
ディスプレイ１８の発光素子群１５２に係る構成と同様に、外装部材２４は、第２領域６６（図１９参照）を有する。第２領域６６は、発光素子群１６０の位置に対応している。標識システム２０の発光素子群１６０から出射された光は、第２領域６６において、外装部材２４を通じて見える。実施形態の別例として、第２領域６６は、透明あるいはほぼ透明とされうる。
例えば、発光素子群１６０により形成される照明の外観は、外装部材２４における対応部分の大きさ、形状、透明度などの外観的属性により定められうる。例えば、発光素子群１６０が実際には円形状（円形の電球）であったとしても、外装部材２４の発光部として透明な矩形領域を用いれば、矩形の表示器を構成できる（図２ａ参照）。
表示システム２０の発光素子群１６０は、装置アセンブリ１０の外周部分に沿って配置されうる。一例として、ディスプレイ１８の長さとほぼ同じ長さだけ配置されうる。標識システム２０とディスプレイ１８の発光素子群同士の間隔は、同様とされうる。発光部材１６０の配列長さは、全周長の半分でもよいし、３分の１でもよいし、４分の３でもよい。発光素子群１６０は、装置アセンブリ１０のほぼ全周長にわたって配列されてもよい。
発光素子群１６０は、複数のセグメントを形成すべくグループ化されたものを含みうる。異なるセグメントは、異なる発光の仕方をされうるが、詳細は後述する。発光素子群１６０の各々は、ディスプレイにおける独立かつ別個のセグメントとみなしうる。
ディスプレイ１８と標識システム２０に係る上記の構成によれば、ディスプレイ１８は光を第１方向に出射可能であり、標識システム２０は光を第２方向に出射可能である。ここで第１方向と第２方向は異なる。実施形態の一例において、第２方向は、第１方向と交差する向きでありうる。上述の発光素子群は、提供する発光特性に応じた適宜の形状と構造を有しうる。
【００４６】
図３９〜図４２は、本発明に係るウェアラブル装置アセンブリを造る成形プロセスを模式的に示す。図３９において、第１成形型１７０は、ウェアラブル装置アセンブリ１０のスパイン部材２２を造るために用いられうる。上述のように、スパイン部材２２の構造的特徴は、ウェアラブル装置アセンブリ１０における様々な電子部品と非電子部品の装着、挿入、および結合を許容する。スパイン部材２２は、第１成形型１７０内に射出される熱可塑性材料のようなプラスチック材料から成形されうる。スパイン部材２２は、可撓部に対応する数箇所において肉薄とされうる。これにより当該箇所に可撓性が与えられる。一方、バッテリを支持するセグメントなどに対応する他の部分は、肉厚とされうる。これにより当該箇所に剛性が与えられる。また回路や発光素子（ＬＥＤなど）のような電子部品群は、破損を避けるためにより剛性の高い個所に装着されうる。
続いてスパイン部材２２に対して、上述した他の部品群が組み付けられる。例えば、バッテリパック１４２、回路群、ディスプレイ１８、および標識システム２０が、スパイン部材２２に組み付けられうる。
【００４７】
図４０に示すように、様々な部品群の幾つかを支持したスパイン部材２２の組立体は、射出コア１７２に装填され、さらなる射出成型に供されうる。ここではスパイン部材２２の内径あるいは内側部分が射出成型されうる。図４１と図４２に示すように、射出成型を経た組立体は、外側成形型１７４に挿入され、ウェアラブル装置アセンブリ１０の外径あるいは外側部分が射出成型されうる。これにより、ハウジング１２の外装部材２４が完全に形成されうる。次いで装置アセンブリ１０は、射出コア１７２から取り外されうる。
【００４８】
図１〜図６に示す装置アセンブリ１０のような装置を形成するために、他のプロセスも利用されうる。実施形態の一例において、スパイン部材２２を形成するプロセスは、まずバッテリ収容室を形成する工程を含む。図７ａ、図７ｂ、図８ａ、および図８ｂから明らかなように、チキソ成形プロセスに用いられる成形型が用意され、マグネシウムが型内に射出されることにより、チキソ成形された部材５５が形成される。チキソ成形されたマグネシウム部材５５は、金属製のバッテリキャップ７０、７４（図２参照）とともに、バッテリ１４２をほぼ包装する金属製の筐体を構成する。
上述のように、金属部材を形成する他のプロセスが利用されうる。チキソ成形された部材５５は、成形型内に配置される。材料が当該成形型内に射出され、スパイン部材２２を形成する。材料はチキソ成形された部材５５を覆う。材料の一部は、部材５５の内面側を覆うように行き渡る（図７ａ〜図８ｂ参照）。
成形型は、スパイン部材２２におけるほぼ非可撓の部分、可撓部４６、４８、装置アセンブリ１０の様々な部品を受容し、搭載し、支持するその他の部分を形成する形状を含むように構成される。実施形態の一例において、スパイン部材２２の残りの部分を形成するためにチキソ成形された部材５５上に射出される材料は、ポリプロピレンである。
【００４９】
スパイン部材２２が形成されると、他の部品群が接続される。例えば、スパイン部材２２の一端部は、締結機構２６とスペーサ部材２８のいずれかと協働する接続構造に接続されうる。
また上述の構成を有するＵＳＢコネクタ９４が形成される。図１０ａ〜図１０ｃより明らかなように、リード群９８は、スタンピングにより形成された突条１１８を有する。リード群９８が配置された成形型内にプラスチック材料が射出され、リード群９８を取り囲む非可撓性の本体９６が成形される。成形型は、丸角の開口群１１６が形成されることにより、リード群９８が相互に隔離されつつ揃い並ぶように構成される。リード群９８は凹んだ丸角の開口群１１６内に配置されるが、突条１１８は本体９６の上面１１４近傍まで延びている。
成形型は、本体９６の凹部１００を形成するようにも構成されている。ＵＳＢコネクタ９４が成形されると、スパイン部材２２の一端部に接続される。リード群９８の端部は、コントローラ１４と接続が可能な状態とされる（図９参照）。
【００５０】
部品群が装着されたスパイン部材２２は、装置アセンブリ１０の内径部分を被覆成形する型内に挿入されうる。熱可塑性エラストマ材料が型内に射出され、ハウジング１２の内側部分を形成する。ここで接着促進剤が用いられうる。接着促進剤は、熱可塑性エラストマ材料の成型に先立って、スパイン部材２２の内面に塗布される。接着促進剤は、熱可塑性エラストマ材料のスパイン部材２２への接着を促進する。実施形態の一例において、３Ｍ社製の３Ｍプライマー９４が、接着促進剤として用いられる。
成形型は、ハウジング１２の内側部分に開口群が形成されるように構成される。当該開口群は、バッテリ１４２を収容する収容凹部５０、５２に連通する。
【００５１】
次いでスパイン部材２２に装着される他の部品が用意される。図１５と図１６より明らかなように、コントローラ１４のＰＣＢ部材１４０は、必要な回路、他の電子部品群、アンテナ群、３軸加速度計を含むセンサ群を備えている。ディスプレイ１８と標識システム２０もまたＰＣＢ部材１４０に接続される。入力ボタン１６は、二色成形プロセスにより形成される。すなわち非可撓性のベース部材が可撓性のキャップと一体成型される（図１７および図１８参照）。入力ボタン１６もまたＰＣＢ部材１４０に接続される。
ＰＣＢ部材１４０は、スパイン部材２２に接続される。ＰＣＢ部材１４０は、スパイン部材２２に被せられ、可撓部４６、４８を含むスパイン部材２２の外形に沿って面係合される（図６、図１５、および図１６参照）。ＰＣＢ部材１４０は、曲げられつつスパイン部材２２に装着される。上述のように、この構成は、曲げに伴うストレスを最小化する中立軸を提供するものである。
ＵＳＢコネクタ９４におけるリード群９８の端部は、ＰＣＢ部材１４０にはんだ付けされる。バッテリ１４２は、バッテリ収容室に挿入される（図１９および図２０参照）。収容凹部５０、５２の開口５９内に配置された立上り接点は、ＰＣＢ部材１４０に設けられた受け接点と結合する。バッテリカバー部材は、装置アセンブリ１０の内側部分にねじ止めされる（図２参照）。これにより、バッテリの接点は、ＰＣＢ部材１４０につながる接点に対して押し付けられる。
【００５２】
この中間組立体は、次いで別の成形工程のための型に挿入される。当該成形型は、熱可塑性エラストマ材料が入力ボタン１６の内側部分に入り込むことを防止するために第１リング面８２および第２リング面８６と係合するツールを含む（図１７および図１８参照）。熱可塑性エラストマ材料が成形型内に射出され、外装部材２４の形成を完了する。
実施形態の一例において、スパイン部材２２は、ポート開口３８０を有するチューブ構造を含む。当該チューブ構造を通じて材料が注入されることにより、外装部材２４の外側部分が形成される。図１９ａに示すように、ポート開口３８０は、バッテリ収容室５２における傾斜面に設けられ、スパイン部材２２を通じてチューブ構造に連通している。適当な成形型内に配置されると、射出された材料がポート開口３８０を通じて注入され、成形型内を流れて外装部材２４を形成する。ポート開口３８０は、スパイン部材２２の別の箇所に設けられたもう一方のバッテリ収容室内にも配置されうる。ポート開口３８０は、複数であってもよい。これにより、スパイン部材２２に支持された様々な部品が外装部材２４に包装される。
流れ込んだ熱可塑性エラストマ材料は、入力ボタン１６の側面と接するが、材料のさらなる移動は、上記のツールにより阻止される（図６参照）。成形工程が完了すると、締結機構２６の受け部と所望のスペーサ部材２８が装着可能とされる（図２、図３、および図１９参照）。
このような構成によれば、ハウジング１２は容易に可撓性とされ、装置アセンブリ１０をユーザの手首に巻けるようになる。装置アセンブリ１０は、スパイン部材２２の可撓部４６、４８において曲がり、バッテリ１４２を搭載した非可撓セグメントは、追随して動く。外装部材２４の弾性は、撓み変形を容易にする一方で、スパイン部材２２に支持された部品群を保護するのに十分な構造を提供する。
【００５３】
こうして装置アセンブリ１０が形成され、動作可能な状態とされる（図２参照）。動作およびユーザエクスペリエンスについては後述する。
【００５４】
本発明の装置アセンブリ１０は、多くの代替構造・構成を有する。例えば、装置アセンブリ１０に利用可能であり、装置アセンブリ１０の特徴と組み合わせられるハウジング１２、コントローラ１４、ディスプレイ１８、および標識システム２０の様々な部品に係る別実施形態を、図２１〜図３８に示す。
【００５５】
図２１ａ〜図２１ｄは、本発明の装置アセンブリ１０に用いられうるスパイン部材とバッテリの別実施形態を模式的に示す側面図である。同様の構造については同様の参照番号を付与する。
スパイン部材２２ａは、複数の可撓部４６ａ、４８ａとともに、非可撓性あるいはほぼ非可撓性のセグメントあるいは領域４２ａ、４４ａを有する。図２１ａ〜図２１ｄは、スパイン部材２２の肉薄の部分が可撓部であることを示す。肉薄部は、スパイン部材２２ａにおける柔軟性のより高い領域に対応しうる一方、肉厚部は、スパイン部材２２ａにおける柔軟性のより低い、剛性の高い領域に対応しうる。スパイン部材２２ａは、より容易に曲がり、可撓部を軸に蝶番状に変形する。
非可撓性領域４２ａ、４４ａは、回路基板、発光システム、バッテリパック、その他電子アセンブリのような非可撓性の部品を保護可能とするために非可撓とされうる。例えば、非可撓性の領域４２ａ、４４ａの各々は、バッテリパック１４２を収容する。これに加えてあるいは代えて、非可撓性領域４２ａ、４４ａの少なくとも１つは、アスレチック情報を処理、記憶、検知するための回路を収容しうる。ディスプレイ部品は、中央に位置する別の非可撓性領域に配置されうる。当該領域は、バッテリ１４２を支持する非可撓性領域４２ａ、４４ａの間で延びている。非可撓性領域４２ａ、４４ａは、装置アセンブリ１０の所定量だけの拡開を許容する程度の、制限された可撓性を有しうる。
【００５６】
図２１ａ〜図２１ｄよりさらに明らかなように、バッテリパック１４２の長さは、バッテリ容量に応じて増減調整されうる。バッテリパック１４２の長さが変わることにより、ディスプレイ部品、標識システム部品、コントローラ部品などの長さ寸法などは、影響を受けうる。例えば、バッテリパック１４２の長さが増すと、ディスプレイの大きさが代わりに小さくなる。
同様に、図２１ａ〜図２１ｄにおいて、バッテリパック１４２の厚さは、バッテリ容量や装置寿命を調整すべく変更されうる。装置の長さよりも厚みを増すことにより、可撓領域の大きさは最大化されうる。バッテリパック１４２は装置アセンブリ１０の長さ方向には大きくならないためである。しかしながら、厚みを増加させることは装置の重量や周長の増加につながる。充電が必要になるまで活動を記録し、情報を表示するのに適切な容量を有する装置アセンブリ１０を提供するために、バッテリ１４２および非可撓性セグメントあるいは領域４２ａ、４４ａの寸法は、相互に関連して定められうる。
【００５７】
図２２〜図２３ｃは、本発明の別実施形態に係るコントローラの部品群を示す。同様の部品については同様の参照番号を付与する。ＰＣＢ部材１４０は、コントローラ１４に係る他の部品を支持する。標識システム２０は、独立した発光部材収容室１８０とカバー部材１８２を備えうる。カバー部材１８２は、標識システム２０の発光部材を覆うように配置される。図２３ａ〜図２３ｃに示すように、別のカバー部材１８４がＰＣＢ部材１４０を覆うように配置されうる。同図に示すコントローラは、スパイン部材２２に巻かれ、装着固定されうる。
【００５８】
図２４〜図２７は、装置アセンブリ１０の別実施形態におけるディスプレイの部品群を示す。図２４は、本発明の別実施形態に係るディスプレイを示す分解図である。同様の部品については同様の参照番号を付与する。本実施形態におけるディスプレイ１８は、コントローラ１４のＰＣＢ部材１４０と動作可能に接続された発光部材群１５２を有し、スパイン部材２２に搭載される。
封止部材１９０は、貫通孔を有し、発光部材群１５２の周縁を囲う形状とされる。キャップ部材１９２は貫通孔群を有し、発光部材群１５２を覆うように配置される。当該貫通孔群は、各発光部材１５２に対応するように配置される。さらに一対の透明カバー部材１９４が、キャップ部材１９２を覆うように配置される。透明カバー部材１９４は１枚でもよい。図２４より明らかなように、封止部材１９０、キャップ部材１９２、カバー部材対１９４は、ディスプレイ１８における発光部材群１５２を覆うように配置される。キャップ部材１９２は、封止部材１９０とカバー部材対１９４に挟まれる。発光部材群１５２が点灯されると、光はキャップ部材１９２の貫通孔群を通過し、カバー部材１９４を通じて見える。
【００５９】
図２５ａと図２５ｂは、キャップ部材１９２の詳細を示す。キャップ部材１９２は、ディスプレイ１８における発光部材群１５２を覆うように配置される構成を有する。キャップ部材１９２は、凸状の外面を有する。図２５ｂは、図２５ａに示したキャップ部材１９２を下方から見た図である。キャップ部材１９２は、ディスプレイ１８の発光部材群１５２の位置に概ね対応する開口群を有する。
図２６に示すように、各開口は、キャップ部材１９２の下側まで延びる貫通孔１９６に連続している。図２６と図２７に示すように、各貫通孔１９６は、円錐台形状を有する。貫通孔１９６の底部は、ディスプレイ１８の発光部材１５２を完全に囲む寸法とされる。図２６および図２７から明らかなように、キャップ部材１９２は発光素子群１５２を覆うように配置され、各発光部材１５２は、キャップ部材１９２の各貫通孔１９６内に配置される。
装置アセンブリ１０の外装部材２４は、キャップ部材１９２を覆うように配置される。外装部材２４の構造および寸法は、発光部材１５２が点灯された際に、外装部材２４を通じて光が見えるように定められる。図２７に示すように、円錐台形状の貫通孔１９６は、発光部材１５２が点灯されると、開口および外装部材２４を通じて集光されるように光の反射を支援する。外装部材２４が開口を有し、透明カバー部材１９４が当該開口の下方で延びる構成としてもよい。この場合、発光部材群１５２が当該開口を通じて見える。
【００６０】
図２８と図２９は、ディスプレイの別実施形態を示す。図２８においては、薄く透明なカバー部材１９８がディスプレイの発光部材群１５２を覆うように配置される。連結されたキャップ群を有するキャップ部材２００は、光源群を覆うように配置される。各キャップは、各発光部材に被せられる寸法とされる。図２９は、発光部材群１５２を覆う、透明なカバー部材２０２を利用するディスプレイを示す。開口群を有するキャップ部材２０４は、カバー部材２０２を覆うように配置される。
【００６１】
図３０は、ＵＳＢコネクタ９４の部分断面図である。ＵＳＢコネクタ９４は、スパイン部材２２の先端に接続される。ＵＳＢコネクタ９４は、それぞれ突条を含むリード群９８を有する。同図にさらに示すように、リード群９８は、スパイン部材２２を通じて延びているコネクタ群に接続される。当該コネクタ群は、コントローラ１４と動作可能に接続される。
【００６２】
図３１〜図３３は、本発明の装置アセンブリ１０に用いられうる締結機構の別例を示す。締結機構３００は、装置アセンブリ１０のハウジング１２とともに動作可能な協働部品群を有する。締結部材３００は、少なくとも突出部材３０２と受け部材３０４を有する。先の実施形態と同様に、締結機構３００はＵＳＢ装置を内蔵する。当該ＵＳＢ装置は、その一方側が装置アセンブリ１０のハウジング１２の一端に装着され、その他方側がハウジング１２の受け端に接続されるように構成されている。
例えば、図３１ａと図３１ｂに示すように、突出部材３０２に内蔵されたＵＳＢコネクタ３０６は、受け部材３０４に挿入可能とされている。ＵＳＢコネクタ３０６は、先の実施形態と同様の構造であり、リード群を有する。受け部材３０４は、開口あるいはスロット３０８を有する。その大きさと形状は、ＵＳＢコネクタ３０６の大きさと形状に対応する。受け部材３０４の開口３０８は、ばね付勢された留め具３１０を含みうる。当該留め具３１０は、受け部材３０４に挿入されたＵＳＢコネクタ３０６を係止する構成とされている。開口あるいはスロット３０８は、受け部材３０４の長手方向全体にわたって延びている。受け部材３０４の長さは、ＵＳＢコネクタ３０６の全長よりも短くされうる。一例として、受け部材３０４の長さは、ＵＳＢコネクタ３０６の長さの約２分の１あるいは３分の１に対応しうる。ばね付勢された留め具３１０は、受け部材３０４の後部から離れるように延び、ＵＳＢコネクタ３０６が受け部材３０４に全挿入されたとき、ＵＳＢコネクタ３０６の一部に並ぶ。
【００６３】
図３２ａは、受け部材３０４の内部を示す。留め具３１０は、ばね３１２の周りを回動する。ばね３１２は、留め具３１０を係止位置へ付勢する。留め具３１０は、爪３１４とボタン３１６も有する。ボタン３１６は留め具３１０を有効にするためのものである。爪３１４は、ボタン３１６の押下方向と逆向きに回動する。ボタン３１６を押下することで、爪３１４はＵＳＢコネクタ３０６から退避されうる。これにより、ＵＳＢコネクタ３０６が受け部材３０４から取り外し可能とされる（図３１ａおよび図３１ｂ参照）。
【００６４】
図３２ｂは、受け部材３０４の留め具３１０と係合するように構成されたＵＳＢコネクタ３０６の底面を示す。ＵＳＢコネクタ３０６の底面は、係合面３２０を区画する凹部３１８を有する。ＵＳＢコネクタ３０６が挿入されると、留め具３１０は係合面３２０と係合するように構成されている。図示の例においては、凹部３１８は、リード群とは逆側に位置するＵＳＢコネクタ３０６の表面に形成されている。
【００６５】
受け部材３０４は、ＵＳＢコネクタ３０６の全長よりも短くされうるため、装置アセンブリ１０のハウジング１２の端部は開口を有する。当該開口は、受け部３０４に挿入されても露出したままであるＵＳＢコネクタ３０６の長さと等しい長さを有しうる。
【００６６】
図３３ａ〜図３３ｄは、ウェアラブル装置アセンブリ１０のハウジング１２の一端に装着された受け部材３０４にＵＳＢコネクタ３０６が挿入されるプロセスを示す。
図３３ａにおいて、初めに留め具３１０は、爪３１４がハウジング１２の開口内に突出するように付勢されている。ＵＳＢコネクタ３０６が受け部材３０４の開口３０８に挿入され、次いで図３３ｂに示すようにハウジング１２の開口に挿入されるにつれて、爪３１４の傾斜面に接触するＵＳＢコネクタ３０６により、爪３１４が押し下げられうる。凹部３１８が留め具３１０と並ぶ位置まで、ＵＳＢコネクタ３０６が受け部材３０４およびハウジング１２の開口に挿入されると、爪３１４は凹部３１８内に突出し、ばねの付勢力により係合面３２０と係合しうる。その様子を図３３ｄに示す。この係合により、ＵＳＢコネクタ３０６と受け部材３０４が強固に接続される。よって締結機構は、ハウジング１２の両端部の間に設けられる。
【００６７】
図３４ａと図３４ｂは、図３１〜図３３に示した締結機構３００とともに、ウェアラブル装置アセンブリ１０のサイズを大きくするために用いられうるスペーサ部材あるいは拡張部材を示す。拡張部材は、ＵＳＢコネクタ３０６の一部が挿入され、係合されうる開口３３６も含みうる。例えば、図３４ａと図３４ｂは、ハウジング１２の開口３３４と結合接続されるように構成されたコネクタ部３３２を有する拡張部材３３０を示す。
この接続は様々な形態をとりうる。例えば、コネクタ部３３２の形状は、開口３３４の形状と大きさに合致しうる。拡張部材の使用を容易にするために、受け部材３０４は、ウェアラブル装置アセンブリ１０の本体から取り外し可能とされうる。拡張部材３３０は、受け部材３０４とハウジング１２の一端との間に挿入されうる。強固な装着を得るために、留め金などの締結機構が、開口３３４とコネクタ部３３２の少なくとも一方に含まれる構成としてもよい。
拡張部材３３０の一端は、ハウジング１２の開口３３４と同様の形状と大きさを有する開口３３６を含みうる。これにより、ユーザが１つ以上の拡張部材を使用したい場合、ＵＳＢコネクタ３０６は、拡張部材３３０の開口３３６との結合が許容される。図３４ｂは、拡張部材３３０が挿入された場合、かつＵＳＢコネクタ３０６が受け部材３０４に挿入された場合の装置アセンブリ１０全体を示す。
【００６８】
図３５〜図３７は、締結機構の別例を示す。この例においては、フルサイズＵＳＢコネクタに代えて、マイクロＵＳＢコネクタが使用されうる。マイクロＵＳＢコネクタは、ウェアラブル装置アセンブリ１０の他端における受け部との係合を簡素にするために、面取りされた形状を有しうる。締結機構３５０は、装置アセンブリ１０のハウジング１２とともに動作可能な協働部品群を有する。締結機構３５０は、少なくとも突出部材３５２と受け部材３５４を有する。
【００６９】
図３５ａ〜図３５ｃに示すように、突出部材３５２は、マイクロＵＳＢコネクタ３５６を支持する。マイクロＵＳＢコネクタ３５６は、ウェアラブル装置アセンブリ１０の受け部３５４にマイクロＵＳＢコネクタ３５６の端部を固定するための、金属製のピン３５８を含みうる。
【００７０】
図３６ａと図３６ｂは、受け部材３５４を別の方向から見た図である。図示の通り、受け部材３５４は開口を備える。開口内には金属製のピン３５８（図３５ｂおよび図３５ｃ参照）を係止するフック部材３６０が支持されている。実施形態の一例において、フック部材３６０は、ばね部材３６２により付勢されうるとともに、ボタン３６４の押下により付勢力に抗って移動可能とされうる。
【００７１】
図３７ａ〜図３７ｅは、突出部材３５２のマイクロＵＳＢコネクタ３５６が受け部材３５４に挿入されるプロセスを示す。マイクロＵＳＢコネクタ３５６が受け部材３５４の開口に挿入されるにつれて、フック部材３６０の傾斜面が金属ピン３５８と係合し、ばね３６２の力に抗いつつ押し上げられる。開口への挿入がさらに進むと、フック部材３６０は金属ピン３５８を乗り越える。このときフック部材３６０は、ばね３６２により下方に付勢されて金属ピン３５８と係合する。この状態で締結機構３５０は、係止位置となる。ユーザは、ボタン３６４を押下して部材３５２、３５４の係合を解除しうる。
【００７２】
図３８ａと図３８ｂは、図３５〜図３７の締結機構３５０に拡張部材３７０を用いた場合を示す。受け部材３５４は、ウェアラブル装置アセンブリ１０のハウジング１２から取り外し可能とされている。これにより少なくとも１つの拡張部材３７０が受け部材３５４とハウジング１２の間に介挿されうる。各拡張部材３７０は、受け部材３５４が挿入固定される開口３７２を含みうる。図３８ｂは、マイクロＵＳＢコネクタ３５６を有し、拡張部材あるいはスペーサ部材３７０が介挿されたウェアラブル装置アセンブリ１０を示す。
【００７３】
ウェアラブル装置アセンブリ１０のハウジングの先端同士を接離可能とするために、他の締結機構を利用しうる。スナップフィット接続、面ファスナー、バックル型などの構成が含まれうる。ハウジング１２は、初めから閉じた環形状をなしている構成としてもよい。この場合、ユーザが装置アセンブリ１０を手首などにフィットさせることができるようにするために、伸長機構を有する。
【００７４】
これまで説明したように、ウェアラブル装置アセンブリ１０の様々な部品が、スパイン部材２２に接続され、支持される。エラストマ材料が当該部品群を覆うように成形されることにより、ウェアラブル装置アセンブリ１０は、図１と図２に示すような最終形態とされる。幾つかの図から明らかなように、締結機構２６の係止状態が解かれることにより、装置アセンブリ１０は、ユーザの手首周りに配置されうる。次いで締結機構２６が係止状態とされる。ユーザは、装置アセンブリ１０をいつでも必要な時に装着しうる。
【００７５】
ユーザに装着されることにより、装置アセンブリ１０は、当該ユーザの活動を追跡しうる。装置アセンブリ１０のコントローラ１４は、少なくとも１つのセンサにより検知されたデータを処理・活用するアルゴリズムを有する。コントローラ１４は、必要に応じて少なくとも１つのアルゴリズムを利用しうる。あるアルゴリズムは、ユーザが関わっている特定の活動に利用されうる。コントローラ１４は、センサにより検知されたデータに基づいて特定のアルゴリズムが自動的に選択されるように構成されうる。
実施形態の一例において、装置アセンブリ１０を起動する入力がなされうる。これにより装置アセンブリ１０は、ユーザの活動の追跡を開始する。例えば、３軸加速度計のようなセンサがユーザの動きを検知しうる。ここで装置アセンブリ１０は、当該動きに関わるデータを記録する。
追跡される活動は、ユーザの歩数、ユーザのエネルギー消費量などの計量値やパラメータを含むように、変更しうる。追跡されるパラメータは、速度や距離、心拍数なども含みうる。
センサ、アルゴリズム、検知されたデータについて別の処理が用いられうる。実施形態の一例において、装置アセンブリ１０は、加速度計やエネルギー消費量計により測定されたデータを転送する転送機能／アルゴリズムを利用しうる。なお加速度は、おおよその酸素反応速度（燃焼カロリー）に対応付けられる。ディスプレイ１８や標識システム２０は、そのような活動を示す標識を表示しうる。装置アセンブリ１０は、ユーザが所持するモバイル装置と無線通信を通じてやり取りが可能である。またフィットネスや健康関係のサイトのような、遠隔のウェブサイトともやり取りが可能である。
あるタイミングで、ユーザが装置アセンブリ１０から他の場所にデータの転送を希望したとする。図４４に示すように、ユーザは装置アセンブリ１０の締結を解除し、ＵＳＢコネクタ９４をコンピュータに差し込みうる。これに応じて、装置アセンブリ１０に保存されたデータは、ユーザのコンピュータや遠隔サイトに転送されうる。ユーザのコンピュータや遠隔サイトから装置アセンブリ１０にデータをロードすることも可能である。装置アセンブリ１０やコンピュータは、ユーザにデータ転送の開始を指示するように構成されうる。あるいは装置アセンブリ１０がコンピュータのポートに差し込まれると、データ転送が自動的に開始される構成としてもよい。そのようなデータは、装置アセンブリ１０における動作イベントを起動するように構成されうる。動作イベントの例としては、時間、活動ポイントなどの変数に基づくディスプレイ１８や標識システム２０の点灯が挙げられる。装置アセンブリ１０がコンピュータに差し込まれ、同期をとるとともにデータを転送すると、同期処理が実行中であることを示すために、標識システム２０における特定の発光部材が点灯されうる。
ＵＳＢコネクタ９４がコンピュータのポートに差し込まれると、装置アセンブリ１０のバッテリ１４２の充電もされうる。なお装置アセンブリ１０は、データ転送やバッテリ充電が無線接続と有線接続の少なくとも一方で行なわれるように構成されうる。例えば、装置アセンブリ１０は、誘導帯電で充電されるように構成されうる。装置アセンブリ１０は、他の適当なペアとなる装置を検出すると、自動的にデータを無線で転送するようにも構成されうる。同期処理が完了され、装置アセンブリ１０が十分に充電されると、装置アセンブリ１０は、コンピュータから取り外され、ユーザに再び装着されるとともに、活動の検出を開始すべく起動されうる。
他のインターフェースや装置アセンブリ１０の動作に伴うユーザエクスペリエンスについては後述する。例えば、標識システム２０は、第２のディスプレイであってもよい。標識システム２０とディスプレイ１８は、相互に独立して制御可能とされうる。
【００７６】
図４３は、ウェアラブルな活動の検出・追跡装置４３００の例を示すブロック図である。当該装置４３００は、メインコントローラまたはホストコンピュータ４３０１を含む様々な部品を含みうる。メインコントローラまたはホストコンピュータ４３０１は、指令を実行し、当該指示に応じて装置４３００の他の部品群を制御するように構成される。
装置４３００は、データと指令を保存するメモリをさらに含みうる。メモリには揮発性のものと不揮発性のものが含まれる。例えばランダムアクセスメモリ（ＲＡＭ）４３０３、読み出し専用メモリ（ＲＯＭ）４３０５、ストレージ４３０７である。
また装置４３００は、電力を供給する少なくとも１つのバッテリ（図示なし）を充電する充電部４３０９を含みうる。
装置４３００は、入出力アダプタなどの様々な部品群を含みうる。当該部品群には、周囲光センサ４３１１、ディスプレイアダプタ４３１３、加速度計４３１５、入力アダプタ４３１７が含まれる。
周囲光センサ４３１１は、少なくとも１つのディスプレイの輝度レベル（見やすさ）を特定するために用いられうる。周囲光センサ４３１１は、一日における大体の時間を特定するためにも用いられうる。
入力アダプタ４３１７は、様々な種類の入力を受け付け、処理するように構成されうる。入力の例としては、装置４３００に含まれる入力装置の種類に応じて、ボタン押下、タッチ入力、スクロールホイール入力などが挙げられる。
加速度計４３１５は、ユーザがウェアラブル装置４３００を装着したとき、その動きを検出するように構成されうる。例えば、加速度計４３１５は、６軸加速度計であってもよい。
心拍センサ、温度センサ、湿度センサなども装置４３００に含まれうる。
【００７７】
装置４３００による通信は、有線接続手段および無線接続手段を通じて行なわれうる。一例として装置４３００は、ラジオ周波数伝搬を通じて他の装置と無線通信するように構成された無線部４３１９を含みうる。無線部４３１９は、ブルートゥーストランシーバ、ＲＦＩＤ装置、Ｗｉ−ＬＡＮトランシーバ、セルラトランシーバ等やこれらの組合せに対応しうる。または専用のプロセッサを含みうる。
ディスプレイアダプタ４３１３は、装置４３００が備える少なくとも１つのディスプレイを制御して様々な活動情報、警告、通知などを伝えるように構成されうる。一例としてディスプレイアダプタ４３１３は、第１ディスプレイを、第２ディスプレイとは独立して制御するように構成されうる。
ウェアラブル装置４３００は、全地球測位システム（ＧＰＳ）部４３２１のような位置特定部をさらに含みうる。また位置特定は、セルラトランシーバ（例えばセルラー三角測量システム）を含む他の装置を用いても行われうる。ここに記載の部品群は、単一のデバイス内に集約されてもよいし、複数のデバイスに分散配置されてもよい。追加あるいは代替機能を提供するために、追加あるいは代替部品群が用いられうる。
【００７８】
例えば、ウェアラブル装置アセンブリ１０は、日々更新される目標の表示を提供しうる。ユーザは、装置アセンブリ１０に目標を設定しうる。例えば、ユーザがその日のうちに、あるいは２４時間以下の時間内に完了させる特定量の活動である。装置アセンブリ１０は、ユーザがその日を通じて実施する活動を検出し、記録する。検出された活動に基づいて、コントローラ１４は、装置アセンブリ１０に設定された目標への進捗に対応するように、標識システム２０の発光素子群１５２を点灯させる。
例えば、発光素子群１５２の数が、ユーザの目標に対する進捗度（例えば％）に対応する。また発光素子群１５２の発光色が、経過した所定時間内においてユーザがどのくらい活動的であったかを示す。標識システム２０は、ユーザがそれまでにどのくらい活動的であったかを、カラースケールで示すように点灯されうる。カラースケールは、赤から黄色を経て緑に至るものであり、赤は最も活動度が低く、緑は最も活動度が高い。目標に到達する十分な活動にユーザが取り組むと、標識システム２０における全ての発光素子群１５２が点灯される。少なくとも１つの発光素子群（例えば側部の標識システムやディスプレイ）も点滅しうる。点滅は５秒ごとにユーザからの干渉（例えば特定あるいは任意の入力装置を通じてのユーザからの入力）を受けるまで続けられる。そのような点滅機能は、装置がユーザからの干渉を受けなくとも起動されうる。コントローラ１４と動作可能に接続され、ハウジング１２に支持されたスピーカを通じた音声アラームも提供されうる。
また装置アセンブリ１０は、初期設定として既定の目標を有しうる。当該既定の目標は、後にユーザによって変更されうる。新たな目標が設定されると、まず標識システム２０における特定の発光素子が点滅し、ユーザに目標への進行が開始されたことを示しうる。目標および目標追跡については詳しく後述する。これに加えてあるいは代えて、目標および活動情報は、各日の所定の時刻や目標期間の満了をもってリセットされうる。
【００７９】
上述のように、装置アセンブリ１０は、ユーザの活動を追跡し、当該活動を示す標識を標識システム２０に表示する。装置アセンブリ１０は、幾つかの異なる特徴に基づくデータを表示可能である。実施形態の一例において、標識システム２０は、２０個の発光部材群を有する。標識システム２０における各発光部材は、識別可能な複数の異なる色を表示しうる。例えば、赤、黄、緑、橙、白、青などの所望の色である。発光素子群は、その数によって活動のレベルを示すように点灯されうる（例えば、点灯する発光素子が１個の場合は低い活動を示し、２０個の場合は高い活動を示す）。またその色によって活動のレベルを示すようにも点灯されうる（例えば、赤色は低い活動を示し、黄色は中程度の活動を示し、緑色は高い活動を示す）。そのような点灯方式を組み合わせてもよい。
また特定の点灯色や点灯方式が、特定の協賛イベントを示したり、ユーザがチャリティに支援された活動を行なっている旨を示したり、ユーザが他のユーザとやり取りしている旨を示したりしてもよい。標識システム２０における発光素子群は、本発明の態様に係る標識を表示すべく、複数のセグメントに区分されうる。
【００８０】
例えば、ウェアラブル装置４３００（図４３参照）のようなウェアラブルアスレチックパフォーマンス装置は、複数のモードおよび機能を含みうる。一例として、装置が最初に起動されたとき、当該装置は初期設定モードに移行しうる。当該モードにおいては、当該装置がコンピュータに差し込まれるべきである旨を示すアイコンが表示される。コンピュータに接続されると、当該装置は設定モードに移行しうる。当該モードにおいては、装置が差し込まれたコンピュータ上で実行されるプログラムを通じて、当該装置の様々な項目がユーザにより設定可能とされる。例えば、装置の接続をもって、コンピュータ上の設定プログラムが、当該コンピュータにより自動的にインストールおよび起動されうる。
これに加えてあるいは代えて、設定モードにおいては、現在のバッテリ残量を示すバッテリアイコンが装置のディスプレイ（上面のディスプレイや側面のディスプレイなど）に表示されうる。バッテリ標識は、装置アセンブリがコンピュータから引き抜かれるまでディスプレイ上に残存しうる。
例えば、設定モードから先に（活動追跡モードのような次のモードなどに）進むために、ユーザは設定プログラムを通じた設定処理を完了するように要求されうる。設定処理を完了する前にユーザが装置を引き抜くと、装置は先の設定モード（例えば初期設定モード）に戻りうる。
ユーザが設定プログラムを通じた設定処理を完了すると、装置は活動評価モードのような次のモードに移行しうる。例えば活動評価モードは、装置が所定のバッテリ充電量（２０％、３０％、４０％、５０％、６５％、７５％、１００％など）に到達した場合にのみ起動され、あるいは利用可能とされうる。活動評価モードはバッテリ充電量に依らず起動され、あるいは利用可能とされてもよい。
【００８１】
活動評価モードは、装置の初期起動後においてユーザの活動レベルが測定・記録される期間を含みうる。活動評価モードは、装置の完全起動（全ての機能のロック解除など）の前に要求された活動でありうる。
図４５は、本装置の活動評価モードの処理流れの例を示す。ダイアグラム４５００は、活動評価モードが起動された際の機能あるいはステータスの流れを示しうる。ユーザの活動レベルが測定・記録される期間は、例えば１日（２４時間）とされうる。しかしながら当該期間は、３０分、１時間、６時間、１２時間、５日間、１週間などのように、任意とされうる。
例えば当該期間は、装置の較正や、装置の装着者についての基準活動レベルの設定に用いられうる。較正には、検出されたアスレチックパフォーマンス計量値と実際のパフォーマンス計量値の間の変換因子を含みうる。例えば、ユーザが０．８マイル走ったことを装置が検知したものの、実際に走った距離（ユーザ自身による測定または特定）が１マイルであった場合、当該不一致を解消すべく変換因子が１．２５となるように較正を行ないうる。
一方、基準活動レベル測定は、ユーザの現在や標準的な（平均的など）アスレチック活動レベルを特定するために用いられうる。また目標を設定し、ユーザのアスレチック活動における傾向を特定するために用いられうる。
【００８２】
ダイアグラム４５００の処理は、初期較正または基準活動レベル測定が実行されていない、あるいは完了していないと装置が特定した場合のみ実行されうる。例えば、初期較正や基準活動レベル測定に際して、装置は、評価モードが再起動されないようにフラグをセットしうる。よって当該フラグがセットされていなければ、装置はダイアグラム４５００の処理を実行しうる。あるいは、初期較正や基準活動レベル測定が実行されたかを判断するために、装置はデータをチェックしうる。例えば、初期較正や基準活動レベル測定が完了していれば、フラグがセットされうる（初期期間が経過あるいは満了した場合など）。
【００８３】
ダイアグラム４５００の処理は、残り時間チェック、メッセージチェック、バッテリチェック、およびバッテリ残量警告を含みうる。残り時間チェックは、評価期間が経過したかを判断する。メッセージチェックは、装置または接続された通信装置において受信したメッセージがあるかを判断する。バッテリチェックは、現在の充電レベルを特定する。バッテリ残量警告は、充電レベルが特定の閾値を下回る場合に表示が行なわれる。
これらに加えてあるいは代えて、メモリチェックが行なわれうる。メモリチェックは、装置において利用可能なメモリの量が少ないかを判断する。もし少なければ、警告が表示されるか、装置においてさらなるデータ追跡・保存が不可能とされうる。例えば、加速度計を用いて検出されたデータの記録・保存がされないようにしうる。
【００８４】
装置がスリープモードにあるときにボタンが押下されたり、入力部が操作されたりすると、様々なチェックおよび警告メッセージ表示が、それぞれ実行および表示されうる。スリープモードは、ディスプレイが起動されていないモードに対応しうる。例えば、スリープモードは、ユーザの操作が所定時間ない（ボタンの押下がない、入力部の操作がない等）場合に、少なくとも１つのディスプレイが非作動状態とされたモードに対応しうる。例えば、ユーザは燃焼カロリーを見るためにボタンを押下しうる。装置のディスプレイは、燃焼カロリーの量を示し、次いでさらなるユーザからの入力がなければ、表示を停止しうる。表示は、情報の静的表示（テキスト、アイコン、画像、記号など）やアニメーションを含みうる。例えば情報は、音声的にあるいは触覚的に伝えられうる。
例えばスリープモードは、表示停止モードに対応し、非動作あるいは省電力モードは、所定長さの非動作期間、少なくとも１つの別部品が非動作状態にあるモードに対応しうる。スリープモードは、非動作時間の長さに基づくことを要しない。
【００８５】
スリープモードあるいは非動作モードに移行するタイムアウト時間は、機能や表示される情報によって異なりうる。例えば、リンクあるいはペア形成機能は、比較的長いタイムアウト時間を有しうる。タグを入力するなどの動作よりも、リンクを形成する動作の方が長い時間を要するためである。またタイムアウト時間は、装置のモードによって異なりうる。例えば、情報表示モード、ループアクションモード、および情報表示ループモードによって異なりうる。
【００８６】
スリープモードは、ディスプレイと標識モードの双方が点灯しない状態を含みうる。入力ボタンを押下することにより、ユーザは活動の進捗をチェックできる。入力ボタンの押下に応じて、標識システムはアニメーション的に点灯しうる。具体的には、個々の発光部材が、ユーザの活動レベルに対応する数に達するまで徐々に点灯されていく。ユーザがボタンを押下しなかったら、あるいは装置の操作がなければ（装置の動きがなかったり、いずれの入力要素も使用されなかったり等）、ユーザが設定可能な所定時間（４秒、３０秒、１分、２分など）の経過の後に、装置はスリープモードあるいは非動作モードに移行しうる。
【００８７】
さらに装置は、ダイアグラム４５００における処理の一部として、タイムカウントダウン表示を提供しうる。タイムカウントダウンは、評価期間の残り時間を示しうる。例えば、評価期間は、２４時間からカウントダウンが開始されうる。評価期間が終了すると（残り時間がゼロになると）、装置は、カウントダウンメッセージに代えて評価完了メッセージを表示しうる。例えば、カウントダウンメッセージや評価完了メッセージは、その日あるいは活動期間（目標期間）において最初のボタン押下あるいは装置の操作によって、常に最初に表示される情報インターフェースとされうる。カウントダウンメッセージや評価完了メッセージは、その他の規則によって最初に表示されるものであってもよい。例えば、ある１時間、ある１分間、ある１２時間、ある午前、ある午後、ある晩における最初のボタン押下あるいは装置の操作によって最初に表示されるものであってもよい。
特定のボタンや入力機構が押下されたことや、ボタンが押下された時間や、ボタンが押されたパターン（５秒以内に４回短く押下された、２秒間の押下の後で１回短く押下されたなど）を起動条件としうる。
このような表示規則は、表示情報のユーザとの関わりを最大化するために用いられうる。評価期間が完了した旨を装置が判断すると、装置はカウントダウンを表示する代わりに、祝福メッセージを表示しうる。次いでユーザに対して装置をコンピュータに接続してデータの同期をとる（記録された活動情報をコンピュータにアップロードする）ように求めるプラグアイコンや要求アニメーションが表示されうる。
【００８８】
さらなるボタン押下（あるいは異種同種を問わずユーザによる操作）を受け付けると、獲得ポイント表示（アスレチック活動測定表示など）、時刻表示、カロリー表示、歩数表示、およびメッセージ表示の間で表示がスクロールされうる。
例えば、メッセージ表示は、本装置上か接続された通信装置上にメッセージが存在する場合のみ示されうる。例えば、本装置は携帯電話のような通信装置と無線または有線で接続されうる。よって本装置は、携帯電話上のメッセージを検出する（通知を受け取る）ように構成されうる。メッセージは、音声メールメッセージ、電子メールメッセージ、文字メッセージ、マルチメディアメッセージなどを含みうる。何もメッセージがなければ、本装置はメッセージ表示を行なわなくてもよい（例えば、メッセージなしと表示するのではなく、メッセージ表示が提供されなくてよい）。例えば、本装置は、新たなメッセージや未読・未聴メッセージの数を提供するのみでよい。
評価モード期間が満了すると、少なくとも１つの計量値や情報表示が隠され、アクセスや視認ができないようにされうる。例えば、活動ポイント表示、カロリー表示、および歩数表示は隠されるか非表示とされうる。一方、評価モード期間が満了しても、時刻表示やメッセージ数は視認およびアクセスが可能なままとされうる。
【００８９】
活動目標追跡モードに移行するために、評価モードの完了が要求されうる。一例として、評価モードの完了は、本装置のコンピュータへ接続、および当該コンピュータとのデータ同期を含みうる。本装置は、モバイル装置と無線で（あるいは有線接続を用いて）同期をとりうる。コンピュータや、これにより実行されるソフトウェアは、引き続き活動目標設定モードを起動する信号を本装置に転送しうる。
例えば、同期情報は遠隔のネットワークサイトにアップロードされうる。よって、評価期間が完了した旨、および当該期間の活動データの同期がなされたと判断された時点で、活動目標追跡モードの起動が、当該遠隔ネットワークサイトから承認あるいは指示されうる。
これに加えてあるいは代えて、ウェアラブル装置は、独立してあるいは他の装置やシステムと協働で、評価期間が完了したかを判断しうる。また評価期間完了の判断をもって目標追跡モードを起動しうる。
【００９０】
活動目標追跡モードは、情報表示ループモードとアクションループモードという２つのユーザインタフェースサブモードを含みうる。情報表示ループモードは、活動と時間に係る情報をユーザに表示する第１のインターフェース群を含みうる。アクションループモードは、本装置を用いる様々な機能へのアクセスを可能にする第２のインターフェース群を含みうる。情報表示ループモードは、ボタンを第１時間だけ押下することにより起動されうる。アクションループモードは、ボタンを第２時間だけ押下することにより起動されうる。一例として、第１時間は０．５秒以下、第２時間は２秒以上とされうる。
活動目標追跡モードに含まれる様々なループを起動するために、他のボタンの押下時間や操作規則が設定されうる。これに加えてあるいは代えて、これらのモードの各々において提供される情報やインターフェースが異なる手法で提示されうる。これにより、ユーザが２つのループモードを区別することを助ける。例えば、情報表示ループモードのインターフェース群は、ディスプレイ上を第１方向（横方向）にスクロールし、アクションループモードのインターフェース群は、ディスプレイ上を第２方向（縦方向）にスクロールしうる。
【００９１】
図４６は、目標追跡モードにおける情報表示ループの処理流れを示す。目標追跡モードは、目標が設定されたときと、目標が設定されなかったときにおいて、ユーザの活動の追跡を含みうる。情報表示ループにおいて本装置は、ボタン押下のようなユーザの操作や入力の検出をもって、一連のチェック群４６０１をまず実行しうる。一連のチェック群４６０１は、特定のスケジュールに沿ってのみ実行されてもよい（１時間に一度、３０分毎、５分毎に一度、３０秒毎に一度など）。よって一連のチェック群は、毎分一度だけ実行されるように設定されうる。本装置は、ユーザがボタンを１分間に複数回押下した場合にチェック群４６０１を一度だけ実行するとしてもよい。
【００９２】
チェック群４６０１が完了し、適当な警告メッセージが表示されると、本装置は、計量値の表示に移行しうる。あるいは、本装置がスリープモードあるいは非動作モードに入ることにより現在の情報表示ループに入る前の、最近時に見られた内容の表示に移行しうる。例えば、所定期間ユーザが本装置を操作しないと、本装置は、省電力などの目的で、少なくとも１つのディスプレイやその他の部品群の動作を停止させることにより、情報表示ループからタイムアウトしうる。
本装置が使用されるとき、本装置が初めて使用されるとき、あるいは本装置が（例えば、最近見られた計量値を表示せずに）リセットされるとき、活動ポイントの数は、第１のボタン押下（または他のユーザ操作）をもって、常にまず表示されうる。別例としては、最初のボタン押下やリセットなどに伴い、第１情報表示として時刻が常に表示されうる。表示内容は、活動ポイント、時刻、カロリー、歩数、メッセージなどを含みうる。また情報表示ループに対する参入と離脱が切り替えられうる。例えばユーザは、カロリーと歩数を情報表示ループから除くことを選択しうる。これによりカロリーと歩数は、ユーザが計量値および情報をスクロールしても表示されない。
【００９３】
図４７Ａ、図４７Ｂ、および図４８〜図５２は、情報表示ループ中に提供されうる装置のインターフェース表示例を示す。情報表示ループに含まれる活動情報は、異なる活動計量値や、評価モードにおいてアクセスや視認が可能とされた情報とは異なる種類の情報を含みうる。一例として、情報表示ループは、評価モードの情報インターフェース群には含まれていない少なくとも１つの計量値を含みうる。
【００９４】
図４７Ａと図４７Ｂは、活動ポイント表示を示す。例えば図４７Ａにおいて、まず本装置は、上ディスプレイ４７０１に現在蓄積されている活動ポイント量４７０３を示す活動ポイント記号を表示しうる。また活動ポイントの目標レベルを示す標識４７０５を横ディスプレイに表示しうる。蓄積活動ポイント量４７０３は、（ＬＥＤなどの）ライトの数や、横ディスプレイ４７０７において点灯されるセグメント群により表されうる。例えば２０個のライトまたは点灯可能な部分がある場合、各光源または部分は、目標の５％分を表しうる。したがって、ユーザが目標の５０％を達成している場合、１０個のライトまたは部分が点灯されうる。別例として、目標量の９９％あるいは９９．９９％が均等に分割され、残りを１つの発光部に割り当てるようにしてもよい。最終部分は、目標の残り１％あるいは０．０１％が達成されたときのみに発光されうる。したがって、２０個のライトがあれば、始めから１９個目までのライトは目標の９９．９９％／１９を示しうる。最後のライトまたは部分は、目標における最後の０．０１％を示しうる。
【００９５】
横ディスプレイ４７０７のライト群は、異なる色とされるか、達成された活動のレベルに応じて変色するように構成されうる。例えば、ディスプレイ４７０７のライト群の色は、右側から左側に向かうにつれて（あるいは左側から右側に向かうにつれて）赤から緑に移るようにされうる。ディスプレイ４７０７のライト群は、ユーザの活動のレベルに応じて全てのライトが同じ色で点灯するように、色を変えうる。例えば、ユーザが低いレベルの活動ポイントを蓄積した場合、２０個のライトのうち３個が赤色で点灯されうる。ユーザが適度なレベルの活動ポイントを蓄積した場合、２０個のライトのうち１０個が全て黄色で点灯されうる。別例としてライト群は、点滅したり、活動レベルを反映するように動きを持たせてもよい。具体的には、ユーザがより多くの活動ポイントを蓄積するにつれ、ライト群は、より高速で点滅しうる。様々な色、パターン、アニメーションなどの組合せが、活動レベルを伝えるために用いられうる。
【００９６】
標識と活動ポイントレベルの表示は、動きを持ちうる。例えば、標識はディスプレイ４７０１上をスクロールしうる。また横ディスプレイ４７０１上のライト群や発光部群は、標識が最終位置へスクロールするのと同じ速度で順次点灯されうる（例えば、右から左へ）。横ディスプレイ４７０７における特定のライトまたは部分は、特定の活動レベルを表すために所定回数だけ点滅しうる。
ポイントアイコンまたは標識が表示されると、活動ポイントの数が上ディスプレイ４７０１に表示されうる。アイコンや標識の表示は、表示されるべき計量値をユーザに通知しうる。活動ポイントの数の表示は、横ディスプレイ４７０７をクリアさせる（例えば、全てのライトまたは発光可能部が消灯される）。
別例において本装置は、上ディスプレイ４７０１に活動ポイントの数が表示された後であっても、横ディスプレイ４７０７に表示された活動レベルや特定の情報を維持しうる。
【００９７】
図４７Ｂは、横ディスプレイ要素４７１１の数が目標に対する現在の進捗に対応し、徐々に点灯される表示の例を示す。一例として、サイドディスプレイ要素４７１１が点灯される速度は、上ディスプレイ４７１５にスクロール表示される蓄積活動ポイントの速度に対応する。
【００９８】
図４８〜図５０は、時間（図４８）、カロリー（図４９）、歩数（図５０）を含む活動計量値の別例を示す。これらの活動計量値は、活動ポイントの表示と同様に動作しうる。図示しないが、各活動計量値に固有の目標追跡に、横ディスプレイも用いられうる。したがってユーザは、様々な活動計量値の各々について異なる目標を設定し、各目標を個別に追跡しうる。本装置は、ユーザの操作（ボタン押下など）の受付をもって、特定の計量値を表示し、当該計量位置について目標が設定されたかを判断しうる。この場合においても本装置は、横ディスプレイを起動して達成情報を表示しうる。
【００９９】
図５１と図５２は、ユーザの目標への到達をもって表示されうるインターフェース群の例を示す。合計活動ポイントの表示後、または目標が設定された他の計量値の表示後に、達成祝いが表示されうる。あるいは、計量値の表示がなされることなく達成祝いが表示されうる。これに加えてあるいは代えて、本装置の横ディスプレイは、情報表示ループの実行中であるかに依らず、目標が達成されたことを示す標識を提供しうる。例えば、活動ポイントの目標到達をもって、横ディスプレイは、目標到達を示すべく、少なくとも１つのライトあるいは発光可能部を、静的にあるいはアニメーション的に発光させうる（例えば、点滅させたり、左から右へ順にライトを光らせたりする）。一例として、ユーザが目標に到達したことを示すために、最も左側の発光部またはライトが点滅しうる。
本装置は、スリープモードへの移行をもって、目標達成の表示を停止しうるが、活動センサが動きや活動を検出したときなどは、スリープモード下においても反応動作的に目標表示がなされうる。また（ボタンを押下して達成祝い画像やアイコンを表示するなどして）達成祝いが開始された後、目標達成表示器は点滅を停止しうる。
目標達成を讃えるメッセージおよび目標達成表示器は、ユーザの好みによりオンオフを切り替えられうる。本装置は、目標達成に依然必要とされている活動ポイントの量を表示してもよい。目標に加え、メダルなどの褒賞が表示されてもよい。
【０１００】
図５３は、ユーザが目標を達成したときの表示に係る別例を示す。ここでウェアラブル装置アセンブリは、目標達成を表すメダル５３０１などのシンボルを表示しうる。さらに達成情報が（メダル５３０１の表示後などに）自動的に、あるいはユーザがボタン５３０３を選択操作すると表示されうる。追加の達成情報は、目標達成を示すメッセージを含みうる。ユーザが所定量（５０カロリー、５０分、５０マイルなど）の目標を超えたことを示してもよい。
また表示ライト群５３０５は、所定のライト（例えば最も右側のライト５３０７）を発光させることにより、目標達成を示しうる。当該ライトを特定の色（緑など）で発光させてもよい。ライト群は、ユーザが目標に近づくにつれて左から右へ、あるいは右から左へ発光されうる。また横ディスプレイは、目標値を所定量上回ったときは、目標に到達したとき（目標には届いたが、当該所定量には届いていない場合など）とは異なる態様で示しうる。例えば、横ディスプレイは、ユーザが目標値を１０％上回ったときや、特定の計量値を超えたときは、発光素子群が１つおきに発光しうる。ユーザが目標値を２５％上回った場合、横ディスプレイは、左半分と右半分が交互に発光しうる。様々なパターン、アニメーション、発光法、色などが適宜に用いられうる。
【０１０１】
図５４は、ユーザがアスレチック目標を達成したときにウェアラブル装置アセンブリに表示されうるスクロールメッセージの例を示す。
【０１０２】
図５５は、新たな目標が設定されたときにウェアラブル装置アセンブリに表示されうるユーザインターフェースの例を示す。新たな目標は、例えば先の目標の達成をもって、ユーザにより設定されうる。適応制御的に設定されてもよい。一例として、先の目標値や目標期間が達成されると、ウェアラブル装置アセンブリは、走行距離、燃焼カロリー、持ち上げる重量、到達する心拍数、アスレチック活動を行なう時間、あるいはこれらの組合せが、所定量あるいはパーセンテージ増加するように（１００カロリー、１０％、０．５マイルなど）、ユーザの目標を自動的に設定しうる。
しかしながら、ユーザが先の目標を達成していない場合、本装置は、目標値を増加させないか、増加させても目標達成時よりも少量としうる。適応制御的に設定される目標は、ユーザにより設定された目標全体に基づいて設定されうる。例えば、ユーザがマラソンのトレーニングをしたい場合、ウェアラブル装置アセンブリは、ユーザが２６．２マイルを走りきる能力レベルに達するのを支援するトレーニング計画に基づいて、新たな目標を設定しうる。
【０１０３】
図５６は、距離情報を表示するインターフェースの例を示す。
【０１０４】
図５７Ａと図５７Ｂは、ウェアラブル装置アセンブリのバッテリ残量を示す標識の例を示す。例えば図５７Ａにおいては、表示はバッテリ画像のみを含みうる。あるいはバッテリ画像やアイコンと充電量（充電パーセンテージなど）を表す数字を含みうる。
【０１０５】
別例として図５７Ｂは、様々な状態のバッテリアイコンを表示するインターフェース群５７１１、５７１３、５７１５、５７１７を示す。
インターフェース５７１１は、充電量が少ないとき（５％、１０％、１５％など）のバッテリアイコンを示す。本装置が充電されるにつれ、ディスプレイにおける発光素子群が、下から上、右から左の順に発光しうる。したがって、インターフェース５７１３に示すように、現在発光している列のすぐ左側における最も下の発光素子（バッテリの輪郭を描く発光素子は除く）が発光されうる。本装置が充電中であることを示すため、現在の充電量（２６％、３５％など）に対応する発光素子が点滅されうる。インターフェース５７１５は、本装置がほぼ完全に充電されたときのバッテリアイコンを示す。インターフェース５７１７は、本装置が完全に充電されたときのバッテリアイコンを示す。
【０１０６】
本装置に供給される電力が低くなると（３〜１０％のような所定の範囲）、情報表示ループは、「低電力」アニメーションの表示を実行しうる。このような低電力域においては、計量値の生成や保存データに変更はなされない。しかしながら、バッテリ電力が別の閾値（３％未満など）に達すると、表示（情報表示ループなど）は計量値の生成を停止し、本装置はデータの保存（加速度計のデータ取得など）を停止しうる。これに加えてあるいは代えて、さらに低電力域（３％未満）においては、無線接続が閉じられ、ネットワークプロセッサがシャットダウンされうる。またディスプレイは、充電の必要性を示す「プラグ」アニメーションを表示しうる。
本装置が充電されて３％の電力レベルを超え、ＵＳＢや電力プラグが抜かれると、ネットワークプロセッサが再起動され、計量値の生成が継続され、取得値の保存が再開されうる。ディスプレイは、全ての情報表示ループを（適当な警告とともに）表示しうる。
バッテリが完全に使い尽くされると（電力０％など）、時間がリセットされうる。再充電に際し、本装置は、再初期化のために設定・構成ソフトウェアへの再接続をユーザに要求しうる。例えば本装置は、構成プログラムや装置への接続の必要性を示す「同期」メッセージのみを表示しうる。
【０１０７】
さらに本装置は、ユーザにリマインダ群を表示するように構成されてもよい。リマインダ群は、装置の登録や、データ同期についてのリマインダを含みうる。リマインダ群は、特定の規則によりトリガされうる。例えば、登録リマインダは、ユーザが本装置の登録を行なっておらず、特定期間（直近の３０分、１時間、１日、１週間など）リマインダが発行されていない場合にトリガされうる。あるいは特定数のユーザ操作や特定数の状態変更が装置に対してなされた場合（５回のボタン操作、１０回のスリープモードからの復帰など）にトリガされうる。
登録や同期リマインダのメッセージは、ユーザが登録すべき、あるいはウェアラブル装置の同期をすべきネットワークアドレスの特定を含みうる。同時に表示されるメッセージ（リマインダなど）がディスプレイ上の面積を占有しすぎる場合、全ての情報が表示されるように、当該メッセージは所定の方向にスクロールされうる。他の計量値、計量値の種類、測定単位（燃焼カロリー、歩数、獲得した活動ポイントなど）を伝えるために、テキストが使用されうる。
【０１０８】
図５８は、本装置において起動されうるアクションループの処理流れの例を示す。本装置のウェイクアップ（スリープモードからの復帰など）に際して行なわれるデバイスチェック群５８０１に加え、本装置は、バッテリチェック、メモリチェック、およびリンクチェックをさらに行ないうる。
リンクチェックは、同期やメッセージ通知を含む様々な目的のための接続（無線または有線）が２つの装置間に存在するかを確認するために用いられうる。一例として、本装置は、先に接続された他の装置との接続が依然として有効であるかを判断しうる。
リンクチェックが完了すると、本装置はアクションループを進行しうる。具体的には、本装置は、第１種のユーザ操作（ボタンの長押しなど）に応じてアクションループのスクロールを継続しうる。ボタン押下の終了あるいは第２種のユーザ操作は、ループの進行を停止しうる。ボタンの断続押下あるいは第３種のユーザ操作は、現在表示されている機能またはアクションを起動またはキャンセル・停止しうる。
【０１０９】
初期リンクチェックの後、本装置は、アクションループの一部としてユーザに現在時刻や場所のタグ付けを許容するタグ機能に移行しうる。リンクチェック処理においてリンクが検出されたかによって、タグ機能は異なる動作をしうる。例えば、タグ機能が起動されると、本装置は、タイムスタンプやロケーションスタンプを記録しうる。そして本装置は、他の装置とのリンクを有する場合に、タグを転送しうる。リンクが存在しなければ、本装置は他の装置にタグの転送を行なおうとはしない。ロケーションスタンプは、他の装置とのリンクが有効である場合のみ利用可能とされてもよい。例えば、活動追跡装置が位置特定機構を含んでいない場合、当該装置は、ロケーションスタンプを他の装置に要求しうる。したがって、他の装置とのリンクが存在しない場合、あるいは無効である場合、当該装置はロケーションスタンプ機能を提供しなくてもよい。
【０１１０】
図５９Ａ〜図５９Ｄは、活動追跡装置に表示されうるタグ付けインターフェースの例を示す。図５９Ａは、アクションループの一部として表示されうるタグ機能標識を示す。図５９Ｂにおけるインターフェースａの状態で、ユーザはタグ付け機能を選択しうる。するとインターフェースｂに示すように、チェックマークの付いたタグアイコンが表示されうる。当該アイコンは、タイムスタンプやロケーションスタンプが記録されたことを示す。
本装置が他の装置に接続されると、インターフェースは、データ転送プロセスの標識を表示しうる。例えば本装置は、データ転送がなされようとしている旨を示すために、タグアイコンを点滅させうる。データ転送に成功すると、インターフェースは、図５９Ｃに示すように２つの標識（チェックマークなど）が付いたタグアイコンを表示しうる。一方はタイムスタンプやロケーションスタンプの記録を示し、他方はタグの転送成功を示す。データ転送に失敗すると、インターフェースは、図５９Ｄに示すように２つの標識が付いたタグアイコンを表示しうる。一方はタグが記録されたかを示し、他方（Ｘマークなど）はデータの転送失敗を示す。他の記号、アイコン、文字、画像などが、タグ付けや転送の成功または失敗を示すために用いられうる。
【０１１１】
再び図５８を参照する。アクションループは、タグ付け機能からオプションのリンク機能に移行し、さらに当該リンク機能から（当該リンク機能が提供されていなければタグ付け機能から）ペアリング機能へと移行しうる。リンク機能とペアリング機能の双方とも、活動追跡装置の他の装置（携帯電話や携帯音楽プレーヤーなど）への接続をユーザに許容しうる。リンク機能は、第１種の無線あるいは有線接続に関連しうる。一方、ペアリング機能は、第２種の無線あるいは有線接続に関連しうる。例えば、第１種の接続はＷｉ−Ｆｉ接続を含み、第２種の接続はブルートゥース／ブルートゥースローエナジー接続を含みうる。赤外線接続、ＺＩＧＢＥＥ、ＲＦ接続などの他の接続も含まれうる。
リンク機能とペアリング機能の表示は、これらの機能がそれぞれ現在有効であるかを示すステータス標識を含みうる。
上述のように、リンク機能はアクションループに含まれないこととしてもよい。
【０１１２】
図６０Ａと図６０Ｂは、リンク機能アイコンがステータス標識とともに表示されたインターフェースの例を示す。例えば図６０Ａにおいて、ステータス標識はリンクが無効であることを示している。一方、図６０Ｂにおいては、ステータス標識は、リンクが有効であることを示している。またリンク機能アイコンは、２つの装置を表す２つのアイコンを表示しうる。リンクが有効ならば、これらのアイコンは、同じ明るさで表示されうる。リンクが無効ならば、一方のアイコンは、他方のアイコンよりも暗く表示されるか、全く表示されなくてもよい。
【０１１３】
リンク機能の起動をもって、リンクアイコンまたは記号の外観は、本装置のリンクを成立させようとする動作を反映するように修正されうる。例えば、ステータス標識がインターフェースから消去され、図６０Ｃに示すように、少なくとも１つのリンクアイコンが点滅を開始しうる。リンクを成立させようとする動作は、所定時間（１２秒など）の後に終了しうる。リンクの成立に成功すると、インターフェースは、図６０Ｄのａに示すポジティブなリンク標識を表示する。一方リンクの成立に失敗すると、インターフェースは、図６０Ｄのｂに示すネガティブなリンク標識を表示する。あるリンクが現時点で有効であれば、リンク機能の選択あるいは起動は、当該リンクを解消あるいは無効としうる。
【０１１４】
リンク機能は、アクションループにおいてユーザが選択しうるオプションとして提供されなくともよい。代わりに本装置は、少なくとも１つの他の装置と自動的にリンクを成立させようと動作しうる。当該動作は、図５８に示すリンクチェックの間などになされるボタンの押下あるいはイベントの起動をもって行なわれる。例えばスリープモード下においてユーザがボタンを押下すると、本装置は、リンク生成機能（上記と同様のもの）を自動的に起動しうる。その際、ユーザによるリンク処理の開始を求めることはない。リンクが自動的に生成されるのか、アクションループにおいてユーザが選択しうるオプションとして当該動作が表示されるのかは、ユーザによって設定可能とされうる。
【０１１５】
図６１Ａ〜図６１Ｃは、ペアリング機能用インターフェースの例を示す。例えば、本装置はブルートゥース接続機能（あるいは他の近距離ネットワーク機能）を含み、ローカル装置との接続を可能としうる。図６１Ａはペアリング機能アイコンを示し、図６１Ｂと図６１Ｃは、ペアリング処理が成功した場合と失敗した場合をそれぞれ示す。例えば、ボタンの短押しといった特定のユーザ操作の検出をもって、本装置はペアリング処理を開始しうる。当該処理は、ペアリングが可能な装置を検出し、接続を成立させようとするものである。他の装置とのペアリングが成功すると、ディスプレイは、図６１Ｂに示すチェックマークのようなペアリング成功標識を表示しうる。一方ペアリングに失敗すると、ディスプレイは、図６１Ｃに示すＸマークのようなペアリング失敗標識を表示しうる。
【０１１６】
ペアリング機能が起動された後、ペアリングのステータス（成功または失敗など）を表示するのみとしてもよい。したがって、ペアリングステータスは、アクションループを通じてユーザが当該機能を選択する際にのみ表示されなくてもよい。
本装置は、複数の装置とのペアリングが可能とされうる。既に最大限数の装置とペアリングがなされている状態においてユーザが他の装置とペアリングを行なうと、最初にペアリングがなされた装置がメモリから除かれる（先入れ先出し規則）。
【０１１７】
航空機モード機能がアクションループに含まれうる。図６２Ａと図６２Ｂは、航空機モードをオンオフする選択処理の例を示す。航空機モードは、航空機の動作を阻害しないように本装置における全ての無線通信機能が停止される設定とされうる。しかしながら、航空機モードは、航空機内に限らず、所望の状況下で使用されうる。
図６２Ａにおいて、まずディスプレイは、現在の航空機モード設定（オンまたはオフ）を示す標識を表示しうる。例えばボタンの短押しといった特定のユーザ操作によって本機能が起動されると、航空機モードは、図６２Ｂに示すように、例えばオフからオンへ設定を変更しうる。設定がオンにされると、本装置は、ペアリングモジュールやリンクモジュールを含む全ての無線接続コンポーネントを自動的に停止する。設定がオフにされると、ペアリング機能やリンク機能がアクションループに再導入されうる。このような自動的な動作は、航空機モードにおいてどのような操作や機能が許容されているのかをユーザが判断するのを助けうる。
航空機モードのオンオフは、アクションループにペアリング機能やリンク機能が表示されているかに影響されないようにしてもよい。しかしながら、ユーザがリンク機能やペアリング機能を起動すると、例えば航空機モードがオンとされていた場合は、自動的にオフとされうる。
航空機モード標識は、上ディスプレイと横ディスプレイの少なくとも一方において点滅あるいは点灯されうる。
【０１１８】
図６３Ａ〜図６３Ｄは、リセット機能について表示されうる一連のユーザインターフェースを例示する。リセット機能は、本装置のメモリを消去したり、本装置上の全ての設定（目標値、較正値、初期活動の測定値など）をリセットしたりするために用いられうる。
例えば図６３Ａに示すように、アクションループがリセット機能に到達すると、リセットに係るアイコン、アニメーション、シンボル、テキストなどが、まず表示されうる。起動に伴い（ボタンの短押しなど特定のユーザ操作に応じて）、本装置は、リセット機能を開始しようとしている旨を示す警告や確認を表示しうる。一例として、図６３Ｂに示すように、本装置は、リセットに係るアイコン、アニメーション、シンボル、テキストなどを所定時間（４秒、５秒、１０秒、１秒など）点滅させうる。この警告・確認期間の間、ユーザは、ボタンの短押しといった特定のユーザ操作により、リセット機能を停止やキャンセルを行なうことが許されうる。他にもメッセージ、アニメーション、音声、触覚フィードバックなどが警告・確認に用いられうる。
ユーザがリセット要求をキャンセルしなければ、本装置は、警告・確認期間の終了をもってリセット処理を開始しうる。リセットのキャンセル要求は、ユーザによる特定の方法での装置の操作を含みうる。特定の方法とは、例えば、ボタンの短押し（所定の時間よりも短い押下継続時間）、ボタンの長押し（少なくとも２秒、３秒、１０秒の押下継続）、装置を動かす等である。リセット要求のキャンセルは、リセット機能を起動させるユーザ操作と同じタイプのものとしてもよい。
【０１１９】
警告・確認期間中にリセット要求がキャンセルされなければ、本装置はリセット処理を開始しうる。図６３Ｃは、リセット処理の進捗を伝えるために用いられうる表示例を示す。例えば、リセットに係るアイコン、アニメーション、シンボル、テキストなどが、何らかの形で動きうる。例えば、リセット処理が完了するまで時計のように発光する。
リセット処理が完了すると、図６３Ｄに示すように、完了標識（ロゴなど）が表示されうる。完了標識は、様々な画像、シンボル、テキスト、アイコンなどを含みうる。標識は静的であっても動的であってもよい。
異なるユーザ入力や操作は、異なる命令、機能、アクションなどに対応しうる。
【０１２０】
ウェアラブル装置は、複雑さを最小限とするために、ユーザ入力装置を１つだけ備える構成であってもよい。当該ユーザ入力装置は、ボタン、スクロールホイール、タッチ入力装置、ジョイスティック、トラックボールなどを含みうる。その場合、異なるユーザ操作は、異なるアクションに対応しうる。アクションとしては、アクションループの起動とスクロール、情報表示ループの起動とスクロール、機能のオンオフ切替え、様々な機能の起動などが挙げられる。例えば、異なるボタンの押下継続時間や、押下状態の保持は、異なるアクションや機能を起動しうる。ボタン押下のパターンを、アクションや機能を区別するために用いることもできる。
タッチ入力装置の場合、異なるジェスチャーや動きが異なるアクションに対応しうる。一例として、ユーザが１本の指でタッチ入力装置に触れるとアクションループを起動させ、２本の指で（同時あるいは略同時に）触れると情報表示ループを起動させることができる。
【０１２１】
ユーザは、自身のウェアラブル装置を、無線通信を通じて他のユーザのウェアラブル装置とペアリングさせうる。例えば、ウェアラブル装置は、複数の装置とペアリングしたり、無線でリンクしたりすることができる。ペアリング機能は、例えば、ブルートゥースを用いたペアリングや接続と関連付けられうる。リンク機能は、Ｗｉ−Ｆｉや、その他の有線または無線接続と関連付けられうる。
ペアリング機能は第１種の接続と関連付けられ、リンク機能は第１種とは異なる第２種の接続と関連付けられてもよい。例えば、赤外線通信とＲＦＩＤなどが挙げられる。
【０１２２】
あるユーザが他のユーザと所定の親近関係内にあるとき、当該ユーザのウェアラブル装置は、当該他のユーザのウェアラブル装置を検出しうる。そして第１のユーザは、自身のウェアラブル装置でサーチ処理（ブルートゥース信号検出など）を開始することにより、第２のユーザを友人として加えうる。そしてコンタクト情報や友人の特定といったデータは、第２ユーザの装置から第１ユーザの装置へ（有線または無線通信を通じて）転送されうる。コンタクト情報や友人の特定は、特定の装置間で転送されうる。特定の装置とは、コンタクト情報や友人の特定の種類や内容を他の装置やユーザに転送しうるように構成可能とされた装置である。
友人情報は、第１ユーザが自身のウェアラブル装置をアスレチックパフォーマンスのモニタリングサービスまたはサイトに同期させることにより、自身のアカウントに加えうる。データ転送が許可・実行される前に、他のユーザあるいは友人から確認が求められるようにしてもよい。例えば、他の装置のユーザの特定は、ソーシャルネットワークやコミュニティサイトなどに登録されたユーザＩＤと対応しうる。よってユーザは、特定処理のためにフェイスブック（登録商標）のユーザネームやＩＤを他のユーザから受け取りうる。本装置は、他のユーザのフェイスブックユーザネームやＩＤを、当該装置やアスレチック活動追跡サービスにおける友人として保存しうる。
【０１２３】
装置のペアリングを通じた友人の追加は、コミュニティサイトにおける２ユーザ間の関係を形成しうる。フェイスブックユーザネームをＩＤとして用いる上記の例において、本装置は、ネットワークへの接続をもって、他のユーザへのフェイスブックを通じた関係申請の生成と送信をトリガしうる。よって「友人」や「トレーニング仲間」といったコミュニティサイト上の関係が、他のユーザの申請承認や、相互申請の検出をもって形成されうる。
【０１２４】
図６４は、ユーザのウェアラブル装置を用いた友人追加に係る処理とインターフェースを示す。例えば、ユーザは、友人サーチ機能を起動するために、まず操作ボタンを所定時間だけ押下しうる。友人の検出をもって、「＋ＦＲＮＤ」メッセージが表示されうる。また縁部の表示器が、データ転送の進捗を示すために発光されうる。上記のように、転送されるデータは、名前、Ｅメールアドレス、コンタクト情報、ユーザＩＤなどを含みうる。このデータは、アスレチックパフォーマンスサイトにおけるユーザアカウントに友人を追加するために後で用いられる。
【０１２５】
ユーザは、地理的位置を特定し、本装置に保存しうる。これにより、ウェアラブル装置に行なわれる活動のタイプを特定（あるいは推定）させうる。例えば、公園に位置するのであればランニング活動が対応し、スキーリゾートに位置するのであればスキーが対応しうる。
図６５は、ユーザの位置を特定するために提供されうるインターフェースの例を示す。ここで当該位置は、予め定義されたものである。例えば、ユーザのウェアラブル装置がユーザの位置を検出すると、当該装置は、その位置が既知であるか（装置や他のデータベースに保存されているか）を判断しうる。位置の特定は、緯度と経度、地域を示す座標、特定の住所、あるいはこれらの組合せに基づいて行なわれうる。
位置情報は、本装置により、あるいは接続された装置から受信した情報に基づいて特定されうる。接続された装置としては、位置特定コンポーネント（ＧＰＳ、セルラー三角測量など）を備えたモバイル通信装置や携帯音楽プレイヤーが挙げられる。位置情報を他の装置から受信すると、当該位置情報は、当該他の装置の位置を特定しうる。そして他の装置の位置は、活動、ユーザやウェアラブル装置の位置をタグ付けするために用いられうる。当該位置は、当該ウェアラブル装置と他の装置間の既知あるいは見積もられた距離に基づいて特定されうる。
【０１２６】
例えば、ユーザは、本装置を通じて位置を手動で（郵便番号や住所を入力するなどして）特定しうる。所定の、あるいは保存されている位置が見つかると、対応する名称やラベルがユーザの情報として表示されうる。名称やラベルは、ネットワークデータベースから自動的に決定されうる。あるいはユーザにより手動で入力されるか決定されうる。ネットワークデータベースは、例えばサーチエンジンから検索した情報を備えうる。あるいは友人などのユーザにより決定された位置情報を含みうる。
例えば、ウェアラブル装置は、まずその位置が保存された既知のものであるかを、自身のストレージシステムに問い合わせることにより判断しうる。もし当該位置が、本装置に保存された既知のものでなければ、本装置は、当該位置が既知であるかを判断するために、ネットワークデータベースまたは接続された装置のデータベースに問い合わせうる。
【０１２７】
図６６は、ユーザの位置を追跡するために用いられうる位置特定システムによる処理を示す。位置情報は、特定のアスレチックセッションに係るアスレチックデータとともに保存されうる。一例として、ユーザがトレーニングやアスレチックセッションを開始すると、位置特定システムおよび機能（例えばＧＰＳを用いるもの）が自動的に起動されうる。位置特定システムは、ウェアラブル装置あるいは別の装置（モバイル通信装置など）により提供されうる。一例として、ウェアラブル装置は、別の位置特定システムや装置と通信可能にリンクされうる。いずれにしても、位置特定アプリケーションが、ネットワークの接続確認や本装置の位置検出を開始しうる。
ユーザの位置が変わると、アプリケーションは、新たな位置を記録し、装置の位置を再検出する前に所定時間待機しうる。例えば、アプリケーションは、装置の位置を要求する前に、１０秒、１５秒、３０秒、１分、５分などの間、待機しうる。一方、装置の位置が変わらなければ、アプリケーションは、装置の位置を再検出する前に所定時間待機しうる。待機時間は対数的に、徐々に、あるいは指数関数的に増加しうる。あるいは、装置の位置が変わらない間は、全く増加しなくともよい。
【０１２８】
別のモバイル通信装置上で位置特定が行なわれている場合、アプリケーションは、ウェアラブル装置から受信したアスレチックデータを、位置特定システムにより検出された位置情報と自動的に対応付けうる。例えば、位置データは、メタデータとして、あるいはアスレチックデータに係るその他の属性として保存されうる。
【０１２９】
ユーザのアスレチック能力を助長するには、他のユーザと競うのがよい。例えば、あるユーザは、一日の内に、あるいは所定の期間内に、どのユーザが最も活動ポイント、燃焼カロリー、走行マイルなどを蓄積したかを知ることで、他のユーザと競いうる。
活動ポイントは、ある期間におけるユーザの身体的な動きや活動に基づいて蓄積されうる。例えば、２０カロリーが燃焼されると１ポイントが獲得されうる。別の例では、０．２５マイル走るごとに、１ポイントが獲得されうる。様々な種類の換算が用いられうる。
競争の基準は、活動計量値（マイル、カロリー、心拍数など）であってもよい。その場合、アスレチック統計によって計測されないその他の活動が、集計に先立って変換されることが必要とされうる。集計は行なわれなくてもよい。集計値や集計の進捗は、活動全体の進捗から分離されうる。集計値の保存についても同様である。
【０１３０】
図６７は、２人のユーザによる競争の現況を示すウェアラブル装置上のインターフェースの例を示す。進捗は、「v Lisa: You +425」というメッセージにより伝えられうる。当該メッセージは、リサという名のユーザと競争中であり、本装置のユーザがリサに対して４２５ポイント（カロリーや他の計量値でもよい）先行していることを示している。競争相手のデータ（燃焼カロリー量、活動ポイントの獲得数など）は、遠隔のネットワークシステムを介して、あるいは２人のウェアラブル装置間で直接に同期されうる。
少なくとも１人のユーザが所有するウェアラブル装置は、有線または無線接続されたローカルな通信装置や仲介の装置を通じて、他のユーザとデータの同期をとってもよい。
【０１３１】
２人のユーザの相対位置は、縁部の発光により示されうる。図６８と図６９は、ウェアラブル装置の縁部ライト（横ディスプレイ）を用いて競争の状況を表示する例を示す。例えば、右側へ向かう縁部ライトの点灯（図６８参照）は、そのユーザが勝っていることを示し、左側へ向かう縁部ライトの点灯（図６９参照）は、そのユーザが負けていることを示しうる。平衡点（ユーザの進捗が実質的に同じである場合などに対応）は、横ディスプレイのいずれの箇所とされてもよい。一例として、点灯部の縁部ライトにおける中央点からの距離は、そのユーザがどの程度勝っているか、あるいは負けているかを表しうる。
そのような情報は、ウェアラブル装置における他のディスプレイにより、同様に表示されうる。例えば、ウェアラブル装置上面のＬＥＤマトリクスディスプレイは、２人以上のユーザによる競争の状況を、同様に伝えうる。
【０１３２】
図７０は、本装置を装着したユーザと、少なくとも１人の他のユーザによるゲームや競争の状況を示すインターフェースの別例を示す。競争の状況を示すメッセージが、表示インターフェース上で一度に表示するには大きすぎる場合、他のメッセージとともにスクロールしうる。これに加えてあるいは代えて、メッセージ、画像などの情報が１つのディスプレイ上で表示されるには大きすぎる場合、複数のディスプレイが使用されうる。例えば、メッセージがウェアラブル装置の上ディスプレイでは１行で収まらない場合、横ディスプレイに収まらない部分が表示されうる。
【０１３３】
図７１は、新たな対戦相手を特定・追加する際に表示されうるインターフェースメッセージの例を示す。例えば、新たな対戦相手の名前が表示されうる。ユーザは、操作ボタンを所定時間継続して押下すると、検出・特定された新たな対戦相手が望む者であることの確認を求められうる。
【０１３４】
図７２は、本装置を最初にプラグインし、ソフトウェアをダウンロードし、他の装置（ネットワーク接続された装置）とペアリングを行なうときにユーザが指示されうる、登録処理フローの例を示す。接続がなされると、次いでユーザは、アスレチック能力監視サービスに係るサービスプロファイルを定義するために、登録情報を入力しうる。すると当該プロファイルは、活動監視サービスに保存されうる。また当該プロファイルは、ウェアラブル装置にも保存されるために提供されうる。競争の前にユーザが登録処理を終了すると、本装置は、既定の設定を使用しうる。
【０１３５】
アプリケーションが、活動データの追跡性を向上させるために、少なくとも１つの演算装置にダウンロードされてもよい。例えば、アプリケーションは、活動情報のグラフ化と、当該グラフの表示を可能にしうる。能力向上のための推奨事項の提供や目標の設定についても同様である。アプリケーションは、装置の構成や更新をさらに容易にしうる。装置や遠隔サイト（活動監視サイトやサービスなど）との通信についても同様である。
これに加えてあるいは代えて、ウェアラブル装置は、登録に先立つ使用についてロックがかけられうる（例えば、設定範囲を超える全ての機能を無効化したり、通常のアスレチック能力監視を無効にしたりする）。通常のアスレチック能力監視は、ユーザによる活動の検知を含みうる。また情報のインターフェースへの表示や、目標の追跡も含みうる。しかしながら、データは保存されず、ユーザとデータとの関連付けも形成されない。例えば、活動情報のようなデータは、初期フェーズ、スタートアップや登録の間、本装置やアプリケーションに保存されうる。
【０１３６】
図７３Ａ〜図７３Ｇは、インターネットなどのネットワークを通じて新たなユーザや装置を登録するために用いられうる登録インターフェースの例を示す。
【０１３７】
図７４Ａは、ユーザがモバイルアプリケーションを通じて装置およびユーザを登録しうる登録処理フローの別例を示す。図７２の処理フローとは異なり、図７４Ａでは、モバイル通信装置上で実行されるアプリケーションを通じて登録がなされる。一方、図７２においては、ウェブサイトやソフトウェア（デスクトップまたは非携帯型のコンピュータ上で実行されるソフトウェアなど）を通じて登録がなされる。
【０１３８】
図７４Ｂ〜図７４Ｐは、モバイル通信装置を通じて新たなユーザや装置を登録するために用いられうる登録インターフェースの例を示す。
【０１３９】
登録の成功をもって、ウェアラブル装置、およびモバイル通信装置のアプリケーションは、装置およびアプリケーションが活動の追跡を開始する準備ができたことを示す標識を提供しうる。例えば、図７５は、ユーザへのグリーティングメッセージを含むユーザインターフェースの例を示す。グリーティングは、装置が活動の追跡を開始する準備ができたことを示しうる。他の標識を用いてもよい。
【０１４０】
図７６と図７７に示すように、アプリケーションは、ウェアラブル装置が活動追跡の準備ができた旨のメッセージを提供し、さらに活動追跡におけるアプリケーションの能力に係る情報を提供しうる。例えば、本装置は様々な計量値を測定・記録しうる。当該計量値は、活動ポイント、燃焼カロリー、走行距離などを含む。一方、アプリケーションは、別の情報を提供するために測定・記録されたデータを処理するように構成されうる。当該別の情報は、位置・経路情報、進捗・傾向情報、比較データ（ユーザの活動を友人や他のユーザと比較するもの）を含む。
【０１４１】
図７８Ａ〜図７８Ｇは、既存のユーザについて新たな装置を登録するためのユーザインターフェースの例を示す。例えば、既存のユーザについての新たな装置の登録は、ログイン認証情報の入力をユーザに要求しうる。ユーザは、認証の成功をもって新たな装置をリンクしうる。
【０１４２】
別の登録処理が用いられてもよい。当該処理においては、必要に応じて活動追跡サービスやユーザによってオプションが増減される。例えば、登録処理の一部（日々の目標設定やディスプレイの設定など）は必須でなくともよいとされる。
【０１４３】
ユーザは、様々なアカウントを用いて活動追跡サービスまたはアプリケーションにログインまたはサインインしうる。当該アカウントは、当該活動追跡サービスにより提供されたものでなくともよい。例えば図７９は、複数のアカウントを用いるサインインオプションを提供するモバイル装置上のアプリケーション画面を示す。当該複数のアカウントには、活動追跡サービスのアカウント、フェイスブックのアカウント、ツイッターのアカウントが含まれる。
例えば、活動追跡サービスは、活動追跡アプリケーションのプロバイダに対応しうる。フェイスブックやツイッターのアカウントのような外部アカウントを用いて当該活動追跡サービスにサインインあるいは登録する場合、ユーザは、当該活動追跡サービスおよび外部システムやサイトとのデータ送信、やり取り等について承認が求められうる。
【０１４４】
図８０と図８１は、各外部サービスとデータをやり取りするための承認を提供するユーザインターフェースの例を示す。
【０１４５】
例えば図８０は、活動追跡サービスをユーザのフェイスブックアカウントにリンクさせるために、ログイン情報の入力をユーザに要求するフェイスブックのログインページを示す。また図８１は、活動追跡サービスやアプリケーションがユーザのツイッターアカウントとやり取りすることを承認するために、ログインをユーザに要求しうるツイッターログインを示す。図８１に示すように、ユーザは、アプリケーションやサービスが承認された旨、外部サービスの機能、データ、インターフェースが、当該アプリケーションやサービスで利用可能になった旨の通知を受けうる。
【０１４６】
活動追跡サービスやアプリケーションにユーザがログインすると、当該ユーザは、図８２Ａと図８２Ｂに示すようなプロフィール情報の提示をうけうる。アプリケーションインターフェース８２００は、プロフィール写真８２０１、活動ゲージ８２０３、使用されている装置の識別子８２０５、計量値などを含みうる。計量値には、日ごとの活動平均値や活動した日数が含まれる。使用されている装置の識別子８２０５は、活動の測定・記録に使用されている装置に対応し、ユーザの活動が複数の装置により追跡されている場合は、複数の装置のリストを含みうる。
例えば、複数の装置の１つだけがインターフェース８２００上で特定されうる。ユーザの活動の大半を追跡している装置が、他の装置を除いて表示されてもよい。またユーザは、上記識別子８２０５により特定される装置を選択しうる。
【０１４７】
セクション８２０７には、現在の活動が表示されうる。活動は、期間（日、週、月、時間、２時間、６時間、１２時間など）によってグループ化されうる。よってセクション８２０７は、直近の活動時間数を表示しうる。例えば、セクション８２０７は、直近３日間の活動を表示しうる。この場合、各日がセクション８２０７のエントリにリスト表示されうる。
セクション８２０９は、所定の記録カテゴリを複数含みうる。複数のカテゴリとしては、ベストの日、ベストの週、ベストの月、その週におけるベストの日、最長記録などが挙げられる。複数のカテゴリの１つを選択すると、当該カテゴリに係る記録をアプリケーションに表示させうる。
現在の活動および記録に加え、インターフェース８２００は、ユーザの賞や成果を表示するように構成されたトロフィーセクション８２１１をさらに含みうる。例えば、様々なトロフィーやマイルストーンが定められうる。その例としては、１日に獲得した活動ポイントの量、ポイント目標の連続達成日数、目標を上回った量などが挙げられる。
【０１４８】
アプリケーションにおける様々な上位モードをユーザに切替えさせる機能バーあるいはツールバー８２１３が、インターフェース８２００に表示されうる。例えば、バー８２１３における「Ｍｅ」タブを選択すると、図８２Ａと図８２Ｂに示したプロフィール情報が表示されうる。「Ｈｏｍｅ」タブを選択すると、現在のセッションや期間に係る活動の現在のレベルが視覚的に表示されうる。「Ｈｏｍｅ」タブは、評価期間における活動ポイントトラッカを表示させるものであってもよい。例えば、評価期間は装置の使用開始から最初の２４時間に対応しうる。
【０１４９】
これに加えてあるいは代えて、メニューオプションにおけるユーザの選択により、図８２Ｃに示すように、Ｈｏｍｅ、Ａｃｔｉｖｉｔｙ、およびＭｅに係るモードあるいはインターフェースが、ドロップダウンメニューなどの形式で表示されうる。Ｈｏｍｅ、Ａｃｔｉｖｉｔｙ、およびＭｅモードオプションを隠すことにより、他のアイテムを表示するためのスペースがディスプレイ上に確保されうる。図８２Ａと図８２Ｂのインターフェースとは異なり、図８２Ｃのインターフェースは、アプリケーションの大きなモードの１つを選択する前に、さらなるユーザ入力や操作を要求しうる。
【０１５０】
図８２Ｄに示す構成においては、プロフィールインターフェースは、アプリケーションの別機能に係るメニューをさらに含みうる。一例として、図８２Ｃに示した大きなモードを選択するメニューを起動するユーザ操作とは異なるユーザ操作を受け付けると、メニュー８２２１が表示されうる。
メニュー８２２１においては、例えば、ユーザはオプションの提示を受けうる。オプションの例としては、（ウェアラブル装置との）同期、通知、設定、シェアが挙げられる。メニュー８２２１に含まれるオプションは、現在アクティブなインターフェース、表示される情報、アプリケーションのモードに応じて変更可能である。
【０１５１】
図８３Ａ〜図８３Ｄは、評価期間中における活動ポイントの蓄積量を表示するインターフェースの例を示す。活動追跡インターフェース８３００は、様々な標識を含みうる。標識には、活動ポイント標識８３０１、グラフィックベースの評価期間残量標識８３０３、文字ベースの評価期間残量標識８３０５、およびメッセージ部８３０７を含む。メッセージ部８３０７は、進捗レベルを含む様々な情報を伝えうる。
グラフィックベースの評価期間残量標識８３０３は、円形のトラックを含みうる。当該トラックの見え方は、評価期間のカウントダウンが進むにつれて変化する（特定の色で塗られていく等）。また文字ベースの評価期間残量標識８３０５が、詳細な時間の情報を提供するために表示されうる。その他様々なグラフィックベースの標識が、評価期間の経過分や残量を示すために用いられうる。
活動ポイント標識８３０１は、蓄積された活動ポイントに関する情報をユーザに提供しうる。活動ポイント標識８３０１は、リアルタイムに更新されうる。あるいは実質的にリアルタイムで、オンデマンドで、定期的に、不定期的に、またはその他特定のスケジュールや規則に基づいて更新されうる。更新処理は、ウェアラブル装置のデータとの同期処理を含みうる。例えば、活動ポイントの計数値の更新処理は、モバイル装置の動きにより、あるいはスリープ状態からアクティブ状態や待機状態への移行により起動されうる。
これに加えてあるいは代えて、更新標識８３０９は、いつデータが同期されたのか、いつウェアラブル装置からモバイル装置へデータが更新されたのかを特定するために用いられうる。活動ポイントデータの更新や同期を要求するために、オプションが提供される構成としてもよい。
【０１５２】
メッセージ部８３０７は、状況に沿った情報を伝えるために用いられうる。例えば、評価期間の開始時の間、メッセージ部８３０７は、ウェアラブル装置がユーザを評価する予備フェーズにある旨を示しうる（図８３Ａと図８３Ｂ参照）。評価期間が進むにつれ、メッセージは、ユーザが評価期間の半分を終えた旨を示すように変化しうる（図８３Ｃ参照）。ユーザが評価期間の終了に近づくと（残り５％、１０％、１５％、２５％など）、メッセージ部８３０７は、その状況をユーザに示しうる（図８３Ｄ参照）。
【０１５３】
活動追跡アプリケーションを実行するモバイル装置は、待機状態（例えば、ディスプレイが消灯され、キーロックや入力ロックがかかる）に移行してもよい。本装置が待機状態に移行すると、モバイル装置の背後にある動作システムを用いる通知が生成・表示されうる。当該通知は、当該アプリケーションがアクティブでなくとも、あるいは本装置が活動追跡アプリケーションを積極的には表示していなくとも、評価期間の完了までの進捗を示しうる。
【０１５４】
図８４Ａ〜図８４Ｃは、評価期間中の様々な場合に表示されうる通知インターフェースの例を示す。通知は、タッチ入力ロック画面上に表示されうる構成としてもよい。よってユーザは、当該通知を操作できるものの、装置インターフェースの他の項目に対する操作は、ロックが無効化されるまで制限されうる。またこのような通知は、アプリケーションがバックグラウンドで実行されている場合（ＯＳのフォアグラウンドで表示あるいは実行されていない場合）に生成・表示されうる。よってユーザがＥメールをチェックしたり、他のアプリケーションを通じて音楽を聴いたりしている場合、活動追跡アプリケーションがフォアグラウンドで表示されていなくとも、活動追跡通知の表示は継続されうる。
【０１５５】
図８４Ｄ〜図８４Ｆは、様々なトリガイベントの検出をもってユーザに提供されうる通知インターフェースの別例を示す。これらの図に示される通知は、ドロップダウンメニューとして提供されうる。ここで初期通知標識は、インターフェースのヘッダマージンに表示される。活動追跡通知は、他のアプリケーションからの通知とともに表示されうる。他の通知とは分離されて表示されてもよい。通知システムは、背後の（バックグラウンドで動作している）ＯＳにより提供され、活動追跡アプリケーションにより起動されうる。
【０１５６】
評価期間の完了をもって、アプリケーションは、図８５Ａに示す完了メッセージを表示しうる。評価期間中に蓄積された活動ポイントの量に加え、アプリケーションは、ウェアラブル活動追跡装置からの活動データと同期するためのオプションをさらに表示しうる。例えば、アプリケーションにて追跡された活動ポイントの量は、直近の同期処理をもって更新されうる。よって活動データは、当該データが連続的に、あるいはリアルタイムで同期されていれば、更新されうる。すなわち、表示されている活動ポイントの量は、直近の同期処理がいつ行なわれたかによって正確な値でない場合がある。よって同期オプション８５０３の選択をもって、別のデータがウェアラブル装置から受信されうる。
【０１５７】
同期処理は、進捗バー８５１３を表示するように構成された同期インターフェース８５１０を提供しうる。進捗バー８５１３は、同期処理の進捗につれて増加する活動ポイントの合計値とともに表示される。例えば、活動ポイントの値は、ウェアラブル装置から新たな活動ポイントデータを受け取る度に動いて見えるようにしてもよい（例えばカウントアップするように）。同期インターフェース８５１０は、同期処理の残り時間をさらに示しうる（例えば進捗バー８５１３を通じて）。
【０１５８】
評価期間が完了し、当該期間における活動ポイントの同期がアプリケーションとモバイル装置の間でなされると、アプリケーションは、評価期間中におけるユーザの活動に係るより詳細な情報を提供しうる。例えば、ユーザの活動が、より詳細に、あるいは追加の解析とともに表示されうる。
【０１５９】
図８６は、評価期間中に行なわれた活動のサマリを提供するインターフェースの例を示す。例えば、アプリケーションは、最も高い活動期間を、ユーザが活動した期間のパーセンテージとともに判断・特定しうる。当該サマリは、さらにユーザのパフォーマンスを他のユーザの平均と比較しうる。当該平均は、特定のタイプのユーザ達の平均としてもよい。例えば、全男性の平均、１８〜２５歳の全ユーザの平均、特定の州、郵便番号、地域などに在住の全ユーザの平均、特定の活動追跡装置を使用している全ユーザの平均、特定の身長や体重の全ユーザの平均、あるいはこれらの組合せを、上記の平均としうる。
【０１６０】
図８７Ａと図８７Ｂは、評価期間の活動データを見て解析するための情報表示の例を示す。図８７Ａでは、活動ポイントの値、燃焼カロリーの値、および歩数の値のサマリ８７０１が提供されうる。他の計量値も必要に応じて含まれうる。そしてその設定は、ユーザにより、活動追跡サービスにより、あるいは他のエンティティにより構成されうる。図８７Ａの表示は、評価期間中に行なわれた活動に係る追加情報や詳細情報を表示するためのオプション８７０３をさらに含みうる。
【０１６１】
追加情報オプションの選択をもって、図８７Ｂに示すように、評価期間中の活動に係るより詳細な内容が表示されうる。例えば、ユーザの活動レベルの時間推移を示すグラフ８７１１が表示されうる。これによりユーザは、活動が高いあるいは低い時間帯を特定できるようになる。また解析情報が表示されうる。当該情報は、最も活動的な時間帯、１日（あるいは他の評価期間）においてユーザが活動した時間のパーセンテージ、およびユーザの活動ポイントと同一期間における平均的なユーザの活動ポイントとの比較を含む。
活動的であるかは、ウェアラブル装置により検出・記録された動きの量に基づいて決定されうる。検出された動きや活動に係る閾値に基づいて活動的であるかが決定されてもよい。例えば、活動または動きが歩数に基づいて検出される場合、ユーザは少なくとも５秒以内に２歩進むことが求められうる。この５秒間が活動的な時間として登録されうる。ウェアラブル装置により検出された動きは、振幅や強度を有する信号として登録されてもよい。この場合、ウェアラブル装置は、少なくとも閾値振幅や強度を有する信号のみを記録すればよい。よってユーザは、閾値振幅や強度の動きをした場合にのみ活動的であるとみなされうる。
【０１６２】
詳細な情報の表示から、ユーザは、目標設定オプション８７１３を選択しうる。目標は、特定量の時間に対応しうる。例えば、１日、１時間、１週間、１か月などである。目標期間が評価期間に対応する構成としてもよい。例えば、評価期間が１日の場合、目標期間は１日と定められうる。あるいは、ユーザが自身の目標期間を定めてもよい。
【０１６３】
目標設定オプション８７１３（図８７Ｂ参照）の選択をもって、アプリケーションは、図８８Ａに示す目標設定メニュー８８０１をさらに表示しうる。当該メニューにおいては、ユーザは、目標設定のための予め定められたオプション群の提供を受けうる。所定のオプション群は、評価期間中に記録された活動データに基づいて生成されうる。例えば、オプション群は、評価期間中に記録された活動を所定の量や率だけ上回る目標を設定すること、および評価期間中に記録された活動を所定の量や率だけ下回る目標を設定することを含みうる。
目標は、ウェアラブル装置により測定・記録された全ての計量値により定められうる。当該計量値には、活動ポイント、燃焼カロリー、歩数などが含まれる。計量値ごとに異なる目標が定められる構成としてもよい。例えば、ユーザは、１２００活動ポイントを獲得し、７００カロリーを消費するといった具合に指定が可能である。１５００活動ポイントを獲得し、１５０００歩だけ歩くといった指定も可能である。
【０１６４】
ユーザが所定の目標群から１つを選択した後、当該ユーザは、目標を細かく調整するオプションが提供されうる。図８８Ｂは、ユーザが目標メニュー８８０１（図８８Ａ参照）から目標を選択すると表示されうる目標調整インターフェースの例を示す。図８８Ｂにおいて、ユーザはスライドバー８８０３に所定の目標を調整させうる。スライドバー８８０３は、ユーザに所定の目標を特定の量や率だけ増減させるだけでもよい。ユーザは、制限なく所定の目標を増減できる構成としてもよい。
調整が完了すると、ユーザは、選択オプション８８０５により当該目標を保存しうる。次いで目標期間の設定が行なわれうる。目標期間は、すぐに開始してもよいし、後で開始してもよい（例えば、明日、ユーザに選択された時刻、トリガイベントの検出時など）。トリガイベントは、目標期間の開始のためにユーザがウェアラブル装置のボタンの押下すること、活動の継続時間が指定期間（５分、３０秒、１分、１時間、３０分、１０分など）を上回ったことの検出、これらの組合せなどを含みうる。
【０１６５】
活動は、指定された目標に基づいて、あるいは目標によらず追跡されうる。活動が目標に基づいて追跡される場合、ユーザは、現在の進捗状況を様々な方法で見ることができる。活動追跡アプリケーションは、プロフィールインターフェース、活動表示インターフェース、およびホームインターフェースを含みうる。これらインターフェースの各々は、ユーザの目標への現在の到達度、および行なった活動の量に係る情報を提供しうる。異なるインターフェースは、異なる詳細度、異なる計量値、異なる活動データの解析結果、現在の到達度情報とともに表示される異なるタイプの追加情報などを提供しうる。
【０１６６】
図８９Ａは、（獲得や検出などにより）蓄積された活動ポイントの量ホームインターフェースの例を示す。例えば、日々の活動ポイントを目標とすることができる。目標は、透明あるいは半透明の外観を有するシェイプやオブジェクト８９０１として可視化されうる。ユーザが活動ポイントを蓄積するにつれ、シェイプやオブジェクト８９０１は、見え方を変え始めうる。例えば、シェイプの少なくとも１つが色を表示するために変更されうる。変更されたオブジェクトの部分は、標識８９０３のようなプログレスバーや標識に対応しうる。シェイプが変更される量は、目標のうち達成された量や率に対応しうる。よってユーザが目標の２５％を達成した場合、目標シェイプは、２５％が着色され、７５％が透明とされうる。目標のうちこれから達成される量と既に達成された量を区別するために、その他の視覚的効果や視覚的標識が用いられうる。
【０１６７】
プログレスバー８９０３のような目標のうち達成された量を示す視覚的標識は、目標までの距離を表す様々なパターン、色、その他の視覚的効果を含みうる。例えば、赤色は目標への到達度が最低である（０〜１０％）旨を表し、黄色は到達度が適度である（４０〜６０％）旨を表しうる。緑色は、到達度が顕著である（８０％以上）旨を表しうる。その他の色が、その他の進捗度（％など）を表すために用いられうる。図８９Ａに示す例においては、目標達成度スペクトルが、色スペクトル（赤色から緑色の色範囲など）により表現されうる。
プログレスバーは単色表示されてもよい。ここで当該色は、目標達成度に応じて定められうる。例えば、ユーザが目標の７５％を達成した場合は緑色で、目標の１５％未満しか達成していない場合は赤色で表示されうる。
図８９Ａに示すように、プログレスバー８９０３は複数色で表示されてもよい。ここで各色は進捗度を示しうる。当該進捗度は、シェイプ８９０１およびプログレスバー８９０３の各部に対応付けられている。
【０１６８】
また、他の様々な計量値および進捗に係る情報が、インターフェースに表示されうる。当該情報は、燃焼カロリー、ユーザが活動的であった時間の量、歩数、移動距離などを含む。
アプリケーションは、様々なメッセージもユーザに提供しうる。当該メッセージは、励ましのメッセージ、指示的な（例えば活動レベルを向上するための）メッセージ、情報（目標を達成するために必要な活動ポイントの数）を伝えるメッセージ、雑学的情報などを含む。
計量値は、アプリケーションや、当該アプリケーションが動作している装置や、ウェアラブル活動監視装置によって、（計算などを通じて）決定されうる。同様にして、メッセージは、アプリケーションや、ウェアラブル活動監視装置によって、生成あるいは選択されうる。
【０１６９】
図８９Ｂは、その他追加的な類の活動情報を表示しうる活動インターフェースの例を示す。目標情報に代えてあるいは加えて、インターフェース８９２０は、１日、１週間、１か月、１年、その他所定のあるいはカスタマイズされた期間における、ユーザの活動を報告する活動サマリ情報を表示しうる。サマリインターフェース８９２０において、ユーザの活動は、所定の期間に分割されうる。所定の期間としては、日単位、時間単位、週単位、月単位、年単位などが挙げられる。一例として、所定の期間は、選択された表示に依存しうる。例えば１日単位の表示が選択された場合、ユーザの活動は、時間単位に分割され、週単位の表示が選択された場合（図示のインターフェース８９２０）、ユーザの活動は、日単位に分割されうる。
【０１７０】
ユーザの活動レベルは、様々な手法で可視化されうる。当該手法は、棒グラフ８９２１のようなグラフの使用を含む。各曜日は、グラフ８９２１における活動バーによって表され、各バーは、目標達成度を表すように色分けされうる。例えば、ユーザが目標に対する第１の閾値（２５％など）の達成に失敗した場合、対応するバーが異なる色（赤色など）で表示されうる。ユーザが第１の閾値の達成に成功したものの、第２の閾値の達成に失敗した場合、対応するバーがさらに異なる色（黄色など）で表示されうる。任意の数の閾値が設定され、任意の数の色が使用されうる。
また目標を上回る量についての閾値が設定され、色、パターン、視覚的効果によって表されてもよい。例えば、ユーザが目標を特定量（１０％など）だけ上回った場合、活動バーが枠で、あるいは黒色で表示されうる。ユーザが目標をより大きく（２５％など）上回った場合、活動バーは、例えばアイスブロックで表示されうる。
その他の視覚的、文字あるいは画像ベースの標識が、対応する目標の達成度を示すために用いられうる。当該標識は、アイコン、アニメーション、パターン、透明度など、あるいはこれらの組合せを含む。
【０１７１】
サマリ部８９２３は、表示された期間（１週間など）においてユーザにより獲得された活動ポイントの合計量をさらに表示しうる。またインターフェース８９２０は、達成された目標の数を示しうる。図示の例においては、ユーザは、７つの日課のうち４つが達成されている。またインターフェース８９２０は、少なくとも１つの活動バーをユーザに選択させ、その日のより詳細な情報を確認できるようにしうる。当該情報は、その日に獲得された活動ポイントの数、その日に設定された目標などを含む。これに加えてあるいは代えて、インターフェース８９２０は、表示された期間における様々な計量値も表示しうる。
【０１７２】
図８９Ｃは、活動ポイント情報が表示されうるインターフェースの別例を示す。具体的には、インターフェース８９３０は、ユーザのプロフィール表示を含みうる。当該表示は、蓄積された（例えば過去に）活動の合計量、平均、活動期間（日、週、月、時間など）とともに、現在の活動の表示および記録を含む。ユーザは、これらの情報項目のいずれかを選択し、さらなる詳細情報を確認できる。例えば、その日の最高記録を選択すると、その日におけるユーザの活動レベルを示すグラフが、時間単位で表示されうる。詳細情報は、その日に設定された目標、およびその日に行なわれた活動の統計値あるいは計量値（燃焼カロリー、移動距離、歩数、平均ペースなど）を含みうる。
【０１７３】
活動追跡に係る可視化およびインターフェースは、表示装置の向きに応じて自動的に変化しうる。例えば、表示装置が縦向きに保持された場合、インターフェースは図８９Ｃに示すように見える。しかしながら、表示装置が横向きにされた場合、インターフェースは、図８９Ｄに示す見え方に変化しうる。
図８９Ｄにおいて、インターフェースは、特定の時間単位（１時間毎、１分毎、１秒毎など）内になされた活動のグラフを提供しうる。よって横向き表示は、その日の、またはその他の活動追跡期間における活動ポイントの蓄積に係るより詳細な情報を提供しうる。
生成・表示されるデータやインターフェースの種類は、現在の姿勢における幅と高さを含むディスプレイの寸法に依存しうる。例えば、ある程度の幅を有するグラフは、ディスプレイの幅が当該グラフの幅を下回る姿勢である場合は、選択・表示されなくてもよい。
これに加えてあるいは代えて、図８９Ｄに示す表示は、縦向きの際に選択されてもよい。例えば、ユーザは、ディスプレイまたは表示装置の姿勢によらず、時間単位、分単位に細分化された獲得活動ポイントを確認するオプションを選択しうる。
【０１７４】
ユーザは、ユーザの活動が比較対象とされる目標を設定しうる。目標が設定されると、ユーザは、同じ期間について、あるいは別の期間（次の日、次の週、週末など）について、当該目標を修正したり、別の目標を設定したりできる構成としてもよい。例えば、１日の途中あるいはその他の期間の途中で、ユーザは、現在設定されている目標を上回ったことに気付く場合がある。そして当該ユーザは、当該目標を修正して、より困難な設定にしたいと望む場合がある。あるいは、ユーザが設定した目標を達成できなそうだと感じた場合、当該ユーザは目標をより容易なものに修正しうる。
またユーザは、現在の目標達成や目標期間の満了を待たずに、別の目標の設定が可能とされうる。例えば、活動の初日を休んだ場合、ユーザは翌日や翌週などについて目標を設定しうる。
【０１７５】
図９０Ａは、ユーザが目標の修正や設定機能を起動しうるインターフェースの例を示す。ユーザは、表示されたオプションを選択したり、表示装置を指定された方法で操作したりすることにより、目標オプションメニュー９００１を起動しうる。例えば、ユーザは、目標オプションメニュー９００１を起動するために、所定時間ボタンを押下するように要求されうる。ユーザは、タッチ感応型表示装置にジェスチャーを入力することにより目標オプションメニュー９００１を起動してもよい。
目標オプションメニュー９００１は、現在の目標を修正したり、今後の目標を設定したりするオプションを含みうる。本装置は、今後の目標に係る期間を、目標が定められていない場合用の第１期間に基づいて、自動的に選択しうる。例えば、明日と明後日の各々について目標が定められた場合、本装置とアプリケーションの少なくとも一方は、３日後について今後の目標オプション９００３を定めうる。
目標修正メニュー９００１が有効の間、活動の追跡と監視は一時停止される構成としてもよい。また目標修正メニュー９００１が有効であっても、活動の追跡と監視が継続される構成としてもよい。
【０１７６】
目標は、計量値の違いを反映するように修正されうる。例えば、現在の目標が活動ポイントに基づいて定められている場合、ユーザは、燃焼カロリーや歩数に対応するように目標を修正しうる。これに加えてあるいは代えて、目標達成度（検出あるいは蓄積された活動データなど）は、新たな目標の設定をもってリセットされうる。ユーザが現在の目標に係る計量値を切替えた場合、既存の目標達成度が、指定された変換因子に基づいて新たな計量値に変換されうる構成としてもよい。
活動は、（ウェアラブル装置やモバイルアプリケーション装置などによって）複数の計量値を用いて検出・追跡されうる。よって本装置は、目標に係る計量値が修正された場合、異なる計量値群を検索可能である。
【０１７７】
モバイルアプリケーション、活動追跡用ウェアラブル装置、活動追跡サービスの少なくとも１つにおける目標の修正・設定機能は、最初の評価期間を終えたユーザのみに利用可能とされてもよい。要求は、ウェアラブル装置、活動監視アプリケーション、活動監視サイトの少なくとも１つに、目標へ向けての提案、製品、指導的助言などをユーザに対して提示させうる。当該提示は、ユーザが目標に向けて動き出す前に行なわれる。これに加えてあるいは代えて、評価期間は、活動検出・計測用センサおよびアルゴリズムの較正を行なうことで、より正確な計測と追跡をウェアラブル装置に提供させうる。
【０１７８】
目標の修正・設定機能の選択をもって、ユーザは目標設定用インターフェースの提供を受けうる。一例として、当該インターフェースは、図８８Ｂに示した目標設定・修正インターフェースと同様の外観を呈しうる。その他の目標修正・設定インターフェース、操作エレメント、目標表示などが用いられうる。
【０１７９】
図９０Ｂは、目標追跡インターフェースを確認するときに起動されうる目標設定メニューの別例を示す。
【０１８０】
図９０Ｃは、目標更新オプションボタンを含みうる目標修正インターフェースの別例を示す。
【０１８１】
幾つかの場合において、設定可能な目標の範囲についてユーザは制約を受けうる。例えば、目標設定・修正機能は、ユーザに最小閾値以上かつ最大閾値以下の目標のみを設定させうるようにしてもよい。閾値は、現在の目標に対する比率、ベースライン活動レベル（評価期間中に特定されたものなど）に対する比率、絶対値、最大活動レベル（これまでに獲得あるいは記録された活動ポイントの最大量など）に対する比率などとして定められうる。
【０１８２】
図９１は、最小閾値を下回る目標をユーザが設定しようとした場合に、当該ユーザに表示されうる通知の例を示す。
【０１８３】
図９２は、最大閾値を上回る目標をユーザが設定しようとした場合に、当該ユーザに表示されうる通知の例を示す。
例えば最小閾値と最大閾値に目標が設定された場合、それぞれ図９１と図９２に示す通知が表示されうる。
【０１８４】
目標は、ユーザが現在設定されている目標を達成した後でも、さらに修正されうる。目標の引き上げは、（ユーザの選択などによって）手動でトリガされてもよいし、ユーザによる現在設定されている目標の達成をもって、モバイルアプリケーションにより自動的にユーザに提案あるいは推奨されてもよい。ユーザに現目標の引き上げを許容することにより、目標達成後に活動を全く登録させない場合よりも、当該ユーザの挑戦意欲を高めうる。例えば、現在達成されている目標の修正は、目標の引き上げに限られ、（現在の目標やベースレイン活動レベルなどに対する）特定の比率あるいは絶対値に制限されうる。目標の設定や修正は制約を受けない構成としてもよい。
【０１８５】
図９３は、達成された目標を引き上げることでユーザをさらなる挑戦に駆り立てるために提供されうるプロンプトまたは通知の例を示す。図９３に示すプロンプトは、ユーザが所望の更新済み目標を選択した後、目標の引上げ意志の確認をするために提供されうる。
【０１８６】
図９４Ａと図９４Ｂは、ユーザが目標を修正しうるインターフェースと機能の別例を示す。幾つかの場合において、目標修正オプションは、ユーザのパフォーマンスが一定期間レビューされると、当該ユーザに対し、モバイルアプリケーションにおいて生成・提供されうる。例えば、図９４Ａにおいては、ユーザの直近３日間の活動の平均が、当該３日間について設定された目標と比較されうる。ユーザの当該機関における実際の活動の平均が設定された目標の平均を上回った場合、あるいは当該平均目標を指定された量だけ上回った場合、アプリケーションは、当該目標の日課目標を引き上げるためのオプション９４０１を提案あるいは提示しうる。
オプション９４０１は、特定の条件下でのみ提供されうることにしてもよい。例えば、ユーザがＸ個の目標期間のそれぞれについて目標を達成した場合、ユーザが設定された目標の平均を指定された量だけ上回った場合（１０％、２０％、２５％、５０％など）、ユーザがＸ個の目標期間の少なくとも１つについて目標を達成した場合、ユーザが設定した目標を上回った量の平均が指定された閾値以上である場合などの少なくとも１つが判定されると、オプション９４０１がユーザに対してトリガされうる。
【０１８７】
一方、過去Ｘ個の目標期間についてのユーザの平均活動レベルが平均目標を下回った場合、あるいは平均目標を指定された量だけ下回った場合、当該ユーザは、目標を引き下げるために、図９４Ｂに示すオプション９４１１の提示を受けうる。オプション９４０１（図９４Ａ参照）と同様に、様々な規則（上述したものと類似した規則も含む）が、いつオプション９４１１がアプリケーションにより生成され、ユーザに提示されるのかを定めるために設定されうる。
【０１８８】
またユーザは、目標期間内における自身のパフォーマンスを様々な方法で確認しうる。そして別の意義を提供するために当該期間内に収集された情報が伝えられうる。図９５Ａ〜図９５Ｃ、図９６Ａ〜図９６Ｃ、および図９７Ａ〜９７Ｃは、目標期間中に蓄積された活動の量を示す様々なアニメーションを示す。
例えば図９５Ａ〜図９５Ｃにおいては、最終的な活動の合計値についてのユーザの期待を高めるとともに、より強い達成感をユーザに与えるために、目標オブジェクトが変化していく様子がアニメーションで表現されうる。
アニメーションや目標期間についての活動サマリは、様々なタイミングでユーザに伝えられうる。当該タイミングとしては、目標期間の終了、活動追跡装置の活動データとの同期処理中、特定の目標期間について自身の活動レベルを確認するオプションをユーザが選択したとき、ユーザが目標を達成したとき（例えば、ある目標期間における目標を達成していない場合は、アニメーションやレビューは表示されなくてもよい）、ユーザが目標以外のマイルストーンや成果を達成したときなどが挙げられる。
【０１８９】
図９５Ｃは、目標期間についての活動レビュー（あるいはそのアニメーション）が終了したときのインターフェースを示す。当該インターフェースは、目標を達成したのか、目標を達成しなかったのか、目標を上回ったのか、目標を上回った量の少なくとも１つを含むメッセージを表示しうる。また当該インターフェースは、その期間に記録された活動を共有するオプションを含みうる。この点については以下詳しく述べる。
【０１９０】
図９６Ａ〜図９６Ｃと図９７Ａ〜図９７Ｃは、様々な状況で表示されうるアニメーションおよび活動レビューの別例を示す。例えば、プログレスバーのアニメーションやプログレスバーの外観は、ユーザが目標を上回った量に応じて異なりうる。またユーザが目標を達成しなかった場合や、達成したものの指定された量を上回っていなかった場合にも異なりうる。
例えば図９６Ａ〜図９６Ｃにおいては、プログレスバー９６０１が、ユーザが期間中に目標を２０％上回ったことを表すために、冷涼感のある外観で表示されうる。アニメーションにおけるその他の属性も異なりうる。属性としては、プログレスバー９６０１の伸びる速度、背景色、パターン、絵の動き方、プログレスバー９６０１の伸びに付随して表示されるアニメーション（例えば、プログレスバー９６０１から落下する氷片や氷塊）などを含む。
【０１９１】
図９７Ａ〜図９７Ｃにおいては、プログレスバー９７０１が、表示されうる。ユーザが期間中に目標を５０％上回ったことを表すために、燃焼感のある外観で表示されうる。
【０１９２】
活動追跡アプリケーションは、個々の目標期間、および当該期間における目標の達成（あるいは非達成）を追跡するように構成されている。さらに活動追跡アプリケーションは、複数の目標期間についてのフィードバックおよびレビュー情報を提供しうる。例えば、活動追跡アプリケーションは、活動ストリークの追跡・監視しうる。ストリークとは、複数の連続した目標期間に対応する複数の目標の達成を意味しうる。ストリークは、Ｘ個の連続した目標期間についてユーザが目標を達成した場合のみ認識されるようにしてもよい。ここでＸは、１より大きな（２以上の）任意の数である。ストリークの追跡と認識は、自身の活動レベルを維持または向上させ、全ての目標を達成するために、ユーザにモチベーションを上げる要因を提供しうる。ストリークは、より健康でアクティブなライフスタイルを送ろうという考えを力づけもする。
ユーザは、褒賞や表彰の類とともに讃えられうる。褒賞は、クーポン、無料製品、バーチャルアイテム、サービス、イベントチケットなどを含む。バーチャルアイテムは、バーチャル衣料、アイコン、画像などを含む。例えば、褒賞は、活動追跡装置やモバイルアプリケーションで使用される新たな色や画像のロックを解除することを含んでもよい。これに加えてあるいは代えて、ユーザがストリークを達成すると、活動が追跡されていたウェアラブル装置に、ストリークの表示や褒賞が転送されてもよい。
【０１９３】
図９８Ａは、多くの目標期間のそれぞれについて目標達成ステータスが表示される、活動追跡インターフェース部の例を示す。達成ステータスは、標識やアイコン（例えば図示のアイコン９８０３、９８０５）によって表されうる。アイコン９８０３は、その目標期間について目標が達成された旨を示し、アイコン９８０５は、目標が達成されなかった旨を示しうる。
ストリーク表示部９８０７は、ユーザがストリークの最中である旨、ストリークを開始した旨、ストリークを終えた旨等を、当該ユーザに伝えうる。例えば、ストリーク表示部９８０７は、ストリークを開始あるいは継続させるために、励ましのメッセージを提供しうる。
まだ到来していない目標期間は、異なる外観で表示されうる。例えば、現在の目標期間は、終了済みの目標期間や未到来の目標期間とは異なる表示とされうる。また例えば、ストリークの開始は、ユーザが現在終了した目標期間が、連続する目標期間の２つ目以降である場合に対応しうる。一方、ストリークの中断は、ユーザが目標を達成した少なくとも２つの連続する目標期間の後に、ユーザが目標を達成できなかった最初の目標期間が現れた場合に対応しうる。
【０１９４】
ユーザが特定のストリーク（３日間など）を初めて達成すると、アプリケーションは、図９８Ｂに示すような祝福や表彰を提供しうる。このようなマイルストーンや成果に対する祝福は、より長いストリークについての表彰を得るために当該ストリークを継続するモチベーションを提供しうる。ストリークの達成は褒賞や賞品として提示され、表彰は、様々な方法でさらに共有されうる。様々な方法には、Ｅメール、ソーシャルネットワーキングメッセージング、文字メッセージの少なくとも１つが含まれる。図９８Ｃは、ユーザが現在の目標期間について目標を達成し、３日間のストリークを達成した場合のストリーク表示部９８０７を示す。
活動追跡インターフェースにおいては、共有やタグ付けに係るオプションも提供されうる。この点については以下に詳しく述べる。
【０１９５】
図９９は、ユーザに認識されるストリーク達成表示の別例を示す。具体的には、ユーザ自身の最高記録（最長ストリークなど）を破った旨が達成表示として提供され、新記録（最長ストリークなど）が認識されうる。ストリークは、ストリークが伸ばされる度に、あるいは当該ストリークが絶たれる度に、最高ストリークとして評価されうる。その他の様々なストリーク評価規則が、必要に応じ、活動監視サービス、ユーザ、その他のエンティティの少なくとも１つによって定められうる。
【０１９６】
上述のように、ユーザは、自身の活動に様々な情報をタグ付けすることができる。タグ付けは、様々な感情、位置情報、設備情報、天候情報、地形情報、活動ーパートナー情報などを、ユーザが特定の活動期間に対応付ける方法を提供しうる。タグ付けする情報は、ユーザにより指定されてもよいし、モバイル装置によって自動的に検出されてもよいし、ウェアラブル活動追跡装置によって自動的に検出されてもよいし、他の装置によって読み出されてもよい。
例えば、ウェアラブル装置とモバイル装置の少なくとも一方は、ＧＰＳ装置やセルラー三角測量モジュールのような位置特定コンポーネントを含みうる。そのような場合において、記録された活動にユーザがタグ付けを行なうこと希望すると、ウェアラブル装置とモバイル装置の少なくとも一方は、自動的に場所情報を追加しうる。別例として、その位置における天候情報が、天候データベースから自動的に読み出されてもよい。
【０１９７】
図１００Ａは、活動セッションに対してユーザがタグ付けしうるインターフェースを示す。活動セッションに係るユーザの気分、態度、主観的認識と、実施された活動の種類の少なくとも一方がタグ付けされる。気分や態度は、当該活動セッション中に実施された活動に固有のものであり、一般に当該活動が実施された期間に関係しうる。
【０１９８】
図１００Ｂと図１００Ｃは、様々な感情、気分、態度を選択するメニューを示す。当該メニューにおいては、様々なアイコンや画像１０００１が、異なる感情、気分、態度を表現しうる。
例えば、アイコンや画像１０００１の１つを選択すると、所定のテキストがテキスト入力フィールド１０００３に入力できるようにしうる。ユーザは、入力フィールド１０００３内のテキストを編集可能とされうる。当該テキストは編集不可能であってもよい。
あるいは、アイコンや画像１０００１の１つを選択しても、所定のテキストが自動的に追加されないようにしてもよい。代わりに、テキスト入力フィールド１０００３は、空白かつ編集可能な状態とされうる。テキスト入力フィールド１０００３は、アビリティ期間や当該期間に実施された活動についてのさらなる考えや心情をユーザが記録できるようにしうる。
ユーザが情報（選択された感情表現画像や入力されたテキストなど）の保存を選択すると、タグ情報は、活動期間および当該期間に記録された活動データと関連付けて保存されうる。気分、感情、態度といった主観的心情タグと関連付けて、あるいは当該タグとは関係なく、ユーザは、活動に写真をタグ付けできる。当該写真は、活動についての主観的あるいは客観的情報をさらに伝えうる。当該情報は、場所、天候、特定の日時におけるユーザの気分などを含む。タグは、目標期間全体について、特定の時、特定の活動セッション、特定の期間などに固有のものでありうる。
【０１９９】
タグ付けに加え、ユーザは、様々なチャネルを通じて活動情報を他人と共有しうる。一例として、活動情報は、活動追跡サービスサイトにおけるユーザのプロフィールまたはアカウントにポストされうる。別例として、活動情報は、内部や外部のソーシャルネットワーキングシステムを通じてポストされうる。図１０１は、活動情報が他人と共有されうる複数のチャネルを提供する共有メニュー１０１０１を示す。
【０２００】
一例として、フェイスブックアカウントへのポスティングに際し、アプリケーションは、自動的に図１０２Ａに示すようなテンプレートあるいは標準ポストを生成しうる。ポストは、所定の文章および画像１０２０１とともに、目標情報を含むユーザ固有の活動データを含みうる。目標情報は、ユーザが目標を達成したか、および目標達成度（目標を５０％上回ったなど）の少なくとも一方を含む。ポストは、活動を追跡するために用いられた装置の特定をさらに含みうる。このようなポストは、他のユーザらに自身の活動レベルを向上させようとする励ましを与え、そのために必要な道具やサービスの特定を助けうる。ユーザは、フィールド１０２０３にコメントやその他の情報をさらに入力し、オプション１０２０５を通じてポストを投稿しうる。
【０２０１】
図１０２Ｂは、図１０２Ａに示したポストのフェイスブックへの投稿によって、ユーザのフェイスブックページに現れうるポストの例を示す。当該ユーザのフェイスブックアカウントにポストされたメッセージは、活動追跡サービスサイトにおけるユーザのプロフィールや、活動を追跡する製品およびサービスに係る情報ページへのリンクを含みうる構成としてもよい。
【０２０２】
図１０３Ａと図１０３Ｂは、ツイッターにポストするインターフェースと、その結果としてのツイッターポストの例をそれぞれ示す。
【０２０３】
ユーザの活動レベルが可視化されることにより、活動レベルに係る様々な種類の情報とメッセージがユーザに伝達されうる。上述したように、異なる色が異なる目標達成度あるいは非達成を表すために使用されうる。
図１０４Ａ〜図１０４Ｃは、目標期間における活動レベルのグラフを表示するインターフェースの例を示す。当該期間についての活動レベルのグラフに加え、インターフェースは、獲得した活動ポイントの量が表示されるサマリ部１０４０１を含みうる。サマリ部１０４０１には、ユーザが目標を達成したかを示す指標１０４０３も表示される。指標１０４０３の色は、さらなる詳細な情報を伝達しうる。具体的には、指標１０４０３の色は、目標不達成の程度を表現しうる。例えば、指標１０４０３が赤色である場合、ユーザが目標の２５％以下しか達成していない旨を表しうる。指標１０４０３が黄色であれば、ユーザは、自身が目標の２５％を上回り、１００％未満の達成度である旨を認識しうる。
グラフ１０４０７における線１０４０５の表示においても、同様の色や表示の方式を採用しうる。またその他の視覚的特性、アニメーション、音声標識が、さらなる活動データを伝えるために用いられうる。手法の例としては、パターン、透明度、強調、明るさ、標識やグラフ要素の大きさ、アニメーションの速度、アニメーションの種類、音声メッセージなどが挙げられる。
【０２０４】
図１０５は、複数の活動期間についての活動サマリの例を示す。それぞれが活動期間を表す複数のバーに加え、サマリ１０５００は、目標を示す指標１０５０１をさらに含みうる。指標１０５０１は、目標を上回った程度、あるいは目標を下回った程度を伝えるために用いられうる。
【０２０５】
図１０６Ａと図１０６Ｂは、複数の活動期間についてのタグ、とりわけ主観的心情タグが表示されうるインターフェースの例を示す。これらの主観的心情（気分、態度、その他の主観的な気持ち）は、さらに共有されうる。
【０２０６】
図１０７Ａと図１０７Ｂは、活動情報とイベントが確認のために伝えられるインターフェースの例を示す。例えば、これらの図は、活動レベルやその他のデータをリスト形式で表示する活動フィードの一部を示す。その他のデータの例としては、成果（ストリーク、マイルストーン、記録など）やタグなどが挙げられる。リスト形式は、活動期間（日単位など）に基づいて整理される。活動フィードは、複数の活動期間に係る活動情報を単一のインターフェースあるいは表示内に要約する手法を提供しうる。ユーザが自身の興味や関心に基づいて、活動フィードに含まれる情報の種類を設定しうる構成としてもよい。
【０２０７】
図１０８Ａと図１０８Ｂは、ユーザの活動情報が伝えられうるユーザプロフィール／アカウントインターフェースの例を示す。ユーザプロフィールは、マイルストーンや成果のトラッカ１０８０１を含む構成としてもよい（図１０８Ａ参照）。マイルストーントラッカ１０８０１は、複数の期間にわたる目標や成果を追跡するために用いられうる。当該目標や成果は、時間に制約されなくてもよい（目標について指定された終了日が存在しない場合など）。例えば、ユーザは、様々な生涯活動ポイントの合計値への到達をもって、マイルストーンに係る表彰や賞品を受け取りうる。よってトラッカ１０８０１は、そのような成果やマイルストーンへ向けてのユーザの進捗を特定するために用いられうる。
またトラッカ１０８０１は、他のインターフェースに表示されうる。他のインターフェースには、日々の活動レベルと目標が追跡されるホームインターフェース、少なくとも１つの期間について記録された活動がレビューされる活動レビューインターフェースなどが含まれる。
【０２０８】
図１０８Ｂは、記録とトロフィーが表示されうるユーザプロフィールインターフェースの別の一部を示す。トロフィーは、具体的な成果やマイルストーンを表す画像、アイコン、バーチャルアイテムなどを含みうる。例えば、同じマイルストーンを何度も達成するためのインセンティブをユーザに与えるために、トロフィーは、達成回数とともに表示されうる。
【０２０９】
モバイルアプリケーションは、さらなる追加的な種類の活動データを追跡するように構成されうる。当該活動データは、あるカテゴリの期間における最高の活動期間を含む。図１０９Ａと図１０９Ｂに示された例において、各活動期間は、１日に対応しうる。よって活動期間は、曜日ごとにグループ化され、各曜日における最高の活動期間を特定するために解析されうる。この情報は、次いでユーザに伝えられ、活動の向上が必要な日を特定する助けとなりうる。
活動期間のカテゴリ化あるいはグループ化は、以下に掲げる期間に対応してもよい。例えば、月ごと、年ごと、１日内における期間ごと（午前、午後、夕方など）、ユーザに定義されたグループごと（ユーザは、手動で活動期間を異なる所定のグループあるいはユーザが作成したグループに割り当てるなどしてもよい）、活動を検出・記録した装置の種類ごと、活動の場所ごと、活動の種類ごと、（アスレチック活動教室などの）インストラクタごと、活動のパートナーごと、１年内における期間ごと（春、夏、秋、冬など）などが挙げられる。
最高の活動期間は、複数の方法で定められうる。例えば、活動ポイントの合計が最も高い、活動ポイントが最も蓄積された特定のサブ期間（午前８時から午後８時の間など）、前回の活動期間（直前の期間など）から最も向上が見られた、記録された活動が目標を上回った量が最も大きかった（目標が期間ごとに異なる場合など）などが挙げられる。
【０２１０】
これに加えてあるいは代えて、他のカテゴリごとの統計値が、各グループまたはカテゴリについて生成されうる。当該統計値は、活動平均値、活動レベルの最高値と最低値、あるカテゴリについて最も活動的であったサブ期間などを含む。各グループまたはカテゴリについて、サブグループまたはサブカテゴリも定義されうる。例えば、活動期間は、まず曜日ごとにグループ化されうる。各曜日カテゴリは、１日内あるいは１年内の期間のように、さらにカテゴリ化されうる。よってカテゴリごとの統計値と情報が特定されるのみならず、サブカテゴリごとの統計値とデータが生成されうる。必要に応じて、より細かなレベルのサブカテゴリが定義・使用されうる。
【０２１１】
さらに、様々なトリガイベントが、モバイルアプリケーションにユーザへの通知メッセージを生成させうる。当該メッセージは、ユーザからの要求や指示を必要とすることなく、すぐにユーザへ表示され、ユーザによる検索のために保存されうる。例えば、図１１０Ａと図１１０Ｂに示すように、ホームインターフェース１１００１とプロフィールインターフェース１１００３は、利用可能な通知と通知の数を特定する標識１１００５をともに表示しうる。標識１１００５は、インターフェース１１００１、１１００３の要素の上に重ねて表示されうる。これによりユーザは、通知メッセージを確認あるいは検索するために操作を余儀なくされる。
【０２１２】
図１１１は、ユーザに提供されうる通知メッセージの例を示す。
【０２１３】
図１１２Ａ〜図１１２Ｃ、図１１３Ａ〜図１１３Ｃ、図１１４Ａ、図１１４Ｂ、図１１５、および図１１６は、様々なマイルストーン、成果、称賛を伝えるために生成・表示されうるインターフェースの別例を示す。
例えば図１１２Ａ〜図１１２Ｃは、その日の最高記録を目指すためのインターフェースを示し、図１１３Ａ〜図１１３Ｃは、その週における最高の日を超えるためのインターフェースを示す。図１１４Ａと図１１４Ｂは、生涯活動ポイント記録（２５０００など）を目指すためのインターフェースの例を示す。図１１５と図１１６は、特定の日数あるいは期間内にユーザが活動ポイントを獲得した旨を示すインターフェースの例を示す。これらの成果、表彰、および称賛は、後述するように共有されうる。
【０２１４】
活動追跡アプリケーションは、アプリケーションの機能をカスタマイズするための様々な設定を含みうる。図１１７は、ユーザプロフィール、日課、表示の仕方、通信の優先度、および共有オプションを修正するために用いられうる設定メニュー１７００１の例を示す。一例として、ユーザは、ログインできる。あるいは、フェイスブックやツイッターのような、少なくとも１つの共有サイトまたはサービスについての承認情報を指定できる。アプリケーションは、次いで承認情報を使用しうる。またはユーザのアカウントとやり取りをするためにログインしうる。
【０２１５】
図１１８Ａ〜図１１８Ｃは、プロフィール設定インターフェースの例を示す。所望の測定単位、およびユーザの身長、体重、性別に加え、プロフィール設定インターフェース１１８０１は、プロフィール写真オプション１１８０３とウェアラブル活動追跡装置からのデータを同期するオプション１１８０５を含みうる（図１１８Ａ参照）。プロフィール写真オプション１１８０３を選択すると、図１１８Ｂに示すように、複数の写真設定オプションが提供されうる。例えば、ユーザは、モバイル装置のカメラを用いて撮影された写真のライブラリから写真や画像を選択しうる。
またプロフィール写真または画像は、遠隔サイトからインターネットなどのネットワークを通じて取得されうる。具体例としては、ユーザは、自身のソーシャルネットワーキングアカウントから画像を取得しうる。あるいは、ユーザのソーシャルネットワーキングアカウント上にあるプロフィール画像が、活動追跡アプリケーションや、対応する活動追跡サービスまたはサイト上のユーザアカウントにおけるユーザのプロフィール画像として自動的に配置されうる。
ユーザプロフィール用の画像を選択あるいはキャプチャすると、図１１８Ｃに示すように、ユーザは画像編集インターフェースの提供を受けうる。ユーザは、自身のプロフィール写真として当該画像を設定する前に、当該画像に対してトリミング、サイズ変更、回転、拡大・縮小、およびその他の画像編集を実行するオプションを有しうる。
これに加えてあるいは代えて、アプリケーションを通じて入力されるプロフィール設定が、対応する活動追跡サービスやサイトにおけるユーザアカウントと同期・アップロードされうる。よってモバイルアプリケーション上におけるユーザプロフィールに対する変更は、自動的に（あるいはオンデマンド方式で）遠隔ネットワークサイト上のユーザアカウントに反映されうる。
【０２１６】
活動が検出されると、実施された活動の種類によらず活動ポイントが蓄積される構成としてもよい。あるいは、実施された活動の種類に応じて当該活動が追跡される構成としてもよい。図１１９Ａと図１１９Ｂは、ユーザにより実施された活動の総量を、活動の種類とともに追跡するように構成された活動追跡インターフェースの例を示す。例えば、オプション１１９０１が、活動の種類を選択するために用いられうる。
これに加えてあるいは代えて、オプション１１９０１は、別々のセッションで検出された活動をグループ化するために用いられうる。当該セッションは、目標期間やその他所定の活動期間より短くても、長くても、等しくてもよい。例えば、ユーザは、その日に実施された活動の一部を、「ジムにて」「仕事後」のようにタグ付けしうる。
別例として、ユーザは、ある週の活動が休暇期間に対応するように指定しうる。その他の活動や期間の指定が、必要に応じて用いられうる。
【０２１７】
図１２０Ａ〜図１２０Ｃは、活動セッションの終了時に、ユーザにより実施場所を特定するために用いられうる場所記録インターフェースの例を示す。例えば、図１２０Ｂに示すように、検出された座標情報、および当該座標に対応する建物や場所のデータベースに基づいて、システムにより自動的に場所が定められうる。例えば図１２０Ｃに示すように、ユーザは、一致が提示された別の建物や場所を選択することにより、特定された場所を編集しうる。建物や場所は、名称、通りの名前、住所、その他の緯度経度座標とは異なる指定法により特定されうる。
【０２１８】
図１２１Ａ〜図１２１Ｃは、ユーザがとった経路を記録するためのパフォーマンス追跡アプリケーションの能力を示す。経路は地図上に表示され、当該経路上に様々な標識が表示されうる。例えば、図１２１Ｃに示す標識１２１０１は、ユーザの経路上あるいは近傍の具体的な既知の場所を示しうる。また経路の色は、燃焼カロリー量、速度、ペース、ユーザの気分、地形の種類（石畳、砂利、アスファルト、上り坂、下り坂、平地など）の少なくとも１つを特定しうる。標識や経路の一部に重ねて、さらなる情報が提供されうる。例えば、場所の名前、その地点において実施されたアスレチック活動の量、地形の種類、ユーザの気分、速度などが挙げられる。
【０２１９】
アスレチックトレーニングの終了時、実施中、あるいは実施前において、ユーザは、実施に係る活動の種類を指定しうる。これにより、アプリケーションにセンサデータとアルゴリズムをより良好に較正させ、パフォーマンスを測定することができる。例えば、加速度計信号は、活動の種類に応じて（例えばサイクリングとスカッシュでは）異なった現われ方をすることがある。したがって、ユーザの実際の活動量（歩数、燃焼カロリー、走行あるいは移動距離など）にデータがより近づくようにするために、複数の異なるデータ処理アルゴリズムが用いられうる。
【０２２０】
図１２２Ａ〜図１２２Ｃは、ユーザが活動種目を選択しうるユーザインターフェースの例を示す。活動種目を選択すると、アプリケーションは、センサデータを処理するために、対応するアルゴリズムを自動的に特定し、使用しうる。また特定された活動種目は、活動の実施中に収集された活動データに関連付けて保存されうる。活動の実施開始と終了は、ユーザによって記録または特定されうる。あるいは、活動的でない期間が指定された閾値に達した旨の検知に基づき、自動的に記録または特定されうる。
【０２２１】
これに加えてあるいは代えて、活動監視アプリケーションは、場所と活動種目の少なくとも一方を自動的に提示しうる。図１２３Ａと図１２３Ｂは、提示された場所と活動種目が決定されるアプリケーションインターフェースを示す。
場所は、先の活動実施場所に係るデータベースや、他のユーザによって使用されたトレーニング場所や、座標により定義される位置や場所に係る汎用データに基づいて決定されうる。一方、活動種目は、センサ信号と既知の活動に係る信号のマッチングに基づいて決定されうる。問題の信号と所定の活動に係る信号との間に実質的な類似性があれば、アプリケーションは、ユーザの活動を所定の活動として示唆または決定しうる。あるいは、活動種目は、場所に関連付けられることにより、自動的に示唆または決定されてもよい。
場所は、ユーザによって従前に保存されたものであってもよく、活動種目は、従前に（例えばユーザによって）場所と関連付けられたものであってもよい。例えば、ユーザは自身が高校で走った旨を特定していてもよい。したがって、アプリケーションは、ユーザの居場所が当該高校であると特定された場合、ランニング型の活動を自動的に示唆しうる。
あるいは、アプリケーションは、オンラインビジネスリスティングスなどのオンラインディレクトリやネットワークデータベースを通じて、ビジネスや場所の種類を特定しうる。次いでアプリケーションは、当該ビジネスや場所の種類に基づいて、ユーザが現在実施している活動種目を推測しうる。例えば、ユーザがヨガスタジオに対応するアドレスに所在している場合、アプリケーションは、活動種目はヨガに対応すると示唆しうる。
活動種目を特定するために、その他の方法および技術が用いられてもよい。
【０２２２】
図１２４Ａ〜図１２４Ｃは、活動種目が特定された活動追跡インターフェースの例を示す。例えば図１２４Ａでは、活動の合計に寄与する活動種目が、部分１２４０１に画像やアイコン１２４０３を用いて示されうる。アイコン１２４０３は、ランニング、エアロビクス、バイキング、ウェイトリフティングなどの活動種目を表しうる。図１２４Ｂは、複数の活動種目が表示されたインターフェースを示す。
【０２２３】
図１２４Ｃは、検出・記録された活動が各活動種目の寄与分に分割される詳細表示の例を示す。例えば、バイキング、ウォーキング、およびランニングの各活動種目が、対応する活動の実施量とともに表示される。グラフ１２４１１は、活動量の時間推移を示しうる。各活動種目に対応する活動量は、様々な方法で区別されうる。例えば、色、パターン、形状、大きさ、透明度、色やグレースケールの変化率などの少なくとも１つを異ならせることが含まれる。
【０２２４】
図１２５Ａ〜図１２５Ｃ、図１２６Ａ〜図１２６Ｃ、図１２７Ａ〜図１２７Ｃ、図１２８Ａ〜図１２８Ｃ、図１２９Ａ〜図１２９Ｃ、図１３０Ａ〜図１３０Ｃ、図１３１Ａ〜図１３１Ｃ、図１３２Ａ〜図１３２Ｃ、図１３３Ａ〜図１３３Ｃ、および図１３４Ａ〜図１３４Ｃは、実施された活動をカテゴリ化あるいは分割するために用いられうる活動追跡インターフェースの別例を示す。
例えば図１２６Ｃでは、弧状部分１２６０１ａ、１２６０１ｂ、１２６０１ｃの各々が異なる活動に対応しうる。各弧状部分１２６０１ａ、１２６０１ｂ、１２６０１ｃのうち着色された部分は、１日のうちで活動が実施された時間に対応しうる。
【０２２５】
別例として図１３４Ｃは、シェイプやブロックが連結される形状でユーザの活動１３４０１を示す。異なる形状のブロックや異なる色のブロックが、異なる活動種目に対応しうる。これに加えてあるいは代えて、各シェイプの大きさは、各活動種目の実施量に対応しうる。
活動種目、各活動種目の実施量、各活動種目の実施時間の少なくとも１つを表現するために、視覚的あるいは図形的表現に係るその他のバリエーションが用いられうる。画像は同一であっても相違してもよい。活動は、必要に応じて追加的あるいは代替的なカテゴリ化あるいは分割の仕方によって総括されうる。そのようなカテゴリ化の仕方は、視覚的な反映と伝達を伴いうる。
【０２２６】
図１３５Ａ〜図１３５Ｄは、ユーザが活動セッションを友人情報とともにタグ付けする一連のインターフェースの例を示す。例えば、ユーザは、友人リストを通じたサーチあるいは新たな友人の設定を通じ、友人を活動セッションに加えうる。この情報は、次いで特定のセッションと関連付けられて保存されうる。活動セッションには、必要に応じて複数の友人が加えられうる。
【０２２７】
図１３６Ａ〜図１３６Ｃは、友人らとともに実施された活動のまとめ情報を表示するためのインターフェースの例を示す。友人らは、活動を実施した友人全員の実施量に基づいてまとめられうる（図１３６Ａ参照）。あるいは、活動種目ごとにまとめられうる（図１３６Ｂ参照）。友人を選択すると、図１３６Ｃに示すように、興味をともにする活動種目や、活動をともに行なった場所とともに、当該ユーザのプロフィールが表示されうる。
【０２２８】
図１３７Ａと図１３７Ｂは、ユーザが友人と競うことを選択した場合に表示されうる競争・試合インターフェースの例を示す。当該インターフェースは、アスレチック活動の実施量をユーザ同士の間で比較するためにも用いられうる。したがってユーザは、図１３７Ｂに示すように、アスレチック活動を競う友人やユーザを選択しうる。すると図１３７Ａに示すように、アスレチック活動を比較するグラフが表示されうる。様々なグラフや比較方式が用いられうる。
【０２２９】
図１３８Ａと図１３８Ｂは、リーダーボードにユーザがアクセスしうる一連のインターフェースの例を示す。リーダーボードは、全ての友人らやユーザらのうち、あるいはグループのうちで当該ユーザの順位を示す。当該ユーザは、矩形の枠や強調色などの標識によって強調表示されうる。
【０２３０】
図１３９Ａと図１３９Ｂは、励ましや自己記録更新（１マイル走ったなど）や目標達成（初めて１０マイル走ったなど）のような成果表示をユーザに提供するように構成された成果インターフェースの例を示す。
【０２３１】
図１４０Ａと図１４０Ｂは、イベントや場所についての特別なアクセスを提供するインターフェースの例を示す。当該インターフェースは、当該イベントや場所におけるスタッフによって認証や入場を確認するために（スクリーン上で）スキャンされうるスキャンコードやパターン１４００１を含みうる。またこのようなインターフェースは、商品、サービス、食料品などの割引や特別待遇を含みうる。
【０２３２】
チーム指向の活動を提供するために、共同の目標、あるいは複数ユーザの目標が設定されうる。一例として、ユーザらのグループに対して全体目標が設定されうる。ここで各ユーザには、全体目標の一部を達成することが求められる。あるユーザの担当分の目標を上回る活動は、全体目標には適用されず、他のユーザの担当分の達成に寄与しないようにしてもよい。これにより各ユーザは、自身の目標を達成しなければならなくなる。すなわち各ユーザは、全体目標が達成できないことについて対等の重圧あるいは責任感を負い、要求される活動の実施を余儀なくされる。
あるユーザによる余剰活動が、全体目標における他のユーザの担当分に寄与しうる構成としてもよい。他のユーザの担当分に寄与することになる活動の量には、制限が設定されうる。
複数ユーザの目標は、各ユーザの担当分が予め定められない構成としてもよい。したがって各ユーザは、好きなだけ全体目標に寄与しうる。
【０２３３】
複数ユーザの目標設定をする場合、目標の達成を讃える視覚効果あるいはユーザインターフェース要素を含みうる。例えば、全体目標は、ボーリングピンのセットとして表現されうる。各ユーザは、全体目標における自身の担当分を達成することにより、自身のピンを倒す責任を負いうる。あるユーザが自身の担当分の目標を達成すると、対応するボーリングピンの見え方が倒された状態に変わりうる。全てのユーザが自身の担当する分の目標を達成すると、称賛のメッセージ、視覚効果、あるいは指標が表示されうる。
【０２３４】
図１４１は、複数ユーザの目標に係る視覚効果の別例を示す。本例においては、２人のユーザが、６０００活動ポイントを累積する目標の達成に共同で挑みうる。第１ユーザの進捗１４１０１はボーリング球で表わされ、第２ユーザの進捗１４１０３はボーリングピンで表わされうる。ボーリングピンを倒すところを見るために、ユーザらは、自身のプログレスバーを中間部分まで伸ばすことを要求されうる。当該部分においてボーリング球がボーリングピンに当たる。したがって、各ユーザは、目標を達成するために自身の担当分を完了することを要求されうる。
図示の例においては、目標の担当分は均等に分割されている。しかしながら、担当分は均等に分割されなくともよい。その場合、一方のユーザは、他方よりもより積極的に活動を実施することが求められうる。
様々な目標の分割の仕方が用いられ、設定されうる。それはユーザや、コーチや、活動追跡サービスなどにより選択されうる。
上述のように、装置１０または装置４３００（図４３参照）は、他の装置１０とやり取りを行なうことが可能である。したがって、第１装置１０を装着している第１ユーザは、自身の活動を、第２装置１０を装着している第２ユーザの活動と比較しうる。第１装置上の標識システム２０は、第１ユーザの第１活動レベルだけでなく、第２ユーザの第２活動レベルも示しうる。同様に、第２装置上の標識システム２０は、第２ユーザの第２活動レベルだけでなく、第１ユーザの第１活動レベルも示しうる。
他のユーザの活動データは、モバイル装置や遠隔サイトから無線通信経由で他の装置に通信されうる。この構成においては、各標識システムにおける複数の発光部が、第１セグメントと第２セグメントに分割されているとみなされうる。第１セグメントは１０個の発光素子を含む第１グループを備え、第２セグメントは１０個の発光素子を含む第２グループを備えうる。よって第１ユーザの活動レベルは当該標識システムの第１セグメントに表示され、第２ユーザの活動レベルは当該標識システムの第２セグメントに表示されうる。各ユーザの活動レベルをチェックするためにユーザが入力ボタンを押下すると、当該標識システムは発光しうる。
２人のユーザによるこの種の競争においては、特定の目標は存在しない。一方のユーザが標識システムにおける表示の限界に達すると、当該システムは上限を高くし、各ユーザの進捗レベルを調整する。
【０２３５】
第１ユーザと第２ユーザは、「タグ戦争」において競い合うことが可能である。各ユーザの標識システムは、両ユーザの活動レベルを表示する。例えば、第１ユーザの活動レベルは第１の色で表示され、第２ユーザの活動レベルは第２の色で表示される。それぞれの活動を比較することにより、各ユーザは、自身の活動レベルを高めることにより、標識システムにおいて自身の色で発光する発光部の数を増やし、他方のユーザの標識システムを占領しようとする。
【０２３６】
装置１０は、設定された時間だけ特定の色で活動レベルを表示するようにプログラムされうる。例えば、ユーザは、チャリティ目的で活動を実施し、活動ポイントを獲得しうる。そのような場合において、標識システムは、全ての発光素子が指定された色（白など）で発光しうる。また特定の協賛イベントにユーザが参加すると、当該イベントに係る活動は、別の色で表示されうる。
【０２３７】
モチベーションを高めるメッセージを、ディスプレイや標識システムを通じてユーザに伝えうる。例えば、モチベーションを高めるメッセージは、第１ユーザから第２ユーザに宛てて遠隔サイトにロードされうる。当該メッセージは、例えば第２ユーザが自身の装置をコンピュータに差し込んだ際などに、当該装置にロードされうる。当該メッセージは、第２ユーザの装置１０にダウンロードされ、保存されうる。第２ユーザは、メッセージを受け取ったことにすぐには気付かないかもしれない。モチベーションを高めるメッセージは、第２ユーザが目標を達成した際などのイベントによりトリガされうる。トリガイベントにより、第２ユーザの装置の標識システムは、特定の方法で（全ての発光部が点滅するなどして）発光しうる。
音声が提供されてもよい。ディスプレイや標識システム上でその他動きのある発光の仕方がなされてもよい。トリガイベントは、時間など他のパラメータに基づいてもよい。モチベーションを高めるメッセージは、装置へ転送されてすぐに提供されてもよい。
モチベーションを高めるメッセージは、無線通信により装置１０へ届けられてもよい。メッセージは、ユーザが関連づけられたモバイル装置でメッセージの確認をしたときに届けられてもよい。
【０２３８】
警告メッセージが、装置１０に届けられうる。このとき標識システムは、特定の指定された方法で発光しうる。警告メッセージは、本明細書に記載されたいずれかの手法で届けられ、またトリガされうる。警告メッセージは、より詳細な情報を取得するために、あるいはユーザのモバイル装置上にメッセージを探すために、遠隔サイトを訪れるべきである旨を、当該ユーザに示しうる。一例として、警告メッセージは、特定の時に実施された活動について褒賞が可能である旨を示しうる。
【０２３９】
装置１０は、無活動あるいは低活動期間に基づいてメッセージを提供しうる。装置１０は、ユーザが活動的でない（例えば、活動が少ない）状態が所定の期間継続している場合、当該ユーザにもっと活動的になるよう促すために、警告メッセージが標識システムまたはディスプレイに届けられうる。警告メッセージは、本明細書に記載されたいずれかの手法で届けられうる。低活動状態の閾値と非活動的な期間の長さは、可変とされうる。またユーザにより独立して設定されうる。
【０２４０】
ユーザの低活動あるいは無活動が検出されると、ユーザの活動目標へ向けての進捗に影響を与える構成としてもよい。例えば、ユーザが特定レベルの動きあるいはある種の動きを指定された期間しない、心拍数が少なくとも閾値に達していない、ある期間内に十分な距離を移動しないなどの、少なくとも１つが該当するときに、低活動が検出されうる。ユーザが活動ポイントを目標に向けて蓄積する構成において、ある量の不活動（低活動や運動不足の状態）が検出されると、ポイントや値がユーザの活動ポイントやその他の活動計量値合計から差し引かれうる。
低活動を活動ポイントの差引分に変換するために、様々な変換レートが用いられうる。具体例としては、１０分の低活動は、５ポイントの差引に対応しうる。３０分の低活動が１００ポイントの差引に対応してもよい。活動ポイントの喪失あるいは差引は、線型的であっても非線形的（指数関数的、放物線的など）であってもよい。
【０２４１】
ユーザの不活動時間は、低活動の時間や、運動不足の時間を含みうる。これらの時間は、異なる動き、心拍数、歩数、その他の閾値により特定されうるが、同じ閾値を用いて特定されてもよい。一例として、運動不足の時間は、低活動に係る閾値よりも高い閾値を有しうる（より高いレベルの活動を要求するなど）。すなわち、運動不足ではあるが低活動ではないとみなされうる。不活動に係る閾値は、運動不足に係る閾値に対応してもよいし、必要に応じてより高い閾値としてもよい。あるいは低活動に係る閾値を運動不足に係る閾値より高くしてもよい。また運動不足に係る閾値、低活動に係る閾値、不活動に係る閾値の少なくとも１つは、複数であってもよい。例えば、運動不足と低活動に係る複数の閾値の１つが不活動に係る閾値であってもよい。
上記複数の閾値およびほとんど活動がないレベル（不活動状態など）の間で、異なるポイントの差引量あるいは差引率が設定されうる。例えば、ユーザは、１時間の低活動ごとに５０ポイントを失い、１時間の運動不足状態ごとに３０ポイントを失いうる（逆でもよい）。活動ポイントの差引は、ユーザが低活動なのか運動不足なのかに応じて異なるタイミングでトリガされうる。例えば、低活動の場合は３０分後に、運動不足の場合は４５分後に、ユーザは活動ポイントを失い始めるとしてもよい。さらなる閾値（３個以上の閾値）や対応する活動ポイントの喪失率も設定されうる。
【０２４２】
様々なセンサが、不活動期間を検出するために用いられうる。上述のように、不活動期間は、心拍数、動き信号の振幅、単位時間当たりの歩数（毎分１０歩未満など）などに基づいて定められうる。これに加えてあるいは代えて、低活動期間と運動不足期間は、物理的位置、体位、体向、姿勢、個人により実施された活動種目に基づいて測定されうる。
様々な身体的不活動状態、座りがちな体位や体向によって、及ぼされる悪影響は異なる場合がある。例えば３０分横たわっていると、４５分座っているのと同程度の健康上のリスクがもたらされうる。健康上のリスクの可能性は、時間にも依存しうる。よって不活動（睡眠など）が特定の期間継続されても、あるいは１日における特定の期間において不活動であっても、健康上のリスクがもたらされない場合がある。一例として、午後９時から午前９時の間の７〜９時間の睡眠は、健康上の悪影響をもたらさないと言える。よって、活動ポイントやその他の活動計測値の差引に寄与しないようにしてもよい。睡眠のような低活動の欠如が特定の期間継続されると、あるいは１日における特定の期間において低活動が欠如していると、ユーザの健康に悪いとみなされうる。よって当該期間は、活動ポイントが差し引かれたり、活動ポイントの蓄積率が低下されたりしてもよい。
【０２４３】
これに加えてあるいは代えて、活動計量値（活動ポイントなど）が低下する量は、１日における時刻、ユーザの居場所、ユーザの体位、低活動のレベルなどに基づいて定められうる。例えば、ユーザは、夕方よりも午後の方が、より大きな活動計量値を失いうる。あるいは計量値が失われる速度が速くなりうる。別例として、ユーザがジムにいる場合、自宅にいる場合よりも、活動ポイントなどの計量値が失われる量が少なくなりうる。あるいは計量値が失われる速度が遅くなりうる。
【０２４４】
不活動的な活動（活動とみなされるために必須の動きのレベルを下回る場合など）の種類によるばらつきをなくすために、システムは、例えば睡眠、寝そべり、着座、起立を含む体位や体向を区別しうる。異なる体位や体向を区別するために、ユーザの身体の様々な場所にセンサを配置して身体の各部の動きを検出してもよい。よって体位は、身体の各部同士の相対位置に基づいて判断されうる。例えば、膝位置センサが腰位置センサから第１閾値距離内にあるとき、当該システムはユーザが着座していると判断しうる。膝位置センサが第１閾値距離外にあるとき、当該システムはユーザが起立していると判断しうる。
上記の例においてシステムは、距離の成分（垂直方向成分など）を用いうる。垂直方向成分のみを用いることにより、あるいは絶対距離（２つのセンサを結ぶ直線の長さなど）と組み合わせて用いることにより、システムは、さらにユーザが横たわっているか起立しているかを区別しうる。例えば、横たわっている場合は、膝位置センサと腰位置センサの絶対距離は大きくなるが、距離の垂直方向成分は非常に小さくなりうる。起立している場合は、膝位置センサと腰位置センサの絶対距離は変わらなくとも、距離の垂直方向成分は大きくなりうる。
あるいは、様々なセンサ同士がなす角度を体位の検出に用いてもよい。これに加えてあるいは代えて、ユーザの動きの有無や動きのレベル（特定の値を上回っているか下回っているかなど）を判断するために、ユーザの身体の各部の位置が、加速度計や動きデータと併せて評価されうる。
【０２４５】
活動ポイントの差引に加え、システムは、より活動的な生活スタイルを奨励するために、低活動状態をユーザに警告しうる。一例として、システムは、上記のウェアラブル装置アセンブリのような装置上にメッセージや標識を表示することにより、ユーザを警告しうる。警告は、例えば、２分、５分、３０分、１時間などの指定された低活動時間が経過した後に行なわれる。低活動時間の量は、不連続な期間が加算されたものであってもよい。これに加えてあるいは代えて、低活動の連続期間が追跡されうる。例えば、午前１０時１５分から１１時までと、午後２時から２時３０分までユーザが低活動であった場合、不活動期間の合計は１時間１５分となる。
低活動に係るメッセージや標識は、活動ポイントの差引前に警告として提供されうる。例えば、メッセージは、ユーザが指定された期間（３０分、５分、１０秒、３０秒、１時間、２時間など）内に十分なレベルの活動を実施しなければ、活動ポイントがＸだけ差し引かれる旨を示しうる。したがって、装置は、ユーザの不活動を判断するために不活動タイマを備えうる。
加えて当該メッセージは、低活動によりもたらされるリスクに対してユーザが実施すべき活動種目に係る提案を提供しうる。例えば、システムは、１０分で１０マイルのペースで１時間歩行するようユーザに提案しうる。検出された低活動時間によるリスクや悪影響に対抗する行動をユーザがとると、称賛のメッセージや標識が提供されうる。
【０２４６】
指定された期間内にユーザが運動不足や不活動状態に戻ると、警告、ポイントの差引、その他の通知の少なくとも１つが提供されうる。例えば、ユーザは１０分間、運動不足や不活動状態を脱するのに十分なレベルの活動を実施したとする。しかしながら、装置あるいはシステムは、１時間、２時間、３時間といった期間に係るさらなる警告を回避するために、少なくとも３０分の活動を要求しうる。例えば警告は、ユーザが十分な期間あるいは十分なレベルの少なくとも一方を満足する活動を実施していない旨を含みうる。また短期間（期間の閾値）内に複数の運動不足期間がある場合、健康上のリスクなどを含む運動不足による潜在的な影響に対抗するために、より高いレベルの活動が要求されうる。具体例としては、ポイントの差引を中止させるために、ユーザはより高いレベルの活動を実施するよう要求されうる。
【０２４７】
装置やその他のシステムは、健康上の悪影響が現れる前に許容される不活動期間についてユーザに通知しうる。一例として、装置またはシステムは、潜在的な健康上のリスクが発現し始める前に許容されうる不活動期間の残量を示すカウントダウンを行ないうる。許容されうる不活動期間の量は、実施された活動の量に基づいて獲得あるいは蓄積されうる。したがって、装置は、指定された量の不活動時間（１時間のテレビ視聴など）を獲得するために実施されうる活動の種類と継続時間の少なくとも一方に係る提案や推奨も提供しうる。
不活動あるいは運動不足の種類が異なれば、必要とされる活動の種類や量が異なりうる。例えば、１時間横たわっていた場合は、１時間座っていた場合よりも激しいエクササイズあるいは長時間のエクササイズが求められうる。別例としては、編み物をしながら１時間座っていた場合は、テレビを観ながら１時間座っていた場合よりも激しくないエクササイズあるいは短時間のエクササイズが求められうる。
上記の推奨は、経験則的データや、所定のプログラムおよびデータテーブルに基づいて生成されうる構成としてもよい。当該所定のプログラムおよびデータテーブルは、活動の種類や継続時間、および対応する不活動の許容量を指定する。
【０２４８】
本装置または活動追跡システムは、さらに履歴記録に基づいて活動を推奨しうる。例えば、本装置または追跡システムは、ユーザが過去に実施した活動を特定し、当該活動の種類に基づいて推奨を生成しうる。これに加えてあるいは代えて、本装置または追跡システムは、ユーザが過去に実施した特定のトレーニングについての推奨を生成しうる。例えばユーザは、２時間のテレビ視聴に対して５００カロリーに相当する活動が必要とされうる。このような場合、本システムは、ユーザが過去に実施し、５００カロリーの燃焼を伴った特定のトレーニングを推奨しうる。
履歴上の活動種目と特定のトレーニングの組合せは、推奨の生成に用いられうる。一例として、本システムは、ユーザが好むと思われる活動種目に基づいて、当該ユーザが過去に実施した２つのトレーニングの一方を推奨しうる。嗜好は、各トレーニング種についてユーザが実施した回数に基づいて判断されうる。
またトレーニングまたは活動種目は、場所と時間に基づいて推奨されうる。例えば、ユーザが以前に特定種の活動種目あるいは特定の練習ルーティンを同じ場所や同じ時間に実施した場合、本システムは、活動種目や練習ルーティンを推奨しうる。その他の推奨アルゴリズムや因子を用いてもよい。
【０２４９】
前述のように、スパイン部材２４は、装置１０の様々な部品を支持するシャーシ部材として機能する。スパイン部材２４は、省略されても、他の部品と組み合わせられてもよい。可撓性のＰＣＢ部材は、部分的に剛性の高い部材を備えていてもよい。他の部品が可撓性のＰＣＢ部材に装着されうる。このような構成の場合、スパイン部材２４は使用されない。装置を構成するに際し、外装部材の内部は、射出成型プロセスによって形成され、可撓性のＰＣＢ部材は、当該内部に装着されうる。残る外装部材の外側部分は、ＰＣＢ部材を覆うように形成される。
【０２５０】
別の実施形態として、装置１０は、全体的に丸みを帯びたハウジングを有しうる。当該ハウジングは、ほぼ円形の断面を有し、筒状の形態を有しうる。当該ハウジングは、前述のものと同様の特徴を有する。すなわちディスプレイと標識システムの少なくとも一方が、筒状の外装部材を通じて視認可能とされる。ハウジングの端部は、締まり嵌めに用いられる部材を備えうる。また装置の１つにおけるデータ転送部材を含みうる。データ転送部材は、前述したもののいずれかの形態をとりうる（例えばマイクロＵＳＢ部材など）。またフルＵＳＢコネクタへのアダプタをさらに備えうる。
本装置は、ＰＣＢ部材、ＬＥＤ／導光管アセンブリ、および微小圧電加速度計が一体化された構成を含みうる。微小圧電加速度計の例としては、３軸加速度計が挙げられる。加速度計は活動を検知し、ＬＥＤ／導光管アセンブリは、検出された活動に基づいて発光しうる。前述した他の特徴は、本実施形態においても必要に応じて適用されうる。
【０２５１】
本装置は、様々な他の特徴および代替構造を備えうる。
ディスプレイと標識システムの少なくとも一方は、電気泳動インク装置を用いうる。またディスプレイと標識システムの少なくとも一方は、その他の形態をとりうる。例えば、電子発光／蛍光リボンディスプレイ、エレクトロクロミックインク装置、エレクトロウェッティング装置、光ファイバディスプレイなどが挙げられる。
加速度計は、圧電加速度計やナノ加速度計を含む様々な形態をとりうる。
使用されるバッテリは、リチウムイオン電池や、筒型形状を有するものや、その他の種類の電源であってもよい。
ハウジングは、伸長可能な複数の接続リンクを含みうる。当該リンクの幾つかはディスプレイセグメントを備えうる。リンクは、導電線を有する弾性コードを介して接続されうる。またハウジングは、ディスプレイと標識システムの少なくとも一方を起動するために、デュアル容量性タッチセンサを備えうる。さらにディスプレイはタッチ起動型の形態をとりうる。またハウジングは、エレクトロクロミックポリマーを用い、複数のリードやパイプを有するディスプレイを備えうる。各パイプは、電極と結線されており、かつエレクトロクロミックポリマーを封入している。よってコントローラから供給される電流が変化すると、色が変化する。またハウジングは、装置の外周を調整すべくとぐろを巻いた長尺状ストラップの形態をとりうる。
【０２５２】
装置１０は、多くの利益をもたらす。本装置は、ユーザがいつでも容易に装着可能なコンパクトなデザインを有する。本装置は、容易にデータのやり取りが可能なＵＳＢコネクタの形態をとる安定したデータ転送が可能な装置を備える。また本装置は、よりよいユーザエクスペリエンス（活動とパフォーマンスが向上された）を提供するために他のモバイル装置や遠隔サイトとのやり取りが可能である。
また本装置は、１日毎の２４時間だけでなく、１日を超える期間についてユーザの活動を追跡可能である。標識システムは、活動情報をユーザに伝えるために、より容易かつ優れた手法を提供しうる。装置１０を通じて伝えられるメッセージは、ユーザのモチベーションを高め、活動の総量を増加させ、より健康的なライフスタイルを提供しうる。
本装置の構造は、顕著な利益をもたらす。ハウジングは、ユーザの腕に容易に着脱できるように、可撓性の部分を有する。一方、ハウジングに支持された部品を保護するために、十分な剛性を有している。スペーサ部材は、サイズの調整を容易にする。
【０２５３】
（結論）
発明を実施する好適な態様を含む特定の例について以上の説明を行なったが、上記のシステムおよび方法について多くの変形や置換えが存在することは、当業者にとって明らかである。例えば、発明の様々な態様が異なる組合せで用いられうる。また単一のシステムおよび方法において、発明の態様の様々なサブコンビネーションが、当該発明の趣旨を逸脱しない限り共に用いられうる。一例として、本明細書に記載のソフトウェアとアプリケーションは、コンピュータが読み取り可能な媒体に保存されたコンピュータが読み取り可能な指令として実現されうる。また上記の様々な要素、部品、ステップの少なくとも１つは、変更され、順序を変更され、割愛されうる。また別の要素、部品、ステップの少なくとも１つが、発明の趣旨を逸脱しない限りにおいて追加されうる。よって、発明は、添付の請求の範囲に記載のように広く解釈されうる。
【０２５４】
本出願は、２０１０年１１月１日に提出された米国特許仮出願６１／４０９，０８２の一部継続出願であり、その優先権の利益を主張するものである。その内容は、ここに参照として取り込まれる。なお当該仮出願６１／４０９，０８２は、２０１１年１１月１日に、正規の米国特許出願に変更されている。
【図１】
2013544140.tif 000003
【図２】
2013544140.tif 000004
【図２ａ】
2013544140.tif 000005
【図３】
2013544140.tif 000006
【図４】
2013544140.tif 000007
【図５】
2013544140.tif 000008
【図６】
2013544140.tif 000009
【図７ａ】
2013544140.tif 000010
【図７ｂ】
2013544140.tif 000011
【図８ａ】
2013544140.tif 000012
【図８ｂ】
2013544140.tif 000013
【図９】
2013544140.tif 000014
【図１０ａ】
2013544140.tif 000015
【図１０ｂ】
2013544140.tif 000016
【図１０ｃ】
2013544140.tif 000017
【図１１ａ】
2013544140.tif 000018
【図１１ｂ】
2013544140.tif 000019
【図１１ｃ】
2013544140.tif 000020
【図１１ｄ】
2013544140.tif 000021
【図１１ｅ】
2013544140.tif 000022
【図１１ｆ】
2013544140.tif 000023
【図１２ａ】
2013544140.tif 000024
【図１２ｂ】
2013544140.tif 000025
【図１２ｃ】
2013544140.tif 000026
【図１３】
2013544140.tif 000027
【図１４】
2013544140.tif 000028
【図１５】
2013544140.tif 000029
【図１６】
2013544140.tif 000030
【図１７】
2013544140.tif 000031
【図１８】
2013544140.tif 000032
【図１９】
2013544140.tif 000033
【図１９ａ】
2013544140.tif 000034
【図２０】
2013544140.tif 000035
【図２１ａ】
2013544140.tif 000036
【図２１ｂ】
2013544140.tif 000037
【図２１ｃ】
2013544140.tif 000038
【図２１ｄ】
2013544140.tif 000039
【図２２】
2013544140.tif 000040
【図２３ａ】
2013544140.tif 000041
【図２３ｂ】
2013544140.tif 000042
【図２３ｃ】
2013544140.tif 000043
【図２４】
2013544140.tif 000044
【図２５ａ】
2013544140.tif 000045
【図２５ｂ】
2013544140.tif 000046
【図２６】
2013544140.tif 000047
【図２７】
2013544140.tif 000048
【図２８】
2013544140.tif 000049
【図２９】
2013544140.tif 000050
【図３０】
2013544140.tif 000051
【図３１ａ】
2013544140.tif 000052
【図３１ｂ】
2013544140.tif 000053
【図３２ａ】
2013544140.tif 000054
【図３２ｂ】
2013544140.tif 000055
【図３３ａ】
2013544140.tif 000056
【図３３ｂ】
2013544140.tif 000057
【図３３ｃ】
2013544140.tif 000058
【図３３ｄ】
2013544140.tif 000059
【図３４ａ】
2013544140.tif 000060
【図３４ｂ】
2013544140.tif 000061
【図３５ａ】
2013544140.tif 000062
【図３５ｂ】
2013544140.tif 000063
【図３５ｃ】
2013544140.tif 000064
【図３６ａ】
2013544140.tif 000065
【図３６ｂ】
2013544140.tif 000066
【図３７ａ】
2013544140.tif 000067
【図３７ｂ】
2013544140.tif 000068
【図３７ｃ】
2013544140.tif 000069
【図３７ｄ】
2013544140.tif 000070
【図３７ｅ】
2013544140.tif 000071
【図３８ａ】
2013544140.tif 000072
【図３８ｂ】
2013544140.tif 000073
【図３９】
2013544140.tif 000074
【図４０】
2013544140.tif 000075
【図４１】
2013544140.tif 000076
【図４２】
2013544140.tif 000077
【図４３】
2013544140.tif 000078
【図４４】
2013544140.tif 000079
【図４５】
2013544140.tif 000080
【図４６】
2013544140.tif 000081
【図４７Ａ】
2013544140.tif 000082
【図４７Ｂ】
2013544140.tif 000083
【図４８】
2013544140.tif 000084
【図４９】
2013544140.tif 000085
【図５０】
2013544140.tif 000086
【図５１】
2013544140.tif 000087
【図５２】
2013544140.tif 000088
【図５３】
2013544140.tif 000089
【図５４】
2013544140.tif 000090
【図５５】
2013544140.tif 000091
【図５６】
2013544140.tif 000092
【図５７Ａ】
2013544140.tif 000093
【図５７Ｂ】
2013544140.tif 000094
【図５８】
2013544140.tif 000095
【図５９Ａ】
2013544140.tif 000096
【図５９Ｂ】
2013544140.tif 000097
【図５９Ｃ】
2013544140.tif 000098
【図５９Ｄ】
2013544140.tif 000099
【図６０Ａ】
2013544140.tif 000100
【図６０Ｂ】
2013544140.tif 000101
【図６０Ｃ】
2013544140.tif 000102
【図６０Ｄ】
2013544140.tif 000103
【図６１Ａ】
2013544140.tif 000104
【図６１Ｂ】
2013544140.tif 000105
【図６１Ｃ】
2013544140.tif 000106
【図６２Ａ】
2013544140.tif 000107
【図６２Ｂ】
2013544140.tif 000108
【図６３Ａ】
2013544140.tif 000109
【図６３Ｂ】
2013544140.tif 000110
【図６３Ｃ】
2013544140.tif 000111
【図６３Ｄ】
2013544140.tif 000112
【図６４】
2013544140.tif 000113
【図６５】
2013544140.tif 000114
【図６６】
2013544140.tif 000115
【図６７】
2013544140.tif 000116
【図６８】
2013544140.tif 000117
【図６９】
2013544140.tif 000118
【図７０】
2013544140.tif 000119
【図７１】
2013544140.tif 000120
【図７２】
2013544140.tif 000121
【図７３Ａ】
2013544140.tif 000122
【図７３Ｂ】
2013544140.tif 000123
【図７３Ｃ】
2013544140.tif 000124
【図７３Ｄ】
2013544140.tif 000125
【図７３Ｅ】
2013544140.tif 000126
【図７３Ｆ】
2013544140.tif 000127
【図７３Ｇ】
2013544140.tif 000128
【図７４Ａ】
2013544140.tif 000129
【図７４Ｂ】
2013544140.tif 000130
【図７４Ｃ】
2013544140.tif 000131
【図７４Ｄ】
2013544140.tif 000132
【図７４Ｅ】
2013544140.tif 000133
【図７４Ｆ】
2013544140.tif 000134
【図７４Ｇ】
2013544140.tif 000135
【図７４Ｈ】
2013544140.tif 000136
【図７４Ｉ】
2013544140.tif 000137
【図７４Ｊ】
2013544140.tif 000138
【図７４Ｋ】
2013544140.tif 000139
【図７４Ｌ】
2013544140.tif 000140
【図７４Ｍ】
2013544140.tif 000141
【図７４Ｎ】
2013544140.tif 000142
【図７４Ｏ】
2013544140.tif 000143
【図７４Ｐ】
2013544140.tif 000144
【図７５】
2013544140.tif 000145
【図７６】
2013544140.tif 000146
【図７７】
2013544140.tif 000147
【図７８Ａ】
2013544140.tif 000148
【図７８Ｂ】
2013544140.tif 000149
【図７８Ｃ】
2013544140.tif 000150
【図７８Ｄ】
2013544140.tif 000151
【図７８Ｅ】
2013544140.tif 000152
【図７８Ｆ】
2013544140.tif 000153
【図７８Ｇ】
2013544140.tif 000154
【図７９】
2013544140.tif 000155
【図８０−８１】
2013544140.tif 000156
【図８２Ａ−８２Ｂ】
2013544140.tif 000157
【図８２Ｃ】
2013544140.tif 000158
【図８２Ｄ】
2013544140.tif 000159
【図８３Ａ−８３Ｂ】
2013544140.tif 000160
【図８３Ｃ−８３Ｄ】
2013544140.tif 000161
【図８４Ａ−８４Ｃ】
2013544140.tif 000162
【図８４Ｄ−８４Ｆ】
2013544140.tif 000163
【図８５Ａ−８５Ｂ】
2013544140.tif 000164
【図８６】
2013544140.tif 000165
【図８７Ａ−８７Ｂ】
2013544140.tif 000166
【図８８Ａ−８８Ｂ】
2013544140.tif 000167
【図８９Ａ−８９Ｃ】
2013544140.tif 000168
【図８９Ｄ】
2013544140.tif 000169
【図９０Ａ】
2013544140.tif 000170
【図９０Ｂ−９０Ｃ】
2013544140.tif 000171
【図９１】
2013544140.tif 000172
【図９２】
2013544140.tif 000173
【図９３】
2013544140.tif 000174
【図９４Ａ−９４Ｂ】
2013544140.tif 000175
【図９５Ａ−９５Ｃ】
2013544140.tif 000176
【図９６Ａ−９６Ｃ】
2013544140.tif 000177
【図９７Ａ−９７Ｃ】
2013544140.tif 000178
【図９８Ａ−９８Ｃ】
2013544140.tif 000179
【図９９】
2013544140.tif 000180
【図１００Ａ−１００Ｃ】
2013544140.tif 000181
【図１０１】
2013544140.tif 000182
【図１０２Ａ−１０２Ｂ】
2013544140.tif 000183
【図１０３Ａ−１０３Ｂ】
2013544140.tif 000184
【図１０４Ａ−１０４Ｃ】
2013544140.tif 000185
【図１０５】
2013544140.tif 000186
【図１０６Ａ−１０６Ｂ】
2013544140.tif 000187
【図１０７Ａ−１０７Ｂ】
2013544140.tif 000188
【図１０８Ａ−１０８Ｂ】
2013544140.tif 000189
【図１０９Ａ−１０９Ｂ】
2013544140.tif 000190
【図１１０Ａ−１１０Ｂ】
2013544140.tif 000191
【図１１１】
2013544140.tif 000192
【図１１２Ａ−１１２Ｃ】
2013544140.tif 000193
【図１１３Ａ−１１３Ｃ】
2013544140.tif 000194
【図１１４Ａ−１１４Ｂ】
2013544140.tif 000195
【図１１５−１１６】
2013544140.tif 000196
【図１１７】
2013544140.tif 000197
【図１１８Ａ−１１８Ｃ】
2013544140.tif 000198
【図１１９Ａ】
2013544140.tif 000199
【図１１９Ｂ】
2013544140.tif 000200
【図１２０Ａ】
2013544140.tif 000201
【図１２０Ｂ】
2013544140.tif 000202
【図１２０Ｃ】
2013544140.tif 000203
【図１２１Ａ】
2013544140.tif 000204
【図１２１Ｂ】
2013544140.tif 000205
【図１２１Ｃ】
2013544140.tif 000206
【図１２２Ａ】
2013544140.tif 000207
【図１２２Ｂ】
2013544140.tif 000208
【図１２２Ｃ】
2013544140.tif 000209
【図１２３Ａ】
2013544140.tif 000210
【図１２３Ｂ】
2013544140.tif 000211
【図１２４Ａ】
2013544140.tif 000212
【図１２４Ｂ】
2013544140.tif 000213
【図１２４Ｃ】
2013544140.tif 000214
【図１２５Ａ】
2013544140.tif 000215
【図１２５Ｂ】
2013544140.tif 000216
【図１２５Ｃ】
2013544140.tif 000217
【図１２６Ａ】
2013544140.tif 000218
【図１２６Ｂ】
2013544140.tif 000219
【図１２６Ｃ】
2013544140.tif 000220
【図１２７Ａ】
2013544140.tif 000221
【図１２７Ｂ】
2013544140.tif 000222
【図１２７Ｃ】
2013544140.tif 000223
【図１２８Ａ】
2013544140.tif 000224
【図１２８Ｂ】
2013544140.tif 000225
【図１２８Ｃ】
2013544140.tif 000226
【図１２９Ａ】
2013544140.tif 000227
【図１２９Ｂ】
2013544140.tif 000228
【図１２９Ｃ】
2013544140.tif 000229
【図１３０Ａ】
2013544140.tif 000230
【図１３０Ｂ】
2013544140.tif 000231
【図１３０Ｃ】
2013544140.tif 000232
【図１３１Ａ】
2013544140.tif 000233
【図１３１Ｂ】
2013544140.tif 000234
【図１３１Ｃ】
2013544140.tif 000235
【図１３２Ａ】
2013544140.tif 000236
【図１３２Ｂ】
2013544140.tif 000237
【図１３２Ｃ】
2013544140.tif 000238
【図１３３Ａ】
2013544140.tif 000239
【図１３３Ｂ】
2013544140.tif 000240
【図１３３Ｃ】
2013544140.tif 000241
【図１３４Ａ】
2013544140.tif 000242
【図１３４Ｂ】
2013544140.tif 000243
【図１３４Ｃ】
2013544140.tif 000244
【図１３５Ａ】
2013544140.tif 000245
【図１３５Ｂ】
2013544140.tif 000246
【図１３５Ｃ】
2013544140.tif 000247
【図１３５Ｄ】
2013544140.tif 000248
【図１３６Ａ】
2013544140.tif 000249
【図１３６Ｂ】
2013544140.tif 000250
【図１３６Ｃ】
2013544140.tif 000251
【図１３７Ａ】
2013544140.tif 000252
【図１３７Ｂ】
2013544140.tif 000253
【図１３８Ａ】
2013544140.tif 000254
【図１３８Ｂ】
2013544140.tif 000255
【図１３９Ａ】
2013544140.tif 000256
【図１３９Ｂ】
2013544140.tif 000257
【図１４０Ａ】
2013544140.tif 000258
【図１４０Ｂ】
2013544140.tif 000259
【図１４１】
2013544140.tif 000260
【国際調査報告】
2013544140.tif 000261
2013544140.tif 000262
2013544140.tif 000263
2013544140.tif 000264
2013544140.tif 000265